(57)【要約】  本発明は、少なくとも（Ａ）シリル化ポリウレタン、シリル化ポリ尿素、シリル化ポリエーテル、シリル化ポリスルフィド及びシリル末端アクリレートから成る群から選択される１種の化合物、及び少なくとも（Ｂ）１種のシクロヘキサンポリカルボン酸誘導体を含有する接着剤又はシーラントに関する。前記組成物は、同時に良好な接着特性と高耐亀裂性とを伴う増大した弾性を示す。継手部の間における堅固に結合させた接合部のためのその製造及びその使用のための方法が開示される。【特許請求の範囲】
【請求項１】
少なくとも
（Ａ）シリル化ポリウレタン、シリル化ポリ尿素、シリル化ポリエーテル、シリル化ポリスルフィド及びシリル末端アクリレートから成る群から選択される１種の化合物、及び少なくとも
（Ｂ）１種のシクロヘキサンポリカルボン酸誘導体
を含む接着剤又はシーラント。
【請求項２】
少なくとも以下の成分：
１０〜９０％の成分（Ａ）
３〜５０％の成分（Ｂ）
０〜８０％の充填剤
０〜２０％の水捕捉剤、
０〜１０％のレオロジー変性剤
を含む、請求項１に記載の接着剤又はシーラント。
【請求項３】
成分（Ｂ）が、式（Ｉ）
【化１】
2012511071.tif 000011
［式中、
Ｒ1は、Ｃ1〜Ｃ10−アルキル又はＣ3〜Ｃ8−シクロアルキルを表し、
ｍは、０、１、２又は３を表し、
ｎは、２、３又は４を表し、及び
Ｒは、水素又はＣ1〜Ｃ30−アルキル、Ｃ1〜Ｃ30−アルコキシ若しくはＣ3〜Ｃ8−シクロアルキルを表し、少なくとも１個の基Ｒは、Ｃ1〜Ｃ30−アルキル、Ｃ1〜Ｃ30−アルコキシ又はＣ3〜Ｃ8−シクロアルキルを表す］の少なくとも１種のシクロヘキサンポリカルボン酸誘導体を含む、請求項１又は２に記載の接着剤又はシーラント。
【請求項４】
成分（Ｂ）が、少なくとも１種のシクロヘキサン−１，２−ジカルボン酸ジ（イソノニル）エステルを含む、請求項１〜３のいずれかに記載の接着剤又はシーラント。
【請求項５】
更なる成分として、助剤及び添加剤、分散剤、顔料、レオロジー助剤、水捕捉剤、接着促進剤、触媒、光安定剤、老化抑制剤、難燃剤及び／又は殺生物剤を含む、請求項１から４までのいずれか１項に記載の接着剤又はシーラント。
【請求項６】
１成分系である、請求項１から５までのいずれか１項に記載の接着剤又はシーラント。
【請求項７】
２成分系である、請求項１から５までのいずれか１項に記載の接着剤又はシーラント。
【請求項８】
ａ）成分（Ｂ）及び場合により充填剤、チキソトロープ剤、抗酸化剤及びＵＶ吸収剤から成るシリーズからの少なくとも１種の化合物を導入し、
ｂ）場合によって水の５０００ｐｐｍ未満の減圧下で６０℃超の温度で混合物を乾燥し、
ｃ）場合によって水捕捉剤及び接着促進剤から成るシリーズからの少なくとも１種の化合物、並びに
ｄ）成分（Ａ）を加え、
前記成分を均一に混合する、
請求項１から７までのいずれか１項に記載の接着剤又はシーラントの製造方法。
【請求項９】
前記方法を非連続的に実施する、請求項８に記載の接着剤又はシーラントの製造方法。
【請求項１０】
前記方法を連続的に実施する、請求項８に記載の接着剤又はシーラントの製造方法。
【請求項１１】
被接合部品間の材料結合を生じさせるための、請求項１から７までのいずれか１項に記載の接着剤又はシーラントの使用。
【請求項１２】
コンクリート、モルタル、ガラス、金属、セラミック、プラスチック及び／又は木製の被接合部品間の材料結合を生じさせるための、請求項１１に記載の接着剤又はシーラントの使用。
【請求項１３】
前記被接合部品の一方が表面であり、他方が、カーペットカバー、ＰＶＣカバー、積層体、ゴムカバー、コルクカバー、リノリウムカバー、木のカバー又はタイルである、請求項１１又は１２のいずれか１項に記載の接着剤又はシーラントの使用。
【請求項１４】
前記材料結合が、施工継目、伸縮継目、フローリング継目、ファサード継目、建物仕切り継目、雨押さえ継目、ガラス、窓ガラス、構造用ガラス、屋根ガラス、窓シーリング、又は衛生用品セクターにおけるシーリングされた継目である、請求項１１又は１２のいずれか１項に記載の接着剤又はシーラントの使用。
【請求項１５】
前記被接合部品が、自動車、トラック、キャラバン、列車、トレーラ、航空機、船艇及び鉄道構築における部品である、請求項１１又は１２のいずれか１項に記載の接着剤又はシーラントの使用。
【発明の詳細な説明】
【技術分野】
【０００１】
本発明は、シクロヘキサンポリカルボン酸誘導体を含むシリル化ポリマーに基づく接着剤及びシーラントと、それらの製造方法と、それらの使用とに関する。
【０００２】
シリル化ポリウレタン（例えば、Ｂａｙｅｒ  Ｄｅｓｍｏｓｅａｌ（登録商標））；シリル化ポリ尿素；シリル末端ポリエーテル（例えば、Ｋａｎｅｋａ  ＭＳ  Ｐｏｌｙｍｅｒ（登録商標））；ａ，ω−シリル−末端アクリレート、又はテレケリックアクリレート（例えば、Ｋａｎｅｋａ  Ｘ−ＭＡＰ（登録商標））、及びシリル化ポリスルフィド（例えば、Ｔｏｒａｙ  Ｓｉｌｙｌ  ＬＰ）に基づく接着剤及びシーラントは、非常に幅広い適用範囲を有し、例えば、構築及び土木工学における、航空機又は自動車産業における、及び船艇建造における、特定の最終用途に適合させた調合物において使用される。一般に、かかる調合物の主要成分は、総調合物の４０％超の分率を占める可塑剤である。ＤＩＮ５５９４５による可塑剤は、低蒸気圧を有する不活性有機固体及び液体である。それらは、それらの溶解力及びそれらの膨潤能力を通じて、ポリマーの硬度を低下させ、充填剤／ポリマー混合物を相溶化し、低温弾性を高める。接着剤及びシーラント中における可塑剤は、特に、製造された膜の伸展性を増大させる役目をする。
【０００３】
更なる架橋のためにポリマーに付着させるアルコキシシランの構造は、ポリマーの例えば硬化速度、伸展性、引張強度及び柔軟性等の機械的性質に直接的な影響を及ぼすことが周知である。硬化ポリマーの性質に対するポリウレタン上の末端シラン基の構造の影響の典型的な例は、ＵＳ４，３７４，２３７に記載されている。
【０００４】
ＵＳ６，３１０，１７０は、シリル化ポリマーを含む組成物を開示しており、より具体的にはシリル化ポリウレタン及びシリル化ポリエーテルも開示している。その組成物には、その系の接着性及び伸展性を増大させる目的のために接着促進剤として特定のシランが加えられるが、このことは、特に接着剤及びシーラントのセクターにおいて大きな利点である。それらの組成物は、可塑剤を更に含み、特にフタル酸ジイソノニル及びフタル酸ジイソデシルが明確に述べられる。しかし、この場合における短所は、シリル化ポリマーの機械的性質を改善するために、更なる、相対的に高価な特定のシランを組成物に加えなければならないということである。
【０００５】
述べられた化合物及び方法は、シリル化ポリマーの機械的性質の最適化の基本的問題を未だに最終的には解決しておらず、とりわけ経済的観点から解決しなかったので、本発明の目的は、改善された機械的性質、より具体的には高反応性及び良好な接着性と共に増強された伸展性を示すシリル化ポリマーに基づいて更なる、費用効果的な調合物を開発することである。
【０００６】
この目的は、少なくとも（Ａ）シリル化ポリウレタン、シリル化ポリ尿素、シリル化ポリエーテル、シリル化ポリスルフィド及びシリル末端アクリレートから成る群から選択される１種の化合物、及び少なくとも（Ｂ）１種のシクロヘキサンポリカルボン酸誘導体を含む接着剤又はシーラントを用いて本発明によって達成された。驚くべきことに、この組成物は、先行技術と比較して、他の性能特性に対する悪影響なしで増強された伸展性を有することが分かった。
【０００７】
従って、本発明は、少なくとも１種のシクロヘキサンカルボン酸誘導体を含むシリル化ポリマーに基づく接着剤又はシーラントを提供し、これらの接着剤及びシーラントの製造方法を提供し、またそれらの使用も提供する。
【０００８】
接着剤又はシーラントは、好ましくは、式（Ｉ）
【化１】
2012511071.tif 000002
［式中、
Ｒ1は、Ｃ1〜Ｃ10−アルキル又はＣ3〜Ｃ8−シクロアルキルを表し、
ｍは、０、１、２又は３を表し、
ｎは、２、３又は４を表し、及び
Ｒは、水素又はＣ1〜Ｃ30−アルキル、Ｃ1〜Ｃ30−アルコキシ若しくはＣ3〜Ｃ8−シクロアルキルを表し、少なくとも１個の基Ｒは、Ｃ1〜Ｃ30−アルキル、Ｃ1〜Ｃ30−アルコキシ又はＣ3〜Ｃ8−シクロアルキルを表す］のシクロヘキサンポリカルボン酸誘導体を含む。
【０００９】
式（Ｉ）において、ｍが２又は３である場合、基Ｒ1は、同一又は異なってよい。Ｃ1〜Ｃ10−アルキル基は、直鎖状又は分枝状であってよい。Ｒ1がアルキル基を表す場合、それは、好ましくはＣ1〜Ｃ8−アルキル基、特に好ましくはＣ1〜Ｃ6−アルキル基である。
【００１０】
かかるアルキル基の例は、メチル、エチル、ｎ−プロピル、イソプロピル、ｎ−ブチル、イソブチル、ｓｅｃ−ブチル、ｔｅｒｔ−ブチル、ｎ−ペンチル、ｎ−ヘキシル、ｎ−オクチル及び２−エチルヘキシルである。好ましくは、ｍは０である。
【００１１】
ｍ個の基Ｒは、同一又は異なってよい。Ｃ1〜Ｃ30−アルキル基、及びＣ1〜Ｃ30−アルコキシ基のアルキル基は、直鎖状又は分枝状であってよい。Ｒは、好ましくはＣ1〜Ｃ30−アルキル、Ｃ1〜Ｃ20−アルキル、特に好ましくはＣ1〜Ｃ18−アルキル、非常に特に好ましくはＣ1〜Ｃ13−アルキルである。かかるアルキル基の例は、Ｒ1について既に述べられたアルキル基、並びにｎ−ノニル、イソノニル、ｎ−デシル、イソデシル、ｎ−ウンデシル、イソウンデシル、ｎ−ドデシル、イソドデシル、ｎ−トリデシル、イソトリデシル、ステアリル及びｎ−エイコシルである。
【００１２】
アルキル基は、いずれの場合も、前記アルキル基の個々の異性体又は異なるアルキル基の混合物であってよい。異なるアルキル基は、同じ炭素原子数を有する異なる異性体及び／又は異なる炭素原子数を有するアルキル基であってよい。
【００１３】
本発明によって使用されるシクロヘキサンポリカルボン酸誘導体は、特に、シクロヘキサンポリカルボン酸のモノ−、ジ−、トリ−及びテトラエステル並びに無水物である。好ましくは、全てのカルボキシル基は、エステル化形態において存在する。使用されるエステルは、アルキル、シクロアルキル及びアルコキシアルキルエステルであり、好ましくはアルキルエステルであり、好ましいアルキル基Ｒは、既に上において述べられている。
【００１４】
その少なくとも１種のシクロヘキサンポリカルボン酸誘導体は、好ましくは、フタル酸、イソフタル酸及びテレフタル酸のモノ−及びジアルキルエステル、トリメリト酸、トリメシン酸及びヘミメリト酸のモノ−、ジ−及びトリアルキルエステル（それらのエステルは、核上で水素化される）、又はピロメリト酸のモノ−、ジ−、トリ−及びテトラアルキルエステル（ここでアルキル基Ｒは、直鎖状又は分枝状であってよく、且ついずれの場合も１〜３０個、好ましくは１〜２０個、特に好ましくは１〜１８個、非常に特に好ましくは１〜１３個の炭素原子を有する）、並びにそれらの内の２種以上の混合物から成る群から選択される。適切なアルキル基Ｒは、既に上において述べられている。
【００１５】
アルキルシクロヘキサン−１，４−ジカルボキシレート、例えば、モノメチルシクロヘキサン−１，４−ジカルボキシレート、ジメチルシクロヘキサン−１，４−ジカルボキシレート、ジエチルシクロヘキサン−１，４−ジカルボキシレート、ジ−ｎ−プロピルシクロヘキサン−１，４−ジカルボキシレート、ジ−ｎ−ブチルシクロヘキサン−１，４−ジカルボキシレート、ジ−ｔｅｒｔ−ブチルシクロヘキサン−１，４−ジカルボキシレート、ジイソブチルシクロヘキサン−１，４−ジカルボキシレート、モノグリコールシクロヘキサン−１，４−ジカルボキシレート、ジグリコールシクロヘキサン−１，４−ジカルボキシレート、ジ−ｎ−オクチルシクロヘキサン−１，４−ジカルボキシレート、ジイソオクチルシクロヘキサン−１，４−ジカルボキシレート、モノ−２−エチルヘキシルシクロヘキサン−１，４−ジカルボキシレート、ジ−２−エチルヘキシルシクロヘキサン−１，４−ジカルボキシレート、ジ−ｎ−ノニルシクロヘキサン−１，４−ジカルボキシレート、ジイソノニルシクロヘキサン−１，４−ジカルボキシレート、ジ−ｎ−デシルシクロヘキサン−１，４−ジカルボキシレート、ジ−ｎ−ウンデシルシクロヘキサン−１，４−ジカルボキシレート、ジイソデシルシクロヘキサン−１，４−ジカルボキシレート、ジイソドデシルシクロヘキサン−１，４−ジカルボキシレート、ジ−ｎ−オクタデシルシクロヘキサン−１，４−ジカルボキシレート、ジイソオクタデシルシクロヘキサン−１，４−ジカルボキシレート、ジ−ｎ−エイコシルシクロヘキサン−１，４−ジカルボキシレート、モノシクロヘキシルシクロヘキサン−１，４−ジカルボキシレート、ジシクロヘキシルシクロヘキサン−１，４−ジカルボキシレート；
ジイソプロピルシクロヘキサン−１，４−ジカルボキシレート、ジ−ｎ−ヘキシルシクロヘキサン−１，４−ジカルボキシレート、ジイソヘキシルシクロヘキサン−１，４−ジカルボキシレート、ジ−ｎ−ヘプチルシクロヘキサン−１，４−ジカルボキシレート、ジイソヘプチルシクロヘキサン−１，４−ジカルボキシレート、ジ−２−プロピルヘプチルシクロヘキサン−１，４−ジカルボキシレート、ジイソウンデシルシクロヘキサン−１，４−ジカルボキシレート、ジ−ｎ−ドデシルシクロヘキサン−１，４−ジカルボキシレート、ジ−ｎ−トリデシルシクロヘキサン−１，４−ジカルボキシレート、ジイソトリデシルシクロヘキサン−１，４−ジカルボキシレート、ジ−ｎ−ペンチルシクロヘキサン−１，４−ジカルボキシレート、ジイソペンチルシクロヘキサン−１，４−ジカルボキシレート；
ジイソプロピルシクロヘキサン−１，２−ジカルボキシレート、ジ−ｎ−ヘキシルシクロヘキサン−１，２−ジカルボキシレート、ジイソヘキシルシクロヘキサン−１，２−ジカルボキシレート、ジ−ｎ−ヘプチルシクロヘキサン−１，２−ジカルボキシレート、ジイソヘプチルシクロヘキサン−１，２−ジカルボキシレート、ジ−２−プロピルヘプチルシクロヘキサン−１，２−ジカルボキシレート、ジイソウンデシルシクロヘキサン−１，２−ジカルボキシレート、ジ−ｎ−ドデシルシクロヘキサン−１，２−ジカルボキシレート、ジ−ｎ−トリデシルシクロヘキサン−１，２−ジカルボキシレート、ジイソトリデシルシクロヘキサン−１，２−ジカルボキシレート、ジ−ｎ−ペンチルシクロヘキサン−１，２−ジカルボキシレート、ジイソペンチルシクロヘキサン−１，２−ジカルボキシレート；
アルキルシクロヘキサン−１，２−ジカルボキシレート、例えば、モノメチルシクロヘキサン−１，２−ジカルボキシレート、ジメチルシクロヘキサン−１，２−ジカルボキシレート、ジエチルシクロヘキサン−１，２−ジカルボキシレート、ジ−ｎ−プロピルシクロヘキサン−１，２−ジカルボキシレート、ジ−ｎ−ブチルシクロヘキサン−１，２−ジカルボキシレート、ジ−ｔｅｒｔ−ブチルシクロヘキサン−１，２−ジカルボキシレート、ジイソブチルシクロヘキサン−１，２−ジカルボキシレート、モノグリコールシクロヘキサン−１，２−ジカルボキシレート、ジグリコールシクロヘキサン−１，２−ジカルボキシレート、ジ−ｎ−オクチルシクロヘキサン−１，２−ジカルボキシレート、ジイソオクチルシクロヘキサン−１，２−ジカルボキシレート、ジ−２−エチルヘキシルシクロヘキサン−１，２−ジカルボキシレート、ジ−ｎ−ノニルシクロヘキサン−１，２−ジカルボキシレート、ジイソノニルシクロヘキサン−１，２−ジカルボキシレート、ジ−ｎ−デシルシクロヘキサン−１，２−ジカルボキシレート、ジイソデシルシクロヘキサン−１，２−ジカルボキシレート、ジ−ｎ−ウンデシルシクロヘキサン−１，２−ジカルボキシレート、ジイソドデシルシクロヘキサン−１，２−ジカルボキシレート、ジ−ｎ−オクタデシルシクロヘキサン−１，２−ジカルボキシレート、ジイソオクタデシルシクロヘキサン−１，２−ジカルボキシレート、ジ−ｎ−エイコシルシクロヘキサン−１，２−ジカルボキシレート、モノシクロヘキシルシクロヘキサン−１，２−ジカルボキシレート、ジシクロヘキシルシクロヘキサン−１，２−ジカルボキシレート；
シクロヘキサン−１，２−ジカルボン酸と、Ｃ1〜Ｃ13−アルコール、例えば、エチルメチルシクロヘキサン−１，２−ジカルボキシレート、ｎ−プロピルメチルシクロヘキサン−１，２−ジカルボキシレート、イソプロピルメチルシクロヘキサン−１，２−ジカルボキシレート、ｎ−ブチルメチルシクロヘキサン−１，２−ジカルボキシレート、ｔｅｒｔ−ブチルメチルシクロヘキサン−１，２−ジカルボキシレート、イソブチルメチルシクロヘキサン−１，２−ジカルボキシレート、グリコールメチルシクロヘキサン−１，２−ジカルボキシレート、ｎ−ヘキシルメチルシクロヘキサン−１，２−ジカルボキシレート、イソヘキシルメチルシクロヘキサン−１，２−ジカルボキシレート、ｎ−ヘプチルメチルシクロヘキサン−１，２−ジカルボキシレート、イソヘプチルメチルシクロヘキサン−１，２−ジカルボキシレート、ｎ−オクチルメチルシクロヘキサン−１，２−ジカルボキシレート、イソオクチルメチルシクロヘキサン−１，２−ジカルボキシレート、２−エチルヘキシルメチルシクロヘキサン−１，２−ジカルボキシレート、ｎ−ノニルメチルシクロヘキサン−１，２−ジカルボキシレート、イソノニルメチルシクロヘキサン−１，２−ジカルボキシレート、２−プロピルヘプチルメチルシクロヘキサン−１，２−ジカルボキシレート、ｎ−デシルメチルシクロヘキサン−１，２−ジカルボキシレート、イソデシルメチルシクロヘキサン−１，２−ジカルボキシレート、ｎ−ウンデシルメチルシクロヘキサン−１，２−ジカルボキシレート、イソウンデシルメチルシクロヘキサン−１，２−ジカルボキシレート、ｎ−ドデシルメチルシクロヘキサン−１，２−ジカルボキシレート、イソドデシルメチルシクロヘキサン−１，２−ジカルボキシレート、ｎ−トリデシルメチルシクロヘキサン−１，２−ジカルボキシレート、イソトリデシルメチルシクロヘキサン−１，２−ジカルボキシレート、ｎ−プロピルエチルシクロヘキサン−１，２−ジカルボキシレート、イソプロピルエチルシクロヘキサン−１，２−ジカルボキシレート、ｎ−ブチルエチルシクロヘキサン−１，２−ジカルボキシレート、ｔｅｒｔ−ブチルエチルシクロヘキサン−１，２−ジカルボキシレート、イソブチルエチルシクロヘキサン−１，２−ジカルボキシレート、グリコールエチルシクロヘキサン−１，２−ジカルボキシレート、ｎ−ヘキシルエチルシクロヘキサン−１，２−ジカルボキシレート、イソヘキシルエチルシクロヘキサン−１，２−ジカルボキシレート、ｎ−ヘプチルエチルシクロヘキサン−１，２−ジカルボキシレート、イソヘプチルエチルシクロヘキサン−１，２−ジカルボキシレート、ｎ−オクチルエチルシクロヘキサン−１，２−ジカルボキシレート、イソオクチルエチルシクロヘキサン−１，２−ジカルボキシレート、２−エチルヘキシルエチルシクロヘキサン−１，２−ジカルボキシレート、ｎ−ノニルエチルシクロヘキサン−１，２−ジカルボキシレート、イソノニルエチルシクロヘキサン−１，２−ジカルボキシレート、２−プロピルヘプチルエチルシクロヘキサン−１，２−ジカルボキシレート、ｎ−デシルエチルシクロヘキサン−１，２−ジカルボキシレート、イソデシルエチルシクロヘキサン−１，２−ジカルボキシレート、ｎ−ウンデシルエチルシクロヘキサン−１，２−ジカルボキシレート、イソウンデシルエチルシクロヘキサン−１，２−ジカルボキシレート、ｎ−ドデシルエチルシクロヘキサン−１，２−ジカルボキシレート、イソドデシルエチルシクロヘキサン−１，２−ジカルボキシレート、ｎ−トリデシルエチルシクロヘキサン−１，２−ジカルボキシレート、イソトリデシルエチルシクロヘキサン−１，２−ジカルボキシレート、イソプロピルｎ−プロピルシクロヘキサン−１，２−ジカルボキシレート、ｎ−ブチルｎ−プロピルシクロヘキサン−１，２−ジカルボキシレート、ｔｅｒｔ−ブチルｎ−プロピルシクロヘキサン−１，２−ジカルボキシレート、イソブチルｎ−プロピルシクロヘキサン−１，２−ジカルボキシレート、グリコールｎ−プロピルシクロヘキサン−１，２−ジカルボキシレート、ｎ−ヘキシルｎ−プロピルシクロヘキサン−１，２−ジカルボキシレート、イソヘキシルｎ−プロピルシクロヘキサン−１，２−ジカルボキシレート、ｎ−ヘプチルｎ−プロピルシクロヘキサン−１，２−ジカルボキシレート、イソヘプチルｎ−プロピルシクロヘキサン−１，２−ジカルボキシレート、ｎ−オクチルｎ−プロピルシクロヘキサン−１，２−ジカルボキシレート、イソオクチルｎ−プロピルシクロヘキサン−１，２−ジカルボキシレート、２−エチルヘキシルｎ−プロピルシクロヘキサン−１，２−ジカルボキシレート、ｎ−ノニルｎ−プロピルシクロヘキサン−１，２−ジカルボキシレート、イソノニルｎ−プロピルシクロヘキサン−１，２−ジカルボキシレート、２−プロピルヘプチルｎ−プロピルシクロヘキサン−１，２−ジカルボキシレート、ｎ−デシルｎ−プロピルシクロヘキサン−１，２−ジカルボキシレート、イソデシルｎ−プロピルシクロヘキサン−１，２−ジカルボキシレート、ｎ−ウンデシルｎ−プロピルシクロヘキサン−１，２−ジカルボキシレート、イソウンデシルｎ−プロピルシクロヘキサン−１，２−ジカルボキシレート、ｎ−ドデシルｎ−プロピルシクロヘキサン−１，２−ジカルボキシレート、イソドデシルｎ−プロピルシクロヘキサン−１，２−ジカルボキシレート、ｎ−トリデシルｎ−プロピルシクロヘキサン−１，２−ジカルボキシレート、イソトリデシルｎ−プロピルシクロヘキサン−１，２−ジカルボキシレート、ｎ−ブチルイソプロピルシクロヘキサン−１，２−ジカルボキシレート、ｔｅｒｔ−ブチルイソプロピルシクロヘキサン−１，２−ジカルボキシレート、イソブチルイソプロピルシクロヘキサン−１，２−ジカルボキシレート、グリコールイソプロピルシクロヘキサン−１，２−ジカルボキシレート、ｎ−ヘキシルイソプロピルシクロヘキサン−１，２−ジカルボキシレート、イソヘキシルイソプロピルシクロヘキサン−１，２−ジカルボキシレート、ｎ−ヘプチルイソプロピルシクロヘキサン−１，２−ジカルボキシレート、イソヘプチルイソプロピルシクロヘキサン−１，２−ジカルボキシレート、ｎ−オクチルイソプロピルシクロヘキサン−１，２−ジカルボキシレート、イソオクチルイソプロピルシクロヘキサン−１，２−ジカルボキシレート、２−エチルヘキシルイソプロピルシクロヘキサン−１，２−ジカルボキシレート、ｎ−ノニルイソプロピルシクロヘキサン−１，２−ジカルボキシレート、イソノニルイソプロピルシクロヘキサン−１，２−ジカルボキシレート、２−プロピルヘプチルイソプロピルシクロヘキサン−１，２−ジカルボキシレート、ｎ−デシルイソプロピルシクロヘキサン−１，２−ジカルボキシレート、イソデシルイソプロピルシクロヘキサン−１，２−ジカルボキシレート、ｎ−ウンデシルイソプロピルシクロヘキサン−１，２−ジカルボキシレート、イソウンデシルイソプロピルシクロヘキサン−１，２−ジカルボキシレート、ｎ−ドデシルイソプロピルシクロヘキサン−１，２−ジカルボキシレート、イソドデシルイソプロピルシクロヘキサン−１，２−ジカルボキシレート、ｎ−トリデシルイソプロピルシクロヘキサン−１，２−ジカルボキシレート、イソトリデシルイソプロピルシクロヘキサン−１，２−ジカルボキシレート、ｔｅｒｔ−ブチルｎ−ブチルシクロヘキサン−１，２−ジカルボキシレート、イソブチルｎ−ブチルシクロヘキサン−１，２−ジカルボキシレート、グリコールｎ−ブチルシクロヘキサン−１，２−ジカルボキシレート、ｎ−ヘキシルｎ−ブチルシクロヘキサン−１，２−ジカルボキシレート、イソヘキシルｎ−ブチルシクロヘキサン−１，２−ジカルボキシレート、ｎ−ヘプチルｎ−ブチルシクロヘキサン−１，２−ジカルボキシレート、イソヘプチルｎ−ブチルシクロヘキサン−１，２−ジカルボキシレート、ｎ−オクチルｎ−ブチルシクロヘキサン−１，２−ジカルボキシレート、イソオクチルｎ−ブチルシクロヘキサン−１，２−ジカルボキシレート、２−エチルヘキシルｎ−ブチルシクロヘキサン−１，２−ジカルボキシレート、ｎ−ノニルｎ−ブチルシクロヘキサン−１，２−ジカルボキシレート、イソノニルｎ−ブチルシクロヘキサン−１，２−ジカルボキシレート、２−プロピルヘプチルｎ−ブチルシクロヘキサン−１，２−ジカルボキシレート、ｎ−デシルｎ−ブチルシクロヘキサン−１，２−ジカルボキシレート、イソデシルｎ−ブチルシクロヘキサン−１，２−ジカルボキシレート、ｎ−ウンデシルｎ−ブチルシクロヘキサン−１，２−ジカルボキシレート、イソウンデシルｎ−ブチルシクロヘキサン−１，２−ジカルボキシレート、ｎ−ドデシルｎ−ブチルシクロヘキサン−１，２−ジカルボキシレート、イソドデシルｎ−ブチルシクロヘキサン−１，２−ジカルボキシレート、ｎ−トリデシルｎ−ブチルシクロヘキサン−１，２−ジカルボキシレート、イソトリデシルｎ−ブチルシクロヘキサン−１，２−ジカルボキシレート、イソブチルｔｅｒｔ−ブチルシクロヘキサン−１，２−ジカルボキシレート、グリコールｔｅｒｔ−ブチルシクロヘキサン−１，２−ジカルボキシレート、ｎ−ヘキシルｔｅｒｔ−ブチルシクロヘキサン−１，２−ジカルボキシレート、イソヘキシルｔｅｒｔ−ブチルシクロヘキサン−１，２−ジカルボキシレート、ｎ−ヘプチルｔｅｒｔ−ブチルシクロヘキサン−１，２−ジカルボキシレート、イソヘプチルｔｅｒｔ−ブチルシクロヘキサン−１，２−ジカルボキシレート、ｎ−オクチルｔｅｒｔ−ブチルシクロヘキサン−１，２−ジカルボキシレート、イソオクチルｔｅｒｔ−ブチルシクロヘキサン−１，２−ジカルボキシレート、２−エチルヘキシルｔｅｒｔ−ブチルシクロヘキサン−１，２−ジカルボキシレート、ｎ−ノニルｔｅｒｔ−ブチルシクロヘキサン−１，２−ジカルボキシレート、イソノニルｔｅｒｔ−ブチルシクロヘキサン−１，２−ジカルボキシレート、２−プロピルヘプチルｔｅｒｔ−ブチルシクロヘキサン−１，２−ジカルボキシレート、ｎ−デシルｔｅｒｔ−ブチルシクロヘキサン−１，２−ジカルボキシレート、イソデシルｔｅｒｔ−ブチルシクロヘキサン−１，２−ジカルボキシレート、ｎ−ウンデシルｔｅｒｔ−ブチルシクロヘキサン−１，２−ジカルボキシレート、イソウンデシルｔｅｒｔ−ブチルシクロヘキサン−１，２−ジカルボキシレート、ｎ−ドデシルｔｅｒｔ−ブチルシクロヘキサン−１，２−ジカルボキシレート、イソドデシルｔｅｒｔ−ブチルシクロヘキサン−１，２−ジカルボキシレート、ｎ−トリデシルｔｅｒｔ−ブチルシクロヘキサン−１，２−ジカルボキシレート、イソトリデシルｔｅｒｔ−ブチルシクロヘキサン−１，２−ジカルボキシレート、グリコールイソブチルシクロヘキサン−１，２−ジカルボキシレート、ｎ−ヘキシルイソブチルシクロヘキサン−１，２−ジカルボキシレート、イソヘキシルイソブチルシクロヘキサン−１，２−ジカルボキシレート、ｎ−ヘプチルイソブチルシクロヘキサン−１，２−ジカルボキシレート、イソヘプチルイソブチルシクロヘキサン−１，２−ジカルボキシレート、ｎ−オクチルイソブチルシクロヘキサン−１，２−ジカルボキシレート、イソオクチルイソブチルシクロヘキサン−１，２−ジカルボキシレート、２−エチルヘキシルイソブチルシクロヘキサン−１，２−ジカルボキシレート、
ｎ−ノニルイソブチルシクロヘキサン−１，２−ジカルボキシレート、イソノニルイソブチルシクロヘキサン−１，２−ジカルボキシレート、２−プロピルヘプチルイソブチルシクロヘキサン−１，２−ジカルボキシレート、ｎ−デシルイソブチルシクロヘキサン−１，２−ジカルボキシレート、イソデシルイソブチルシクロヘキサン−１，２−ジカルボキシレート、ｎ−ウンデシルイソブチルシクロヘキサン−１，２−ジカルボキシレート、イソウンデシルイソブチルシクロヘキサン−１，２−ジカルボキシレート、ｎ−ドデシルイソブチルシクロヘキサン−１，２−ジカルボキシレート、イソドデシルイソブチルシクロヘキサン−１，２−ジカルボキシレート、ｎ−トリデシルイソブチルシクロヘキサン−１，２−ジカルボキシレート、イソトリデシルイソブチルシクロヘキサン−１，２−ジカルボキシレート、ｎ−ヘキシルグリコールシクロヘキサン−１，２−ジカルボキシレート、イソヘキシルグリコールシクロヘキサン−１，２−ジカルボキシレート、ｎ−ヘプチルグリコールシクロヘキサン−１，２−ジカルボキシレート、イソヘプチルグリコールシクロヘキサン−１，２−ジカルボキシレート、ｎ−オクチルグリコールシクロヘキサン−１，２−ジカルボキシレート、イソオクチルグリコールシクロヘキサン−１，２−ジカルボキシレート、２−エチルヘキシルグリコールシクロヘキサン−１，２−ジカルボキシレート、ｎ−ノニルグリコールシクロヘキサン−１，２−ジカルボキシレート、イソノニルグリコールシクロヘキサン−１，２−ジカルボキシレート、２−プロピルヘプチルグリコールシクロヘキサン−１，２−ジカルボキシレート、ｎ−デシルグリコールシクロヘキサン−１，２−ジカルボキシレート、イソデシルグリコールシクロヘキサン−１，２−ジカルボキシレート、ｎ−ウンデシルグリコールシクロヘキサン−１，２−ジカルボキシレート、イソウンデシルグリコールシクロヘキサン−１，２−ジカルボキシレート、ｎ−ドデシルグリコールシクロヘキサン−１，２−ジカルボキシレート、イソドデシルグリコールシクロヘキサン−１，２−ジカルボキシレート、ｎ−トリデシルグリコールシクロヘキサン−１，２−ジカルボキシレート、イソトリデシルグリコールシクロヘキサン−１，２−ジカルボキシレート、イソヘキシルｎ−ヘキシルシクロヘキサン−１，２−ジカルボキシレート、ｎ−ヘプチルｎ−ヘキシルシクロヘキサン−１，２−ジカルボキシレート、イソヘプチルｎ−ヘキシルシクロヘキサン−１，２−ジカルボキシレート、ｎ−オクチルｎ−ヘキシルシクロヘキサン−１，２−ジカルボキシレート、イソオクチルｎ−ヘキシルシクロヘキサン−１，２−ジカルボキシレート、２−エチルヘキシルｎ−ヘキシルシクロヘキサン−１，２−ジカルボキシレート、ｎ−ノニルｎ−ヘキシルシクロヘキサン−１，２−ジカルボキシレート、イソノニルｎ−ヘキシルシクロヘキサン−１，２−ジカルボキシレート、２−プロピルヘプチルｎ−ヘキシルシクロヘキサン−１，２−ジカルボキシレート、ｎ−デシルｎ−ヘキシルシクロヘキサン−１，２−ジカルボキシレート、イソデシルｎ−ヘキシルシクロヘキサン−１，２−ジカルボキシレート、ｎ−ウンデシルｎ−ヘキシルシクロヘキサン−１，２−ジカルボキシレート、イソウンデシルｎ−ヘキシルシクロヘキサン−１，２−ジカルボキシレート、ｎ−ドデシルｎ−ヘキシルシクロヘキサン−１，２−ジカルボキシレート、イソドデシルｎ−ヘキシルシクロヘキサン−１，２−ジカルボキシレート、ｎ−トリデシルｎ−ヘキシルシクロヘキサン−１，２−ジカルボキシレート、イソトリデシルｎ−ヘキシルシクロヘキサン−１，２−ジカルボキシレート、ｎ−ヘプチルイソヘキシルシクロヘキサン−１，２−ジカルボキシレート、イソヘプチルイソヘキシルシクロヘキサン−１，２−ジカルボキシレート、ｎ−オクチルイソヘキシルシクロヘキサン−１，２−ジカルボキシレート、イソオクチルイソヘキシルシクロヘキサン−１，２−ジカルボキシレート、２−エチルヘキシルイソヘキシルシクロヘキサン−１，２−ジカルボキシレート、ｎ−ノニルイソヘキシルシクロヘキサン−１，２−ジカルボキシレート、イソノニルイソヘキシルシクロヘキサン−１，２−ジカルボキシレート、２−プロピルヘプチルイソヘキシルシクロヘキサン−１，２−ジカルボキシレート、ｎ−デシルイソヘキシルシクロヘキサン−１，２−ジカルボキシレート、イソデシルイソヘキシルシクロヘキサン−１，２−ジカルボキシレート、ｎ−ウンデシルイソヘキシルシクロヘキサン−１，２−ジカルボキシレート、イソウンデシルイソヘキシルシクロヘキサン−１，２−ジカルボキシレート、ｎ−ドデシルイソヘキシルシクロヘキサン−１，２−ジカルボキシレート、イソドデシルイソヘキシルシクロヘキサン−１，２−ジカルボキシレート、ｎ−トリデシルイソヘキシルシクロヘキサン−１，２−ジカルボキシレート、イソトリデシルイソヘキシルシクロヘキサン−１，２−ジカルボキシレート、イソヘプチルｎ−ヘプチルシクロヘキサン−１，２−ジカルボキシレート、ｎ−オクチルｎ−ヘプチルシクロヘキサン−１，２−ジカルボキシレート、イソオクチルｎ−ヘプチルシクロヘキサン−１，２−ジカルボキシレート、２−エチルヘキシルｎ−ヘプチルシクロヘキサン−１，２−ジカルボキシレート、ｎ−ノニルｎ−ヘプチルシクロヘキサン−１，２−ジカルボキシレート、イソノニルｎ−ヘプチルシクロヘキサン−１，２−ジカルボキシレート、２−プロピルヘプチルｎ−ヘプチルシクロヘキサン−１，２−ジカルボキシレート、ｎ−デシルｈ−ヘプチルシクロヘキサン−１，２−ジカルボキシレート、イソデシルｎ−ヘプチルシクロヘキサン−１，２−ジカルボキシレート、ｎ−ウンデシルｎ−ヘプチルシクロヘキサン−１，２−ジカルボキシレート、イソウンデシルｎ−ヘプチルシクロヘキサン−１，２−ジカルボキシレート、ｎ−ドデシルｎ−ヘプチルシクロヘキサン−１，２−ジカルボキシレート、イソドデシルｎ−ヘプチルシクロヘキサン−１，２−ジカルボキシレート、ｎ−トリデシルｎ−ヘプチルシクロヘキサン−１，２−ジカルボキシレート、イソトリデシルｎ−ヘプチルシクロヘキサン−１，２−ジカルボキシレート、ｎ−オクチルイソヘプチルシクロヘキサン−１，２−ジカルボキシレート、イソオクチルイソヘプチルシクロヘキサン−１，２−ジカルボキシレート、２−エチルヘキシルイソヘプチルシクロヘキサン−１，２−ジカルボキシレート、ｎ−ノニルイソヘプチルシクロヘキサン−１，２−ジカルボキシレート、イソノニルイソヘプチルシクロヘキサン−１，２−ジカルボキシレート、２−プロピルヘプチルイソヘプチルシクロヘキサン−１，２−ジカルボキシレート、ｎ−デシルイソヘプチルシクロヘキサン−１，２−ジカルボキシレート、イソデシルイソヘプチルシクロヘキサン−１，２−ジカルボキシレート、ｎ−ウンデシルイソヘプチルシクロヘキサン−１，２−ジカルボキシレート、イソウンデシルイソヘプチルシクロヘキサン−１，２−ジカルボキシレート、ｎ−ドデシルイソヘプチルシクロヘキサン−１，２−ジカルボキシレート、イソドデシルイソヘプチルシクロヘキサン−１，２−ジカルボキシレート、ｎ−トリデシルイソヘプチルシクロヘキサン−１，２−ジカルボキシレート、イソトリデシルイソヘプチルシクロヘキサン−１，２−ジカルボキシレート、イソオクチルｎ−オクチルシクロヘキサン−１，２−ジカルボキシレート、２−エチルヘキシルｎ−オクチルシクロヘキサン−１，２−ジカルボキシレート、ｎ−ノニルｎ−オクチルシクロヘキサン−１，２−ジカルボキシレート、イソノニルｎ−オクチルシクロヘキサン−１，２−ジカルボキシレート、２−プロピルヘプチルｎ−オクチルシクロヘキサン−１，２−ジカルボキシレート、ｎ−デシルｎ−オクチルシクロヘキサン−１，２−ジカルボキシレート、イソデシルｎ−オクチルシクロヘキサン−１，２−ジカルボキシレート、ｎ−ウンデシルｎ−オクチルシクロヘキサン−１，２−ジカルボキシレート、イソウンデシルｎ−オクチルシクロヘキサン−１，２−ジカルボキシレート、ｎ−ドデシルｎ−オクチルシクロヘキサン−１，２−ジカルボキシレート、イソドデシルｎ−オクチルシクロヘキサン−１，２−ジカルボキシレート、ｎ−トリデシルｎ−オクチルシクロヘキサン−１，２−ジカルボキシレート、イソトリデシルｎ−オクチルシクロヘキサン−１，２−ジカルボキシレート、２−エチルヘキシルイソオクチルシクロヘキサン−１，２−ジカルボキシレート、ｎ−ノニルイソオクチルシクロヘキサン−１，２−ジカルボキシレート、イソノニルイソオクチルシクロヘキサン−１，２−ジカルボキシレート、２−プロピルヘプチルイソオクチルシクロヘキサン−１，２−ジカルボキシレート、ｎ−デシルイソオクチルシクロヘキサン−１，２−ジカルボキシレート、イソデシルイソオクチルシクロヘキサン−１，２−ジカルボキシレート、ｎ−ウンデシルイソオクチルシクロヘキサン−１，２−ジカルボキシレート、イソウンデシルイソオクチルシクロヘキサン−１，２−ジカルボキシレート、ｎ−ドデシルイソオクチルシクロヘキサン−１，２−ジカルボキシレート、イソドデシルイソオクチルシクロヘキサン−１，２−ジカルボキシレート、ｎ−トリデシルイソオクチルシクロヘキサン−１，２−ジカルボキシレート、イソトリデシルイソオクチルシクロヘキサン−１，２−ジカルボキシレート、２−エチルヘキシルｎ−ノニルシクロヘキサン−１，２−ジカルボキシレート、２−エチルヘキシルイソノニルシクロヘキサン−１，２−ジカルボキシレート、２−プロピルヘプチル２−エチルヘキシルシクロヘキサン−１，２−ジカルボキシレート、ｎ−デシル２−エチルヘキシルシクロヘキサン−１，２−ジカルボキシレート、イソデシル２−エチルヘキシルシクロヘキサン−１，２−ジカルボキシレート、ｎ−ウンデシル２−エチルヘキシルシクロヘキサン−１，２−ジカルボキシレート、イソウンデシル２−エチルヘキシルシクロヘキサン−１，２−ジカルボキシレート、ｎ−ドデシル２−エチルヘキシルシクロヘキサン−１，２−ジカルボキシレート、イソドデシル２−エチルヘキシルシクロヘキサン−１，２−ジカルボキシレート、ｎ−トリデシル２−エチルヘキシルシクロヘキサン−１，２−ジカルボキシレート、イソトリデシル２−エチルヘキシルシクロヘキサン−１，２−ジカルボキシレート、イソノニルｎ−ノニルシクロヘキサン−１，２−ジカルボキシレート、２−プロピルヘプチルｎ−ノニルシクロヘキサン−１，２−ジカルボキシレート、ｎ−デシルｎ−ノニルシクロヘキサン−１，２−ジカルボキシレート、イソデシルｎ−ノニルシクロヘキサン−１，２−ジカルボキシレート、ｎ−ウンデシルｎ−ノニルシクロヘキサン−１，２−ジカルボキシレート、イソウンデシルｎ−ノニルシクロヘキサン−１，２−ジカルボキシレート、ｎ−ドデシルｎ−ノニルシクロヘキサン−１，２−ジカルボキシレート、イソドデシルｎ−ノニルシクロヘキサン−１，２−ジカルボキシレート、ｎ−トリデシルｎ−ノニルシクロヘキサン−１，２−ジカルボキシレート、
イソトリデシルｎ−ノニルシクロヘキサン−１，２−ジカルボキシレート、２−プロピルヘプチルイソノニルシクロヘキサン−１，２−ジカルボキシレート、ｎ−デシルイソノニルシクロヘキサン−１，２−ジカルボキシレート、イソデシルイソノニルシクロヘキサン−１，２−ジカルボキシレート、ｎ−ウンデシルイソノニルシクロヘキサン−１，２−ジカルボキシレート、イソウンデシルイソノニルシクロヘキサン−１，２−ジカルボキシレート、ｎ−ドデシルイソノニルシクロヘキサン−１，２−ジカルボキシレート、イソドデシルイソノニルシクロヘキサン−１，２−ジカルボキシレート、ｎ−トリデシルイソノニルシクロヘキサン−１，２−ジカルボキシレート、イソトリデシルイソノニルシクロヘキサン−１，２−ジカルボキシレート、ｎ−デシル２−プロピルヘプチルシクロヘキサン−１，２−ジカルボキシレート、イソデシル２−プロピルヘプチルシクロヘキサン−１，２−ジカルボキシレート、ｎ−ウンデシル２−プロピルヘプチルシクロヘキサン−１，２−ジカルボキシレート、イソウンデシル２−プロピルヘプチルシクロヘキサン−１，２−ジカルボキシレート、ｎ−ドデシル２−プロピルヘプチルシクロヘキサン−１，２−ジカルボキシレート、イソドデシル２−プロピルヘプチルシクロヘキサン−１，２−ジカルボキシレート、ｎ−トリデシル２−プロピルヘプチルシクロヘキサン−１，２−ジカルボキシレート、イソトリデシル２−プロピルヘプチルシクロヘキサン−１，２−ジカルボキシレート、イソデシルｎ−デシルシクロヘキサン−１，２−ジカルボキシレート、ｎ−ウンデシルｎ−デシルシクロヘキサン−１，２−ジカルボキシレート、イソウンデシルｎ−デシルシクロヘキサン−１，２−ジカルボキシレート、ｎ−ドデシルｎ−デシルシクロヘキサン−１．２−ジカルボキシレート、イソドデシルｎ−デシルシクロヘキサン−１，２−ジカルボキシレート、ｎ−トリデシルｎ−デシルシクロヘキサン−１，２−ジカルボキシレート、イソトリデシルｎ−デシルシクロヘキサン−１，２−ジカルボキシレート、ｎ−ウンデシルイソデシルシクロヘキサン−１，２−ジカルボキシレート、イソウンデシルイソデシルシクロヘキサン−１，２−ジカルボキシレート、ｎ−ドデシルイソデシルシクロヘキサン−１，２−ジカルボキシレート、イソドデシルイソデシルシクロヘキサン−１，２−ジカルボキシレート、ｎ−トリデシルイソデシルシクロヘキサン−１，２−ジカルボキシレート、イソトリデシルイソデシルシクロヘキサン−１，２−ジカルボキシレート、イソウンデシルｎ−ウンデシルシクロヘキサン−１，２−ジカルボキシレート、ｎ−ドデシルｎ−ウンデシルシクロヘキサン−１，２−ジカルボキシレート、イソドデシルｎ−ウンデシルシクロヘキサン−１，２−ジカルボキシレート、ｎ−トリデシルｎ−ウンデシルシクロヘキサン−１，２−ジカルボキシレート、イソトリデシルｎ−ウンデシルシクロヘキサン−１，２−ジカルボキシレート、ｎ−ドデシルイソウンデシルシクロヘキサン−１，２−ジカルボキシレート、イソドデシルイソウンデシルシクロヘキサン−１，２−ジカルボキシレート、ｎ−トリデシルイソウンデシルシクロヘキサン−１，２−ジカルボキシレート、イソトリデシルイソウンデシルシクロヘキサン−１，２−ジカルボキシレート、イソドデシルｎ−ドデシルシクロヘキサン−１，２−ジカルボキシレート、ｎ−トリデシルｎ−ドデシルシクロヘキサン−１，２−ジカルボキシレート、イソトリデシルｎ−ドデシルシクロヘキサン−１，２−ジカルボキシレート、ｎ−トリデシルイソドデシルシクロヘキサン−１，２−ジカルボキシレート、イソトリデシルイソドデシルシクロヘキサン−１，２−ジカルボキシレート、イソトリデシルｎ−トリデシルシクロヘキサン−１，２−ジカルボキシレート、メチルシクロヘキシルシクロヘキサン−１，２−ジカルボキシレート、エチルシクロヘキシルシクロヘキサン−１，２−ジカルボキシレート、ｎ−プロピルシクロヘキシルシクロヘキサン−１，２−ジカルボキシレート、イソプロピルシクロヘキシルシクロヘキサン−１，２−ジカルボキシレート、ｎ−ブチルシクロヘキシルシクロヘキサン−１，２−ジカルボキシレート、ｔｅｒｔ−ブチルシクロヘキシルシクロヘキサン−１，２−ジカルボキシレート、イソブチルシクロヘキシルシクロヘキサン−１，２−ジカルボキシレート、グリコールシクロヘキシルシクロヘキサン−１，２−ジカルボキシレート、ｎ−ヘキシルシクロヘキシルシクロヘキサン−１，２−ジカルボキシレート、イソヘキシルシクロヘキシルシクロヘキサン−１，２−ジカルボキシレート、ｎ−ヘプチルシクロヘキシルシクロヘキサン−１，２−ジカルボキシレート、イソヘプチルシクロヘキシルシクロヘキサン−１，２−ジカルボキシレート、ｎ−オクチルシクロヘキシルシクロヘキサン−１，２−ジカルボキシレート、イソオクチルシクロヘキシルシクロヘキサン−１，２−ジカルボキシレート、２−エチルヘキシルシクロヘキシルシクロヘキサン−１，２−ジカルボキシレート、ｎ−ノニルシクロヘキシルシクロヘキサン−１，２−ジカルボキシレート、イソノニルシクロヘキシルシクロヘキサン−１，２−ジカルボキシレート、２−プロピルヘプチルシクロヘキシルシクロヘキサン−１，２−ジカルボキシレート、ｎ−デシルシクロヘキシルシクロヘキサン−１，２−ジカルボキシレート、イソデシルシクロヘキシルシクロヘキサン−１，２−ジカルボキシレート、ｎ−ウンデシルシクロヘキシルシクロヘキサン−１，２−ジカルボキシレート、イソウンデシルシクロヘキシルシクロヘキサン−１，２−ジカルボキシレート、ｎ−ドデシルシクロヘキシルシクロヘキサン−１，２−ジカルボキシレート、イソドデシルシクロヘキシルシクロヘキサン−１，２−ジカルボキシレート、ｎ−トリデシルシクロヘキシルシクロヘキサン−１，２−ジカルボキシレート、イソトリデシルシクロヘキシルシクロヘキサン−１，２−ジカルボキシレート、メチルイソペンチルシクロヘキサン−１，２−ジカルボキシレート、エチルイソペンチルシクロヘキサン−１，２−ジカルボキシレート、ｎ−プロピルイソペンチルシクロヘキサン−１，２−ジカルボキシレート、イソプロピルイソペンチルシクロヘキサン−１，２−ジカルボキシレート、ｎ−ブチルイソペンチルシクロヘキサン−１，２−ジカルボキシレート、ｔｅｒｔ−ブチルイソペンチルシクロヘキサン−１，２−ジカルボキシレート、イソブチルイソペンチルシクロヘキサン−１，２−ジカルボキシレート、グリコールイソペンチルシクロヘキサン−１，２−ジカルボキシレート、ｎ−ヘキシルイソペンチルシクロヘキサン−１，２−ジカルボキシレート、イソヘキシルイソペンチルシクロヘキサン−１，２−ジカルボキシレート、ｎ−ヘプチルイソペンチルシクロヘキサン−１，２−ジカルボキシレート、イソヘプチルイソペンチルシクロヘキサン−１，２−ジカルボキシレート、ｎ−オクチルイソペンチルシクロヘキサン−１，２−ジカルボキシレート、イソオクチルイソペンチルシクロヘキサン−１，２−ジカルボキシレート、２−エチルヘキシルイソペンチルシクロヘキサン−１，２−ジカルボキシレート、ｎ−ノニルイソペンチルシクロヘキサン−１，２−ジカルボキシレート、イソノニルイソペンチルシクロヘキサン−１，２−ジカルボキシレート、２−プロピルヘプチルイソペンチルシクロヘキサン−１，２−ジカルボキシレート、ｎ−デシルイソペンチルシクロヘキサン−１，２−ジカルボキシレート、イソデシルイソペンチルシクロヘキサン−１，２−ジカルボキシレート、ｎ−ウンデシルイソペンチルシクロヘキサン−１，２−ジカルボキシレート、イソウンデシルイソペンチルシクロヘキサン−１，２−ジカルボキシレート、ｎ−ドデシルイソペンチルシクロヘキサン−１，２−ジカルボキシレート、イソドデシルイソペンチルシクロヘキサン−１，２−ジカルボキシレート、ｎ−トリデシルイソペンチルシクロヘキサン−１，２−ジカルボキシレート、イソトリデシルイソペンチルシクロヘキサン−１，２−ジカルボキシレート、メチルｎ−ペンチルシクロヘキサン−１，２−ジカルボキシレート、エチルｎ−ペンチルシクロヘキサン−１，２−ジカルボキシレート、ｎ−プロピルｎ−ペンチルシクロヘキサン−１，２−ジカルボキシレート、イソプロピルｎ−ペンチルシクロヘキサン−１，２−ジカルボキシレート、ｎ−ブチルｎ−ペンチルシクロヘキサン−１，２−ジカルボキシレート、ｔｅｒｔ−ブチルｎ−ペンチルシクロヘキサン−１，２−ジカルボキシレート、イソブチルｎ−ペンチルシクロヘキサン−１，２−ジカルボキシレート、グリコールｎ−ペンチルシクロヘキサン−１，２−ジカルボキシレート、ｎ−ヘキシルｎ−ペンチルシクロヘキサン−１，２−ジカルボキシレート、イソヘキシルｎ−ペンチルシクロヘキサン−１，２−ジカルボキシレート、ｎ−ヘプチルｎ−ペンチルシクロヘキサン−１，２−ジカルボキシレート、イソヘプチルｎ−ペンチルシクロヘキサン−１，２−ジカルボキシレート、ｎ−オクチルｎ−ペンチルシクロヘキサン−１，２−ジカルボキシレート、イソオクチルｎ−ペンチルシクロヘキサン−１，２−ジカルボキシレート、２−エチルヘキシルｎ−ペンチルシクロヘキサン−１，２−ジカルボキシレート、ｎ−ノニルｎ−ペンチルシクロヘキサン−１，２−ジカルボキシレート、イソノニルｎ−ペンチルシクロヘキサン−１，２−ジカルボキシレート、２−プロピルヘプチルｎ−ペンチルシクロヘキサン−１，２−ジカルボキシレート、ｎ−デシルｎ−ペンチルシクロヘキサン−１，２−ジカルボキシレート、イソデシルｎ−ペンチルシクロヘキサン−１，２−ジカルボキシレート、ｎ−ウンデシルｎ−ペンチルシクロヘキサン−１，２−ジカルボキシレート、イソウンデシルｎ−ペンチルシクロヘキサン−１，２−ジカルボキシレート、ｎ−ドデシルｎ−ペンチルシクロヘキサン−１，２−ジカルボキシレート、イソドデシルｎ−ペンチルシクロヘキサン−１，２−ジカルボキシレート、ｎ−トリデシルｎ−ペンチルシクロヘキサン−１，２−ジカルボキシレート、イソトリデシルｎ−ペンチルシクロヘキサン−１，２−ジカルボキシレートとの混合エステル；
シクロヘキサン−１，３−ジカルボン酸と、Ｃ1〜Ｃ13−アルコール、例えば、エチルメチルシクロヘキサン−１，３−ジカルボキシレート、ｎ−プロピルメチルシクロヘキサン−１，３−ジカルボキシレート、イソプロピルメチルシクロヘキサン−１，３−ジカルボキシレート、ｎ−ブチルメチルシクロヘキサン−１，３−ジカルボキシレート、ｔｅｒｔ−ブチルメチルシクロヘキサン−１，３−ジカルボキシレート、イソブチルメチルシクロヘキサン−１，３−ジカルボキシレート、グリコールメチルシクロヘキサン−１，３−ジカルボキシレート、ｎ−ヘキシルメチルシクロヘキサン−１，３−ジカルボキシレート、イソヘキシルメチルシクロヘキサン−１，３−ジカルボキシレート、ｎ−ヘプチルメチルシクロヘキサン−１，３−ジカルボキシレート、イソヘプチルメチルシクロヘキサン−１，３−ジカルボキシレート、ｎ−オクチルメチルシクロヘキサン−１，３−ジカルボキシレート、イソオクチルメチルシクロヘキサン−１，３−ジカルボキシレート、２−エチルヘキシルメチルシクロヘキサン−１，３−ジカルボキシレート、ｎ−ノニルメチルシクロヘキサン−１，３−ジカルボキシレート、イソノニルメチルシクロヘキサン−１，３−ジカルボキシレート、２−プロピルヘプチルメチルシクロヘキサン−１，３−ジカルボキシレート、ｎ−デシルメチルシクロヘキサン−１，３−ジカルボキシレート、イソデシルメチルシクロヘキサン−１，３−ジカルボキシレート、ｎ−ウンデシルメチルシクロヘキサン−１，３−ジカルボキシレート、イソウンデシルメチルシクロヘキサン−１，３−ジカルボキシレート、ｎ−ドデシルメチルシクロヘキサン−１，３−ジカルボキシレート、イソドデシルメチルシクロヘキサン−１，３−ジカルボキシレート、ｎ−トリデシルメチルシクロヘキサン−１，３−ジカルボキシレート、イソトリデシルメチルシクロヘキサン−１，３−ジカルボキシレート、ｎ−プロピルエチルシクロヘキサン−１，３−ジカルボキシレート、イソプロピルエチルシクロヘキサン−１，３−ジカルボキシレート、ｎ−ブチルエチルシクロヘキサン−１，３−ジカルボキシレート、ｔｅｒｔ−ブチルエチルシクロヘキサン−１，３−ジカルボキシレート、イソブチルエチルシクロヘキサン−１，３−ジカルボキシレート、グリコールエチルシクロヘキサン−１，３−ジカルボキシレート、ｎ−ヘキシルエチルシクロヘキサン−１，３−ジカルボキシレート、イソヘキシルエチルシクロヘキサン−１，３−ジカルボキシレート、ｎ−ヘプチルエチルシクロヘキサン−１，３−ジカルボキシレート、イソヘプチルエチルシクロヘキサン−１，３−ジカルボキシレート、ｎ−オクチルエチルシクロヘキサン−１，３−ジカルボキシレート、イソオクチルエチルシクロヘキサン−１，３−ジカルボキシレート、２−エチルヘキシルエチルシクロヘキサン−１，３−ジカルボキシレート、ｎ−ノニルエチルシクロヘキサン−１，３−ジカルボキシレート、イソノニルエチルシクロヘキサン−１，３−ジカルボキシレート、２−プロピルヘプチルエチルシクロヘキサン−１，３−ジカルボキシレート、ｎ−デシルエチルシクロヘキサン−１，３−ジカルボキシレート、イソデシルエチルシクロヘキサン−１，３−ジカルボキシレート、ｎ−ウンデシルエチルシクロヘキサン−１，３−ジカルボキシレート、イソウンデシルエチルシクロヘキサン−１，３−ジカルボキシレート、ｎ−ドデシルエチルシクロヘキサン−１，３−ジカルボキシレート、イソドデシルエチルシクロヘキサン−１，３−ジカルボキシレート、ｎ−トリデシルエチルシクロヘキサン−１，３−ジカルボキシレート、イソトリデシルエチルシクロヘキサン−１，３−ジカルボキシレート、イソプロピルｎ−プロピルシクロヘキサン−１，３−ジカルボキシレート、ｎ−ブチルｎ−プロピルシクロヘキサン−１，３−ジカルボキシレート、ｔｅｒｔ−ブチルｎ−プロピルシクロヘキサン−１，３−ジカルボキシレート、イソブチルｎ−プロピルシクロヘキサン−１，３−ジカルボキシレート、グリコールｎ−プロピルシクロヘキサン−１，３−ジカルボキシレート、ｎ−ヘキシルｎ−プロピルシクロヘキサン−１，３−ジカルボキシレート、イソヘキシルｎ−プロピルシクロヘキサン−１，３−ジカルボキシレート、ｎ−ヘプチルｎ−プロピルシクロヘキサン−１，３−ジカルボキシレート、イソヘプチルｎ−プロピルシクロヘキサン−１，３−ジカルボキシレート、ｎ−オクチルｎ−プロピルシクロヘキサン−１，３−ジカルボキシレート、イソオクチルｎ−プロピルシクロヘキサン−１，３−ジカルボキシレート、２−エチルヘキシルｎ−プロピルシクロヘキサン−１，３−ジカルボキシレート、ｎ−ノニルｎ−プロピルシクロヘキサン−１，３−ジカルボキシレート、イソノニルｎ−プロピルシクロヘキサン−１，３−ジカルボキシレート、２−プロピルヘプチルｎ−プロピルシクロヘキサン−１，３−ジカルボキシレート、ｎ−デシルｎ−プロピルシクロヘキサン−１，３−ジカルボキシレート、イソデシルｎ−プロピルシクロヘキサン−１，３−ジカルボキシレート、ｎ−ウンデシルｎ−プロピルシクロヘキサン−１，３−ジカルボキシレート、イソウンデシルｎ−プロピルシクロヘキサン−１，３−ジカルボキシレート、ｎ−ドデシルｎ−プロピルシクロヘキサン−１，３−ジカルボキシレート、イソドデシルｎ−プロピルシクロヘキサン−１，３−ジカルボキシレート、ｎ−トリデシルｎ−プロピルシクロヘキサン−１，３−ジカルボキシレート、イソトリデシルｎ−プロピルシクロヘキサン−１，３−ジカルボキシレート、ｎ−ブチルイソプロピルシクロヘキサン−１，３−ジカルボキシレート、ｔｅｒｔ−ブチルイソプロピルシクロヘキサン−１，３−ジカルボキシレート、イソブチルイソプロピルシクロヘキサン−１，３−ジカルボキシレート、グリコールイソプロピルシクロヘキサン−１，３−ジカルボキシレート、ｎ−ヘキシルイソプロピルシクロヘキサン−１，３−ジカルボキシレート、イソヘキシルイソプロピルシクロヘキサン−１，３−ジカルボキシレート、ｎ−ヘプチルイソプロピルシクロヘキサン−１，３−ジカルボキシレート、イソヘプチルイソプロピルシクロヘキサン−１，３−ジカルボキシレート、ｎ−オクチルイソプロピルシクロヘキサン−１，３−ジカルボキシレート、イソオクチルイソプロピルシクロヘキサン−１，３−ジカルボキシレート、２−エチルヘキシルイソプロピルシクロヘキサン−１，３−ジカルボキシレート、ｎ−ノニルイソプロピルシクロヘキサン−１，３−ジカルボキシレート、イソノニルイソプロピルシクロヘキサン−１，３−ジカルボキシレート、２−プロピルヘプチルイソプロピルシクロヘキサン−１，３−ジカルボキシレート、ｎ−デシルイソプロピルシクロヘキサン−１，３−ジカルボキシレート、イソデシルイソプロピルシクロヘキサン−１，３−ジカルボキシレート、ｎ−ウンデシルイソプロピルシクロヘキサン−１，３−ジカルボキシレート、イソウンデシルイソプロピルシクロヘキサン−１，３−ジカルボキシレート、ｎ−ドデシルイソプロピルシクロヘキサン−１，３−ジカルボキシレート、イソドデシルイソプロピルシクロヘキサン−１，３−ジカルボキシレート、ｎ−トリデシルイソプロピルシクロヘキサン−１，３−ジカルボキシレート、イソトリデシルイソプロピルシクロヘキサン−１，３−ジカルボキシレート、ｔｅｒｔ−ブチルｎ−ブチルシクロヘキサン−１，３−ジカルボキシレート、イソブチルｎ−ブチルシクロヘキサン−１，３−ジカルボキシレート、グリコールｎ−ブチルシクロヘキサン−１，３−ジカルボキシレート、ｎ−ヘキシルｎ−ブチルシクロヘキサン−１，３−ジカルボキシレート、イソヘキシルｎ−ブチルシクロヘキサン−１，３−ジカルボキシレート、ｎ−ヘプチルｎ−ブチルシクロヘキサン−１，３−ジカルボキシレート、イソヘプチルｎ−ブチルシクロヘキサン−１，３−ジカルボキシレート、ｎ−オクチルｎ−ブチルシクロヘキサン−１，３−ジカルボキシレート、イソオクチルｎ−ブチルシクロヘキサン−１，３−ジカルボキシレート、２−エチルヘキシルｎ−ブチルシクロヘキサン−１，３−ジカルボキシレート、ｎ−ノニルｎ−ブチルシクロヘキサン−１，３−ジカルボキシレート、イソノニルｎ−ブチルシクロヘキサン−１，３−ジカルボキシレート、２−プロピルヘプチルｎ−ブチルシクロヘキサン−１，３−ジカルボキシレート、ｎ−デシルｎ−ブチルシクロヘキサン−１，３−ジカルボキシレート、イソデシルｎ−ブチルシクロヘキサン−１，３−ジカルボキシレート、ｎ−ウンデシルｎ−ブチルシクロヘキサン−１，３−ジカルボキシレート、イソウンデシルｎ−ブチルシクロヘキサン−１，３−ジカルボキシレート、ｎ−ドデシルｎ−ブチルシクロヘキサン−１，３−ジカルボキシレート、イソドデシルｎ−ブチルシクロヘキサン−１，３−ジカルボキシレート、ｎ−トリデシルｎ−ブチルシクロヘキサン−１，３−ジカルボキシレート、イソトリデシルｎ−ブチルシクロヘキサン−１，３−ジカルボキシレート、イソブチルｔｅｒｔ−ブチルシクロヘキサン−１，３−ジカルボキシレート、グリコールｔｅｒｔ−ブチルシクロヘキサン−１，３−ジカルボキシレート、ｎ−ヘキシルｔｅｒｔ−ブチルシクロヘキサン−１，３−ジカルボキシレート、イソヘキシルｔｅｒｔ−ブチルシクロヘキサン−１，３−ジカルボキシレート、ｎ−ヘプチルｔｅｒｔ−ブチルシクロヘキサン−１，３−ジカルボキシレート、イソヘプチルｔｅｒｔ−ブチルシクロヘキサン−１，３−ジカルボキシレート、ｎ−オクチルｔｅｒｔ−ブチルシクロヘキサン−１，３−ジカルボキシレート、イソオクチルｔｅｒｔ−ブチルシクロヘキサン−１，３−ジカルボキシレート、２−エチルヘキシルｔｅｒｔ−ブチルシクロヘキサン−１，３−ジカルボキシレート、ｎ−ノニルｔｅｒｔ−ブチルシクロヘキサン−１，３−ジカルボキシレート、イソノニルｔｅｒｔ−ブチルシクロヘキサン−１，３−ジカルボキシレート、２−プロピルヘプチルｔｅｒｔ−ブチルシクロヘキサン−１，３−ジカルボキシレート、ｎ−デシルｔｅｒｔ−ブチルシクロヘキサン−１，３−ジカルボキシレート、イソデシルｔｅｒｔ−ブチルシクロヘキサン−１，３−ジカルボキシレート、ｎ−ウンデシルｔｅｒｔ−ブチルシクロヘキサン−１，３−ジカルボキシレート、イソウンデシルｔｅｒｔ−ブチルシクロヘキサン−１，３−ジカルボキシレート、ｎ−ドデシルｔｅｒｔ−ブチルシクロヘキサン−１，３−ジカルボキシレート、イソドデシルｔｅｒｔ−ブチルシクロヘキサン−１，３−ジカルボキシレート、ｎ−トリデシルｔｅｒｔ−ブチルシクロヘキサン−１，３−ジカルボキシレート、イソトリデシルｔｅｒｔ−ブチルシクロヘキサン−１，３−ジカルボキシレート、グリコールイソブチルシクロヘキサン−１，３−ジカルボキシレート、ｎ−ヘキシルイソブチルシクロヘキサン−１，３−ジカルボキシレート、イソヘキシルイソブチルシクロヘキサン−１，３−ジカルボキシレート、ｎ−ヘプチルイソブチルシクロヘキサン−１，３−ジカルボキシレート、イソヘプチルイソブチルシクロヘキサン−１，３−ジカルボキシレート、ｎ−オクチルイソブチルシクロヘキサン−１，３−ジカルボキシレート、イソオクチルイソブチルシクロヘキサン−１，３−ジカルボキシレート、２−エチルヘキシルイソブチルシクロヘキサン−１，３−ジカルボキシレート、
ｎ−ノニルイソブチルシクロヘキサン−１，３−ジカルボキシレート、イソノニルイソブチルシクロヘキサン−１，３−ジカルボキシレート、２−プロピルヘプチルイソブチルシクロヘキサン−１，３−ジカルボキシレート、ｎ−デシルイソブチルシクロヘキサン−１，３−ジカルボキシレート、イソデシルイソブチルシクロヘキサン−１，３−ジカルボキシレート、ｎ−ウンデシルイソブチルシクロヘキサン−１，３−ジカルボキシレート、イソウンデシルイソブチルシクロヘキサン−１，３−ジカルボキシレート、ｎ−ドデシルイソブチルシクロヘキサン−１，３−ジカルボキシレート、イソドデシルイソブチルシクロヘキサン−１，３−ジカルボキシレート、ｎ−トリデシルイソブチルシクロヘキサン−１，３−ジカルボキシレート、イソトリデシルイソブチルシクロヘキサン−１，３−ジカルボキシレート、ｎ−ヘキシルグリコールシクロヘキサン−１，３−ジカルボキシレート、イソヘキシルグリコールシクロヘキサン−１，３−ジカルボキシレート、ｎ−ヘプチルグリコールシクロヘキサン−１，３−ジカルボキシレート、イソヘプチルグリコールシクロヘキサン−１，３−ジカルボキシレート、ｎ−オクチルグリコールシクロヘキサン−１，３−ジカルボキシレート、イソオクチルグリコールシクロヘキサン−１，３−ジカルボキシレート、２−エチルヘキシルグリコールシクロヘキサン−１，３−ジカルボキシレート、ｎ−ノニルグリコールシクロヘキサン−１，３−ジカルボキシレート、イソノニルグリコールシクロヘキサン−１，３−ジカルボキシレート、２−プロピルヘプチルグリコールシクロヘキサン−１，３−ジカルボキシレート、ｎ−デシルグリコールシクロヘキサン−１，３−ジカルボキシレート、イソデシルグリコールシクロヘキサン−１，３−ジカルボキシレート、ｎ−ウンデシルグリコールシクロヘキサン−１，３−ジカルボキシレート、イソウンデシルグリコールシクロヘキサン−１，３−ジカルボキシレート、ｎ−ドデシルグリコールシクロヘキサン−１，３−ジカルボキシレート、イソドデシルグリコールシクロヘキサン−１，３−ジカルボキシレート、ｎ−トリデシルグリコールシクロヘキサン−１，３−ジカルボキシレート、イソトリデシルグリコールシクロヘキサン−１，３−ジカルボキシレート、イソヘキシルｎ−ヘキシルシクロヘキサン−１，３−ジカルボキシレート、ｎ−ヘプチルｎ−ヘキシルシクロヘキサン−１，３−ジカルボキシレート、イソヘプチルｎ−ヘキシルシクロヘキサン−１，３−ジカルボキシレート、ｎ−オクチルｎ−ヘキシルシクロヘキサン−１，３−ジカルボキシレート、イソオクチルｎ−ヘキシルシクロヘキサン−１，３−ジカルボキシレート、２−エチルヘキシルｎ−ヘキシルシクロヘキサン−１，３−ジカルボキシレート、ｎ−ノニルｎ−ヘキシルシクロヘキサン−１，３−ジカルボキシレート、イソノニルｎ−ヘキシルシクロヘキサン−１，３−ジカルボキシレート、２−プロピルヘプチルｎ−ヘキシルシクロヘキサン−１，３−ジカルボキシレート、ｎ−デシルｎ−ヘキシルシクロヘキサン−１，３−ジカルボキシレート、イソデシルｎ−ヘキシルシクロヘキサン−１，３−ジカルボキシレート、ｎ−ウンデシルｎ−ヘキシルシクロヘキサン−１，３−ジカルボキシレート、イソウンデシルｎ−ヘキシルシクロヘキサン−１，３−ジカルボキシレート、ｎ−ドデシルｎ−ヘキシルシクロヘキサン−１，３−ジカルボキシレート、イソドデシルｎ−ヘキシルシクロヘキサン−１，３−ジカルボキシレート、ｎ−トリデシルｎ−ヘキシルシクロヘキサン−１，３−ジカルボキシレート、イソトリデシルｎ−ヘキシルシクロヘキサン−１，３−ジカルボキシレート、ｎ−ヘプチルイソヘキシルシクロヘキサン−１，３−ジカルボキシレート、イソヘプチルイソヘキシルシクロヘキサン−１，３−ジカルボキシレート、ｎ−オクチルイソヘキシルシクロヘキサン−１，３−ジカルボキシレート、イソオクチルイソヘキシルシクロヘキサン−１，３−ジカルボキシレート、２−エチルヘキシルイソヘキシルシクロヘキサン−１，３−ジカルボキシレート、ｎ−ノニルイソヘキシルシクロヘキサン−１，３−ジカルボキシレート、イソノニルイソヘキシルシクロヘキサン−１，３−ジカルボキシレート、２−プロピルヘプチルイソヘキシルシクロヘキサン−１，３−ジカルボキシレート、ｎ−デシルイソヘキシルシクロヘキサン−１，３−ジカルボキシレート、イソデシルイソヘキシルシクロヘキサン−１，３−ジカルボキシレート、ｎ−ウンデシルイソヘキシルシクロヘキサン−１，３−ジカルボキシレート、イソウンデシルイソヘキシルシクロヘキサン−１，３−ジカルボキシレート、ｎ−ドデシルイソヘキシルシクロヘキサン−１，３−ジカルボキシレート、イソドデシルイソヘキシルシクロヘキサン−１，３−ジカルボキシレート、ｎ−トリデシルイソヘキシルシクロヘキサン−１，３−ジカルボキシレート、イソトリデシルイソヘキシルシクロヘキサン−１，３−ジカルボキシレート、イソヘプチルｎ−ヘプチルシクロヘキサン−１，３−ジカルボキシレート、ｎ−オクチルｎ−ヘプチルシクロヘキサン−１，３−ジカルボキシレート、イソオクチルｎ−ヘプチルシクロヘキサン−１，３−ジカルボキシレート、２−エチルヘキシルｎ−ヘプチルシクロヘキサン−１，３−ジカルボキシレート、ｎ−ノニルｎ−ヘプチルシクロヘキサン−１，３−ジカルボキシレート、イソノニルｎ−ヘプチルシクロヘキサン−１，３−ジカルボキシレート、２−プロピルヘプチルｎ−ヘプチルシクロヘキサン−１，３−ジカルボキシレート、ｎ−デシルｎ−ヘプチルシクロヘキサン−１，３−ジカルボキシレート、イソデシルｎ−ヘプチルシクロヘキサン−１，３−ジカルボキシレート、ｎ−ウンデシルｎ−ヘプチルシクロヘキサン−１，３−ジカルボキシレート、イソウンデシルｎ−ヘプチルシクロヘキサン−１，３−ジカルボキシレート、ｎ−ドデシルｎ−ヘプチルシクロヘキサン−１，３−ジカルボキシレート、イソドデシルｎ−ヘプチルシクロヘキサン−１，３−ジカルボキシレート、ｎ−トリデシルｎ−ヘプチルシクロヘキサン−１，３−ジカルボキシレート、イソトリデシルｎ−ヘプチルシクロヘキサン−１，３−ジカルボキシレート、ｎ−オクチルイソヘプチルシクロヘキサン−１，３−ジカルボキシレート、イソオクチルイソヘプチルシクロヘキサン−１，３−ジカルボキシレート、２−エチルヘキシルイソヘプチルシクロヘキサン−１，３−ジカルボキシレート、ｎ−ノニルイソヘプチルシクロヘキサン−１，３−ジカルボキシレート、イソノニルイソヘプチルシクロヘキサン−１，３−ジカルボキシレート、２−プロピルヘプチルイソヘプチルシクロヘキサン−１，３−ジカルボキシレート、ｎ−デシルイソヘプチルシクロヘキサン−１，３−ジカルボキシレート、イソデシルイソヘプチルシクロヘキサン−１，３−ジカルボキシレート、ｎ−ウンデシルイソヘプチルシクロヘキサン−１，３−ジカルボキシレート、イソウンデシルイソヘプチルシクロヘキサン−１，３−ジカルボキシレート、ｎ−ドデシルイソヘプチルシクロヘキサン−１，３−ジカルボキシレート、イソドデシルイソヘプチルシクロヘキサン−１，３−ジカルボキシレート、ｎ−トリデシルイソヘプチルシクロヘキサン−１，３−ジカルボキシレート、イソトリデシルイソヘプチルシクロヘキサン−１，３−ジカルボキシレート、イソオクチルｎ−オクチルシクロヘキサン−１，３−ジカルボキシレート、２−エチルヘキシルｎ−オクチルシクロヘキサン−１，３−ジカルボキシレート、ｎ−ノニルｎ−オクチルシクロヘキサン−１，３−ジカルボキシレート、イソノニルｎ−オクチルシクロヘキサン−１，３−ジカルボキシレート、２−プロピルヘプチルｎ−オクチルシクロヘキサン−１，３−ジカルボキシレート、ｎ−デシルｎ−オクチルシクロヘキサン−１，３−ジカルボキシレート、イソデシルｎ−オクチルシクロヘキサン−１，３−ジカルボキシレート、ｎ−ウンデシルｎ−オクチルシクロヘキサン−１，３−ジカルボキシレート、イソウンデシルｎ−オクチルシクロヘキサン−１，３−ジカルボキシレート、ｎ−ドデシルｎ−オクチルシクロヘキサン−１，３−ジカルボキシレート、イソドデシルｎ−オクチルシクロヘキサン−１，３−ジカルボキシレート、ｎ−トリデシルｎ−オクチルシクロヘキサン−１，３−ジカルボキシレート、イソトリデシルｎ−オクチルシクロヘキサン−１，３−ジカルボキシレート、２−エチルヘキシルイソオクチルシクロヘキサン−１，３−ジカルボキシレート、ｎ−ノニルイソオクチルシクロヘキサン−１，３−ジカルボキシレート、イソノニルイソオクチルシクロヘキサン−１，３−ジカルボキシレート、２−プロピルヘプチルイソオクチルシクロヘキサン−１，３−ジカルボキシレート、ｎ−デシルイソオクチルシクロヘキサン−１，３−ジカルボキシレート、イソデシルイソオクチルシクロヘキサン−１，３−ジカルボキシレート、ｎ−ウンデシルイソオクチルシクロヘキサン−１，３−ジカルボキシレート、イソウンデシルイソオクチルシクロヘキサン−１，３−ジカルボキシレート、ｎ−ドデシルイソオクチルシクロヘキサン−１，３−ジカルボキシレート、イソドデシルイソオクチルシクロヘキサン−１，３−ジカルボキシレート、ｎ−トリデシルイソオクチルシクロヘキサン−１，３−ジカルボキシレート、イソトリデシルイソオクチルシクロヘキサン−１，３−ジカルボキシレート、ｎ−ノニル２−エチルヘキシルシクロヘキサン−１，３−ジカルボキシレート、イソノニル２−エチルヘキシルシクロヘキサン−１，３−ジカルボキシレート、２−プロピルヘプチル２−エチルヘキシルシクロヘキサン−１，３−ジカルボキシレート、ｎ−デシル２−エチルヘキシルシクロヘキサン−１，３−ジカルボキシレート、イソデシル２−エチルヘキシルシクロヘキサン−１，３−ジカルボキシレート、ｎ−ウンデシル２−エチルヘキシルシクロヘキサン−１，３−ジカルボキシレート、イソウンデシル２−エチルヘキシルシクロヘキサン−１，３−ジカルボキシレート、ｎ−ドデシル２−エチルヘキシルシクロヘキサン−１，３−ジカルボキシレート、イソドデシル２−エチルヘキシルシクロヘキサン−１，３−ジカルボキシレート、ｎ−トリデシル２−エチルヘキシルシクロヘキサン−１，３−ジカルボキシレート、イソトリデシル２−エチルヘキシルシクロヘキサン−１，３−ジカルボキシレート、イソノニルｎ−ノニルシクロヘキサン−１，３−ジカルボキシレート、２−プロピルヘプチルｎ−ノニルシクロヘキサン−１，３−ジカルボキシレート、ｎ−デシルｎ−ノニルシクロヘキサン−１，３−ジカルボキシレート、イソデシルｎ−ノニルシクロヘキサン−１，３−ジカルボキシレート、ｎ−ウンデシルｎ−ノニルシクロヘキサン−１，３−ジカルボキシレート、イソウンデシルｎ−ノニルシクロヘキサン−１，３−ジカルボキシレート、ｎ−ドデシルｎ−ノニルシクロヘキサン−１，３−ジカルボキシレート、イソドデシルｎ−ノニルシクロヘキサン−１，３−ジカルボキシレート、ｎ−トリデシルｎ−ノニルシクロヘキサン−１，３−ジカルボキシレート、
イソトリデシルｎ−ノニルシクロヘキサン−１，３−ジカルボキシレート、２−プロピルヘプチルイソノニルシクロヘキサン−１，３−ジカルボキシレート、ｎ−デシルイソノニルシクロヘキサン−１，３−ジカルボキシレート、イソデシルイソノニルシクロヘキサン−１，３−ジカルボキシレート、ｎ−ウンデシルイソノニルシクロヘキサン−１，３−ジカルボキシレート、イソウンデシルイソノニルシクロヘキサン−１，３−ジカルボキシレート、ｎ−ドデシルイソノニルシクロヘキサン−１，３−ジカルボキシレート、イソドデシルイソノニルシクロヘキサン−１，３−ジカルボキシレート、ｎ−トリデシルイソノニルシクロヘキサン−１，３−ジカルボキシレート、イソトリデシルイソノニルシクロヘキサン−１，３−ジカルボキシレート、ｎ−デシル２−プロピルヘプチルシクロヘキサン−１，３−ジカルボキシレート、イソデシル２−プロピルヘプチルシクロヘキサン−１，３−ジカルボキシレート、ｎ−ウンデシル２−プロピルヘプチルシクロヘキサン−１，３−ジカルボキシレート、イソウンデシル２−プロピルヘプチルシクロヘキサン−１，３−ジカルボキシレート、ｎ−ドデシル２−プロピルヘプチルシクロヘキサン−１，３−ジカルボキシレート、イソドデシル２−プロピルヘプチルシクロヘキサン−１，３−ジカルボキシレート、ｎ−トリデシル２−プロピルヘプチルシクロヘキサン−１，３−ジカルボキシレート、イソトリデシル２−プロピルヘプチルシクロヘキサン−１，３−ジカルボキシレート、イソデシルｎ−デシルシクロヘキサン−１，３−ジカルボキシレート、ｎ−ウンデシルｎ−デシルシクロヘキサン−１，３−ジカルボキシレート、イソウンデシルｎ−デシルシクロヘキサン−１，３−ジカルボキシレート、ｎ−ドデシルｎ−デシルシクロヘキサン−１，３−ジカルボキシレート、イソドデシルｎ−デシルシクロヘキサン−１，３−ジカルボキシレート、ｎ−トリデシルｎ−デシルシクロヘキサン−１，３−ジカルボキシレート、イソトリデシルｎ−デシルシクロヘキサン−１，３−ジカルボキシレート、ｎ−ウンデシルイソデシルシクロヘキサン−１，３−ジカルボキシレート、イソウンデシルイソデシルシクロヘキサン−１，３−ジカルボキシレート、ｎ−ドデシルイソデシルシクロヘキサン−１，３−ジカルボキシレート、イソドデシルイソデシルシクロヘキサン−１，３−ジカルボキシレート、ｎ−トリデシルイソデシルシクロヘキサン−１，３−ジカルボキシレート、イソトリデシルイソデシルシクロヘキサン−１，３−ジカルボキシレート、イソウンデシルｎ−ウンデシルシクロヘキサン−１，３−ジカルボキシレート、ｎ−ドデシルｎ−ウンデシルシクロヘキサン−１，３−ジカルボキシレート、イソドデシルｎ−ウンデシルシクロヘキサン−１，３−ジカルボキシレート、ｎ−トリデシルｎ−ウンデシルシクロヘキサン−１，３−ジカルボキシレート、イソトリデシルｎ−ウンデシルシクロヘキサン−１，３−ジカルボキシレート、ｎ−ドデシルイソウンデシルシクロヘキサン−１，３−ジカルボキシレート、イソドデシルイソウンデシルシクロヘキサン−１，３−ジカルボキシレート、ｎ−トリデシルイソウンデシルシクロヘキサン−１，３−ジカルボキシレート、イソトリデシルイソウンデシルシクロヘキサン−１，３−ジカルボキシレート、イソドデシルｎ−ドデシルシクロヘキサン−１，３−ジカルボキシレート、ｎ−トリデシルｎ−ドデシルシクロヘキサン−１，３−ジカルボキシレート、イソトリデシルｎ−ドデシルシクロヘキサン−１，３−ジカルボキシレート、ｎ−トリデシルイソドデシルシクロヘキサン−１，３−ジカルボキシレート、イソトリデシルイソドデシルシクロヘキサン−１，３−ジカルボキシレート、イソトリデシルｎ−トリデシルシクロヘキサン−１，３−ジカルボキシレート、メチルシクロヘキシルシクロヘキサン−１，３−ジカルボキシレート、エチルシクロヘキシルシクロヘキサン−１，３−ジカルボキシレート、ｎ−プロピルシクロヘキシルシクロヘキサン−１，３−ジカルボキシレート、イソプロピルシクロヘキシルシクロヘキサン−１，３−ジカルボキシレート、ｎ−ブチルシクロヘキシルシクロヘキサン−１，３−ジカルボキシレート、ｔｅｒｔ−ブチルシクロヘキシルシクロヘキサン−１，３−ジカルボキシレート、イソブチルシクロヘキシルシクロヘキサン−１，３−ジカルボキシレート、グリコールシクロヘキシルシクロヘキサン−１，３−ジカルボキシレート、ｎ−ヘキシルシクロヘキシルシクロヘキサン−１，３−ジカルボキシレート、イソヘキシルシクロヘキシルシクロヘキサン−１，３−ジカルボキシレート、ｎ−ヘプチルシクロヘキシルシクロヘキサン−１，３−ジカルボキシレート、イソヘプチルシクロヘキシルシクロヘキサン−１，３−ジカルボキシレート、ｎ−オクチルシクロヘキシルシクロヘキサン−１，３−ジカルボキシレート、イソオクチルシクロヘキシルシクロヘキサン−１，３−ジカルボキシレート、２−エチルヘキシルシクロヘキシルシクロヘキサン−１，３−ジカルボキシレート、ｎ−ノニルシクロヘキシルシクロヘキサン−１，３−ジカルボキシレート、イソノニルシクロヘキシルシクロヘキサン−１，３−ジカルボキシレート、２−プロピルヘプチルシクロヘキシルシクロヘキサン−１，３−ジカルボキシレート、ｎ−デシルシクロヘキシルシクロヘキサン−１，３−ジカルボキシレート、イソデシルシクロヘキシルシクロヘキサン−１，３−ジカルボキシレート、ｎ−ウンデシルシクロヘキシルシクロヘキサン−１，３−ジカルボキシレート、イソウンデシルシクロヘキシルシクロヘキサン−１，３−ジカルボキシレート、ｎ−ドデシルシクロヘキシルシクロヘキサン−１，３−ジカルボキシレート、イソドデシルシクロヘキシルシクロヘキサン−１，３−ジカルボキシレート、ｎ−トリデシルシクロヘキシルシクロヘキサン−１，３−ジカルボキシレート、イソトリデシルシクロヘキシルシクロヘキサン−１，３−ジカルボキシレート、メチルイソペンチルシクロヘキサン−１，３−ジカルボキシレート、エチルイソペンチルシクロヘキサン−１，３−ジカルボキシレート、ｎ−プロピルイソペンチルシクロヘキサン−１，３−ジカルボキシレート、イソプロピルイソペンチルシクロヘキサン−１，３−ジカルボキシレート、ｎ−ブチルイソペンチルシクロヘキサン−１，３−ジカルボキシレート、ｔｅｒｔ−ブチルイソペンチルシクロヘキサン−１，３−ジカルボキシレート、イソブチルイソペンチルシクロヘキサン−１，３−ジカルボキシレート、グリコールイソペンチルシクロヘキサン−１，３−ジカルボキシレート、ｎ−ヘキシルイソペンチルシクロヘキサン−１，３−ジカルボキシレート、イソヘキシルイソペンチルシクロヘキサン−１，３−ジカルボキシレート、ｎ−ヘプチルイソペンチルシクロヘキサン−１，３−ジカルボキシレート、イソヘプチルイソペンチルシクロヘキサン−１，３−ジカルボキシレート、ｎ−オクチルイソペンチルシクロヘキサン−１，３−ジカルボキシレート、イソオクチルイソペンチルシクロヘキサン−１，３−ジカルボキシレート、２−エチルヘキシルイソペンチルシクロヘキサン−１，３−ジカルボキシレート、ｎ−ノニルイソペンチルシクロヘキサン−１，３−ジカルボキシレート、イソノニルイソペンチルシクロヘキサン−１，３−ジカルボキシレート、２−プロピルヘプチルイソペンチルシクロヘキサン−１，３−ジカルボキシレート、ｎ−デシルイソペンチルシクロヘキサン−１，３−ジカルボキシレート、イソデシルイソペンチルシクロヘキサン−１，３−ジカルボキシレート、ｎ−ウンデシルイソペンチルシクロヘキサン−１，３−ジカルボキシレート、イソウンデシルイソペンチルシクロヘキサン−１，３−ジカルボキシレート、ｎ−ドデシルイソペンチルシクロヘキサン−１，３−ジカルボキシレート、イソドデシルイソペンチルシクロヘキサン−１，３−ジカルボキシレート、ｎ−トリデシルイソペンチルシクロヘキサン−１，３−ジカルボキシレート、イソトリデシルイソペンチルシクロヘキサン−１，３−ジカルボキシレート、メチルｎ−ペンチルシクロヘキサン−１，３−ジカルボキシレート、エチルｎ−ペンチルシクロヘキサン−１，３−ジカルボキシレート、ｎ−プロピルｎ−ペンチルシクロヘキサン−１，３−ジカルボキシレート、イソプロピルｎ−ペンチルシクロヘキサン−１，３−ジカルボキシレート、ｎ−ブチルｎ−ペンチルシクロヘキサン−１，３−ジカルボキシレート、ｔｅｒｔ−ブチルｎ−ペンチルシクロヘキサン−１，３−ジカルボキシレート、イソブチルｎ−ペンチルシクロヘキサン−１，３−ジカルボキシレート、グリコールｎ−ペンチルシクロヘキサン−１，３−ジカルボキシレート、ｎ−ヘキシルｎ−ペンチルシクロヘキサン−１，３−ジカルボキシレート、イソヘキシルｎ−ペンチルシクロヘキサン−１，３−ジカルボキシレート、ｎ−ヘプチルｎ−ペンチルシクロヘキサン−１，３−ジカルボキシレート、イソヘプチルｎ−ペンチルシクロヘキサン−１，３−ジカルボキシレート、ｎ−オクチルｎ−ペンチルシクロヘキサン−１，３−ジカルボキシレート、イソオクチルｎ−ペンチルシクロヘキサン−１，３−ジカルボキシレート、２−エチルヘキシルｎ−ペンチルシクロヘキサン−１，３−ジカルボキシレート、ｎ−ノニルｎ−ペンチルシクロヘキサン−１，３−ジカルボキシレート、イソノニルｎ−ペンチルシクロヘキサン−１，３−ジカルボキシレート、２−プロピルヘプチルｎ−ペンチルシクロヘキサン−１，３−ジカルボキシレート、ｎ−デシルｎ−ペンチルシクロヘキサン−１，３−ジカルボキシレート、イソデシルｎ−ペンチルシクロヘキサン−１，３−ジカルボキシレート、ｎ−ウンデシルｎ−ペンチルシクロヘキサン−１，３−ジカルボキシレート、イソウンデシルｎ−ペンチルシクロヘキサン−１，３−ジカルボキシレート、ｎ−ドデシルｎ−ペンチルシクロヘキサン−１，３−ジカルボキシレート、イソドデシルｎ−ペンチルシクロヘキサン−１，３−ジカルボキシレート、ｎ−トリデシルｎ−ペンチルシクロヘキサン−１，３−ジカルボキシレート、イソトリデシルｎ−ペンチルシクロヘキサン−１，３−ジカルボキシレートとの混合エステル；
シクロヘキサン−１，４−ジカルボン酸と、Ｃ1〜Ｃ13−アルコール、例えば、エチルメチルシクロヘキサン−１，４−ジカルボキシレート、ｎ−プロピルメチルシクロヘキサン−１，４−ジカルボキシレート、イソプロピルメチルシクロヘキサン−１，４−ジカルボキシレート、ｎ−ブチルメチルシクロヘキサン−１，４−ジカルボキシレート、ｔｅｒｔ−ブチルメチルシクロヘキサン−１，４−ジカルボキシレート、イソブチルメチルシクロヘキサン−１，４−ジカルボキシレート、グリコールメチルシクロヘキサン−１，４−ジカルボキシレート、ｎ−ヘキシルメチルシクロヘキサン−１，４−ジカルボキシレート、イソヘキシルメチルシクロヘキサン−１，４−ジカルボキシレート、ｎ−ヘプチルメチルシクロヘキサン−１，４−ジカルボキシレート、イソヘプチルメチルシクロヘキサン−１，４−ジカルボキシレート、ｎ−オクチルメチルシクロヘキサン−１，４−ジカルボキシレート、イソオクチルメチルシクロヘキサン−１，４−ジカルボキシレート、２−エチルヘキシルメチルシクロヘキサン−１，４−ジカルボキシレート、ｎ−ノニルメチルシクロヘキサン−１，４−ジカルボキシレート、イソノニルメチルシクロヘキサン−１，４−ジカルボキシレート、２−プロピルヘプチルメチルシクロヘキサン−１，４−ジカルボキシレート、ｎ−デシルメチルシクロヘキサン−１，４−ジカルボキシレート、イソデシルメチルシクロヘキサン−１，４−ジカルボキシレート、ｎ−ウンデシルメチルシクロヘキサン−１，４−ジカルボキシレート、イソウンデシルメチルシクロヘキサン−１，４−ジカルボキシレート、ｎ−ドデシルメチルシクロヘキサン−１，４−ジカルボキシレート、イソドデシルメチルシクロヘキサン−１，４−ジカルボキシレート、ｎ−トリデシルメチルシクロヘキサン−１，４−ジカルボキシレート、イソトリデシルメチルシクロヘキサン−１，４−ジカルボキシレート、ｎ−プロピルエチルシクロヘキサン−１，４−ジカルボキシレート、イソプロピルエチルシクロヘキサン−１，４−ジカルボキシレート、ｎ−ブチルエチルシクロヘキサン−１，４−ジカルボキシレート、ｔｅｒｔ−ブチルエチルシクロヘキサン−１，４−ジカルボキシレート、イソブチルエチルシクロヘキサン−１，４−ジカルボキシレート、グリコールエチルシクロヘキサン−１，４−ジカルボキシレート、ｎ−ヘキシルエチルシクロヘキサン−１，４−ジカルボキシレート、イソヘキシルエチルシクロヘキサン−１，４−ジカルボキシレート、ｎ−ヘプチルエチルシクロヘキサン−１，４−ジカルボキシレート、イソヘプチルエチルシクロヘキサン−１，４−ジカルボキシレート、ｎ−オクチルエチルシクロヘキサン−１，４−ジカルボキシレート、イソオクチルエチルシクロヘキサン−１，４−ジカルボキシレート、２−エチルヘキシルエチルシクロヘキサン−１，４−ジカルボキシレート、ｎ−ノニルエチルシクロヘキサン−１，４−ジカルボキシレート、イソノニルエチルシクロヘキサン−１，４−ジカルボキシレート、２−プロピルヘプチルエチルシクロヘキサン−１，４−ジカルボキシレート、ｎ−デシルエチルシクロヘキサン−１，４−ジカルボキシレート、イソデシルエチルシクロヘキサン−１，４−ジカルボキシレート、ｎ−ウンデシルエチルシクロヘキサン−１，４−ジカルボキシレート、イソウンデシルエチルシクロヘキサン−１，４−ジカルボキシレート、ｎ−ドデシルエチルシクロヘキサン−１，４−ジカルボキシレート、イソドデシルエチルシクロヘキサン−１，４−ジカルボキシレート、ｎ−トリデシルエチルシクロヘキサン−１，４−ジカルボキシレート、イソトリデシルエチルシクロヘキサン−１，４−ジカルボキシレート、イソプロピルｎ−プロピルシクロヘキサン−１，４−ジカルボキシレート、ｎ−ブチルｎ−プロピルシクロヘキサン−１，４−ジカルボキシレート、ｔｅｒｔ−ブチルｎ−プロピルシクロヘキサン−１，４−ジカルボキシレート、イソブチルｎ−プロピルシクロヘキサン−１，４−ジカルボキシレート、グリコールｎ−プロピルシクロヘキサン−１，４−ジカルボキシレート、ｎ−ヘキシルｎ−プロピルシクロヘキサン−１，４−ジカルボキシレート、イソヘキシルｎ−プロピルシクロヘキサン−１，４−ジカルボキシレート、ｎ−ヘプチルｎ−プロピルシクロヘキサン−１，４−ジカルボキシレート、イソヘプチルｎ−プロピルシクロヘキサン−１，４−ジカルボキシレート、ｎ−オクチルｎ−プロピルシクロヘキサン−１，４−ジカルボキシレート、イソオクチルｎ−プロピルシクロヘキサン−１，４−ジカルボキシレート、２−エチルヘキシルｎ−プロピルシクロヘキサン−１，４−ジカルボキシレート、ｎ−ノニルｎ−プロピルシクロヘキサン−１，４−ジカルボキシレート、イソノニルｎ−プロピルシクロヘキサン−１，４−ジカルボキシレート、２−プロピルヘプチルｎ−プロピルシクロヘキサン−１，４−ジカルボキシレート、ｎ−デシルｎ−プロピルシクロヘキサン−１，４−ジカルボキシレート、イソデシルｎ−プロピルシクロヘキサン−１，４−ジカルボキシレート、ｎ−ウンデシルｎ−プロピルシクロヘキサン−１，４−ジカルボキシレート、イソウンデシルｎ−プロピルシクロヘキサン−１，４−ジカルボキシレート、ｎ−ドデシルｎ−プロピルシクロヘキサン−１，４−ジカルボキシレート、イソドデシルｎ−プロピルシクロヘキサン−１，４−ジカルボキシレート、ｎ−トリデシルｎ−プロピルシクロヘキサン−１，４−ジカルボキシレート、イソトリデシルｎ−プロピルシクロヘキサン−１，４−ジカルボキシレート、ｎ−ブチルイソプロピルシクロヘキサン−１，４−ジカルボキシレート、ｔｅｒｔ−ブチルイソプロピルシクロヘキサン−１，４−ジカルボキシレート、イソブチルイソプロピルシクロヘキサン−１，４−ジカルボキシレート、グリコールイソプロピルシクロヘキサン−１，４−ジカルボキシレート、ｎ−ヘキシルイソプロピルシクロヘキサン−１，４−ジカルボキシレート、イソヘキシルイソプロピルシクロヘキサン−１，４−ジカルボキシレート、ｎ−ヘプチルイソプロピルシクロヘキサン−１，４−ジカルボキシレート、イソヘプチルイソプロピルシクロヘキサン−１，４−ジカルボキシレート、ｎ−オクチルイソプロピルシクロヘキサン−１，４−ジカルボキシレート、イソオクチルイソプロピルシクロヘキサン−１，４−ジカルボキシレート、２−エチルヘキシルイソプロピルシクロヘキサン−１，４−ジカルボキシレート、ｎ−ノニルイソプロピルシクロヘキサン−１，４−ジカルボキシレート、イソノニルイソプロピルシクロヘキサン−１，４−ジカルボキシレート、２−プロピルヘプチルイソプロピルシクロヘキサン−１，４−ジカルボキシレート、ｎ−デシルイソプロピルシクロヘキサン−１，４−ジカルボキシレート、イソデシルイソプロピルシクロヘキサン−１，４−ジカルボキシレート、ｎ−ウンデシルイソプロピルシクロヘキサン−１，４−ジカルボキシレート、イソウンデシルイソプロピルシクロヘキサン−１，４−ジカルボキシレート、ｎ−ドデシルイソプロピルシクロヘキサン−１，４−ジカルボキシレート、イソドデシルイソプロピルシクロヘキサン−１，４−ジカルボキシレート、ｎ−トリデシルイソプロピルシクロヘキサン−１，４−ジカルボキシレート、イソトリデシルイソプロピルシクロヘキサン−１，４−ジカルボキシレート、ｔｅｒｔ−ブチルｎ−ブチルシクロヘキサン−１，４−ジカルボキシレート、イソブチルｎ−ブチルシクロヘキサン−１，４−ジカルボキシレート、グリコールｎ−ブチルシクロヘキサン−１，４−ジカルボキシレート、ｎ−ヘキシルｎ−ブチルシクロヘキサン−１，４−ジカルボキシレート、イソヘキシルｎ−ブチルシクロヘキサン−１，４−ジカルボキシレート、ｎ−ヘプチルｎ−ブチルシクロヘキサン−１，４−ジカルボキシレート、イソヘプチルｎ−ブチルシクロヘキサン−１，４−ジカルボキシレート、ｎ−オクチルｎ−ブチルシクロヘキサン−１，４−ジカルボキシレート、イソオクチルｎ−ブチルシクロヘキサン−１，４−ジカルボキシレート、２−エチルヘキシルｎ−ブチルシクロヘキサン−１，４−ジカルボキシレート、ｎ−ノニルｎ−ブチルシクロヘキサン−１，４−ジカルボキシレート、イソノニルｎ−ブチルシクロヘキサン−１，４−ジカルボキシレート、２−プロピルヘプチルｎ−ブチルシクロヘキサン−１，４−ジカルボキシレート、ｎ−デシルｎ−ブチルシクロヘキサン−１，４−ジカルボキシレート、イソデシルｎ−ブチルシクロヘキサン−１，４−ジカルボキシレート、ｎ−ウンデシルｎ−ブチルシクロヘキサン−１，４−ジカルボキシレート、イソウンデシルｎ−ブチルシクロヘキサン−１，４−ジカルボキシレート、ｎ−ドデシルｎ−ブチルシクロヘキサン−１，４−ジカルボキシレート、イソドデシルｎ−ブチルシクロヘキサン−１，４−ジカルボキシレート、ｎ−トリデシルｎ−ブチルシクロヘキサン−１，４−ジカルボキシレート、イソトリデシルｎ−ブチルシクロヘキサン−１，４−ジカルボキシレート、イソブチルｔｅｒｔ−ブチルシクロヘキサン−１，４−ジカルボキシレート、グリコールｔｅｒｔ−ブチルシクロヘキサン−１，４−ジカルボキシレート、ｎ−ヘキシルｔｅｒｔ−ブチルシクロヘキサン−１，４−ジカルボキシレート、イソヘキシルｔｅｒｔ−ブチルシクロヘキサン−１，４−ジカルボキシレート、ｎ−ヘプチルｔｅｒｔ−ブチルシクロヘキサン−１，４−ジカルボキシレート、イソヘプチルｔｅｒｔ−ブチルシクロヘキサン−１，４−ジカルボキシレート、ｎ−オクチルｔｅｒｔ−ブチルシクロヘキサン−１，４−ジカルボキシレート、イソオクチルｔｅｒｔ−ブチルシクロヘキサン−１，４−ジカルボキシレート、２−エチルヘキシルｔｅｒｔ−ブチルシクロヘキサン−１，４−ジカルボキシレート、ｎ−ノニルｔｅｒｔ−ブチルシクロヘキサン−１，４−ジカルボキシレート、イソノニルｔｅｒｔ−ブチルシクロヘキサン−１，４−ジカルボキシレート、２−プロピルヘプチルｔｅｒｔ−ブチルシクロヘキサン−１，４−ジカルボキシレート、ｎ−デシルｔｅｒｔ−ブチルシクロヘキサン−１，４−ジカルボキシレート、イソデシルｔｅｒｔ−ブチルシクロヘキサン−１，４−ジカルボキシレート、ｎ−ウンデシルｔｅｒｔ−ブチルシクロヘキサン−１，４−ジカルボキシレート、イソウンデシルｔｅｒｔ−ブチルシクロヘキサン−１，４−ジカルボキシレート、ｎ−ドデシルｔｅｒｔ−ブチルシクロヘキサン−１，４−ジカルボキシレート、イソドデシルｔｅｒｔ−ブチルシクロヘキサン−１，４−ジカルボキシレート、ｎ−トリデシルｔｅｒｔ−ブチルシクロヘキサン−１，４−ジカルボキシレート、イソトリデシルｔｅｒｔ−ブチルシクロヘキサン−１，４−ジカルボキシレート、グリコールイソブチルシクロヘキサン−１，４−ジカルボキシレート、ｎ−ヘキシルイソブチルシクロヘキサン−１，４−ジカルボキシレート、イソヘキシルイソブチルシクロヘキサン−１，４−ジカルボキシレート、ｎ−ヘプチルイソブチルシクロヘキサン−１，４−ジカルボキシレート、イソヘプチルイソブチルシクロヘキサン−１，４−ジカルボキシレート、ｎ−オクチルイソブチルシクロヘキサン−１，４−ジカルボキシレート、イソオクチルイソブチルシクロヘキサン−１，４−ジカルボキシレート、２−エチルヘキシルイソブチルシクロヘキサン−１，４−ジカルボキシレート、
ｎ−ノニルイソブチルシクロヘキサン−１，４−ジカルボキシレート、イソノニルイソブチルシクロヘキサン−１，４−ジカルボキシレート、２−プロピルヘプチルイソブチルシクロヘキサン−１，４−ジカルボキシレート、ｎ−デシルイソブチルシクロヘキサン−１，４−ジカルボキシレート、イソデシルイソブチルシクロヘキサン−１，４−ジカルボキシレート、ｎ−ウンデシルイソブチルシクロヘキサン−１，４−ジカルボキシレート、イソウンデシルイソブチルシクロヘキサン−１，４−ジカルボキシレート、ｎ−ドデシルイソブチルシクロヘキサン−１，４−ジカルボキシレート、イソドデシルイソブチルシクロヘキサン−１，４−ジカルボキシレート、ｎ−トリデシルイソブチルシクロヘキサン−１，４−ジカルボキシレート、イソトリデシルイソブチルシクロヘキサン−１，４−ジカルボキシレート、ｎ−ヘキシルグリコールシクロヘキサン−１，４−ジカルボキシレート、イソヘキシルグリコールシクロヘキサン−１，４−ジカルボキシレート、ｎ−ヘプチルグリコールシクロヘキサン−１，４−ジカルボキシレート、イソヘプチルグリコールシクロヘキサン−１，４−ジカルボキシレート、ｎ−オクチルグリコールシクロヘキサン−１，４−ジカルボキシレート、イソオクチルグリコールシクロヘキサン−１，４−ジカルボキシレート、２−エチルヘキシルグリコールシクロヘキサン−１，４−ジカルボキシレート、ｎ−ノニルグリコールシクロヘキサン−１，４−ジカルボキシレート、イソノニルグリコールシクロヘキサン−１，４−ジカルボキシレート、２−プロピルヘプチルグリコールシクロヘキサン−１，４−ジカルボキシレート、ｎ−デシルグリコールシクロヘキサン−１，４−ジカルボキシレート、イソデシルグリコールシクロヘキサン−１，４−ジカルボキシレート、ｎ−ウンデシルグリコールシクロヘキサン−１，４−ジカルボキシレート、イソウンデシルグリコールシクロヘキサン−１，４−ジカルボキシレート、ｎ−ドデシルグリコールシクロヘキサン−１，４−ジカルボキシレート、イソドデシルグリコールシクロヘキサン−１，４−ジカルボキシレート、ｎ−トリデシルグリコールシクロヘキサン−１，４−ジカルボキシレート、イソトリデシルグリコールシクロヘキサン−１，４−ジカルボキシレート、イソヘキシルｎ−ヘキシルシクロヘキサン−１，４−ジカルボキシレート、ｎ−ヘプチルｎ−ヘキシルシクロヘキサン−１，４−ジカルボキシレート、イソヘプチルｎ−ヘキシルシクロヘキサン−１，４−ジカルボキシレート、ｎ−オクチルｎ−ヘキシルシクロヘキサン−１，４−ジカルボキシレート、イソオクチルｎ−ヘキシルシクロヘキサン−１，４−ジカルボキシレート、２−エチルヘキシルｎ−ヘキシルシクロヘキサン−１，４−ジカルボキシレート、ｎ−ノニルｎ−ヘキシルシクロヘキサン−１，４−ジカルボキシレート、イソノニルｎ−ヘキシルシクロヘキサン−１，４−ジカルボキシレート、２−プロピルヘプチルｎ−ヘキシルシクロヘキサン−１，４−ジカルボキシレート、ｎ−デシルｎ−ヘキシルシクロヘキサン−１，４−ジカルボキシレート、イソデシルｎ−ヘキシルシクロヘキサン−１，４−ジカルボキシレート、ｎ−ウンデシルｎ−ヘキシルシクロヘキサン−１，４−ジカルボキシレート、イソウンデシルｎ−ヘキシルシクロヘキサン−１，４−ジカルボキシレート、ｎ−ドデシルｎ−ヘキシルシクロヘキサン−１，４−ジカルボキシレート、イソドデシルｎ−ヘキシルシクロヘキサン−１，４−ジカルボキシレート、ｎ−トリデシルｎ−ヘキシルシクロヘキサン−１，４−ジカルボキシレート、イソトリデシルｎ−ヘキシルシクロヘキサン−１，４−ジカルボキシレート、ｎ−ヘプチルイソヘキシルシクロヘキサン−１，４−ジカルボキシレート、イソヘプチルイソヘキシルシクロヘキサン−１，４−ジカルボキシレート、ｎ−オクチルイソヘキシルシクロヘキサン−１，４−ジカルボキシレート、イソオクチルイソヘキシルシクロヘキサン−１，４−ジカルボキシレート、２−エチルヘキシルイソヘキシルシクロヘキサン−１，４−ジカルボキシレート、ｎ−ノニルイソヘキシルシクロヘキサン−１，４−ジカルボキシレート、イソノニルイソヘキシルシクロヘキサン−１，４−ジカルボキシレート、２−プロピルヘプチルイソヘキシルシクロヘキサン−１，４−ジカルボキシレート、ｎ−デシルイソヘキシルシクロヘキサン−１，４−ジカルボキシレート、イソデシルイソヘキシルシクロヘキサン−１，４−ジカルボキシレート、ｎ−ウンデシルイソヘキシルシクロヘキサン−１，４−ジカルボキシレート、イソウンデシルイソヘキシルシクロヘキサン−１，４−ジカルボキシレート、ｎ−ドデシルイソヘキシルシクロヘキサン−１，４−ジカルボキシレート、イソドデシルイソヘキシルシクロヘキサン−１，４−ジカルボキシレート、ｎ−トリデシルイソヘキシルシクロヘキサン−１，４−ジカルボキシレート、イソトリデシルイソヘキシルシクロヘキサン−１，４−ジカルボキシレート、イソヘプチルｎ−ヘプチルシクロヘキサン−１，４−ジカルボキシレート、ｎ−オクチルｎ−ヘプチルシクロヘキサン−１，４−ジカルボキシレート、イソオクチルｎ−ヘプチルシクロヘキサン−１，４−ジカルボキシレート、２−エチルヘキシルｎ−ヘプチルシクロヘキサン−１，４−ジカルボキシレート、ｎ−ノニルｎ−ヘプチルシクロヘキサン−１，４−ジカルボキシレート、イソノニルｎ−ヘプチルシクロヘキサン−１，４−ジカルボキシレート、２−プロピルヘプチルｎ−ヘプチルシクロヘキサン−１，４−ジカルボキシレート、ｎ−デシルｎ−ヘプチルシクロヘキサン−１，４−ジカルボキシレート、イソデシルｎ−ヘプチルシクロヘキサン−１，４−ジカルボキシレート、ｎ−ウンデシルｎ−ヘプチルシクロヘキサン−１，４−ジカルボキシレート、イソウンデシルｎ−ヘプチルシクロヘキサン−１，４−ジカルボキシレート、ｎ−ドデシルｎ−ヘプチルシクロヘキサン−１，４−ジカルボキシレート、イソドデシルｎ−ヘプチルシクロヘキサン−１，４−ジカルボキシレート、ｎ−トリデシルｎ−ヘプチルシクロヘキサン−１，４−ジカルボキシレート、イソトリデシルｎ−ヘプチルシクロヘキサン−１，４−ジカルボキシレート、ｎ−オクチルイソヘプチルシクロヘキサン−１，４−ジカルボキシレート、イソオクチルイソヘプチルシクロヘキサン−１，４−ジカルボキシレート、２−エチルヘキシルイソヘプチルシクロヘキサン−１，４−ジカルボキシレート、ｎ−ノニルイソヘプチルシクロヘキサン−１，４−ジカルボキシレート、イソノニルイソヘプチルシクロヘキサン−１，４−ジカルボキシレート、２−プロピルヘプチルイソヘプチルシクロヘキサン−１，４−ジカルボキシレート、ｎ−デシルイソヘプチルシクロヘキサン−１，４−ジカルボキシレート、イソデシルイソヘプチルシクロヘキサン−１，４−ジカルボキシレート、ｎ−ウンデシルイソヘプチルシクロヘキサン−１，４−ジカルボキシレート、イソウンデシルイソヘプチルシクロヘキサン−１，４−ジカルボキシレート、ｎ−ドデシルイソヘプチルシクロヘキサン−１，４−ジカルボキシレート、イソドデシルイソヘプチルシクロヘキサン−１，４−ジカルボキシレート、ｎ−トリデシルイソヘプチルシクロヘキサン−１，４−ジカルボキシレート、イソトリデシルイソヘプチルシクロヘキサン−１，４−ジカルボキシレート、イソオクチルｎ−オクチルシクロヘキサン−１，４−ジカルボキシレート、２−エチルヘキシルｎ−オクチルシクロヘキサン−１，４−ジカルボキシレート、ｎ−ノニルｎ−オクチルシクロヘキサン−１，４−ジカルボキシレート、イソノニルｎ−オクチルシクロヘキサン−１，４−ジカルボキシレート、２−プロピルヘプチルｎ−オクチルシクロヘキサン−１，４−ジカルボキシレート、ｎ−デシルｎ−オクチルシクロヘキサン−１，４−ジカルボキシレート、イソデシルｎ−オクチルシクロヘキサン−１，４−ジカルボキシレート、ｎ−ウンデシルｎ−オクチルシクロヘキサン−１，４−ジカルボキシレート、イソウンデシルｎ−オクチルシクロヘキサン−１，４−ジカルボキシレート、ｎ−ドデシルｎ−オクチルシクロヘキサン−１，４−ジカルボキシレート、イソドデシルｎ−オクチルシクロヘキサン−１，４−ジカルボキシレート、ｎ−トリデシルｎ−オクチルシクロヘキサン−１，４−ジカルボキシレート、イソトリデシルｎ−オクチルシクロヘキサン−１，４−ジカルボキシレート、２−エチルヘキシルイソオクチルシクロヘキサン−１，４−ジカルボキシレート、ｎ−ノニルイソオクチルシクロヘキサン−１，４−ジカルボキシレート、イソノニルイソオクチルシクロヘキサン−１，４−ジカルボキシレート、２−プロピルヘプチルイソオクチルシクロヘキサン−１，４−ジカルボキシレート、ｎ−ドデシルイソオクチルシクロヘキサン−１，４−ジカルボキシレート、イソデシルイソオクチルシクロヘキサン−１，４−ジカルボキシレート、ｎ−ウンデシルイソオクチルシクロヘキサン−１，４−ジカルボキシレート、イソウンデシルイソオクチルシクロヘキサン−１，４−ジカルボキシレート、ｎ−ドデシルイソオクチルシクロヘキサン−１，４−ジカルボキシレート、イソドデシルイソオクチルシクロヘキサン−１，４−ジカルボキシレート、ｎ−トリデシルイソオクチルシクロヘキサン−１，４−ジカルボキシレート、イソトリデシルイソオクチルシクロヘキサン−１，４−ジカルボキシレート、ｎ−ノニル２−エチルヘキシルシクロヘキサン−１，４−ジカルボキシレート、イソノニル２−エチルヘキシルシクロヘキサン−１，４−ジカルボキシレート、２−プロピルヘプチル２−エチルヘキシルシクロヘキサン−１，４−ジカルボキシレート、ｎ−デシル２−エチルヘキシルシクロヘキサン−１，４−ジカルボキシレート、イソデシル２−エチルヘキシルシクロヘキサン−１，４−ジカルボキシレート、ｎ−ウンデシル２−エチルヘキシルシクロヘキサン−１，４−ジカルボキシレート、イソウンデシル２−エチルヘキシルシクロヘキサン−１，４−ジカルボキシレート、ｎ−ドデシル２−エチルヘキシルシクロヘキサン−１，４−ジカルボキシレート、イソドデシル２−エチルヘキシルシクロヘキサン−１，４−ジカルボキシレート、ｎ−トリデシル２−エチルヘキシルシクロヘキサン−１，４−ジカルボキシレート、イソトリデシル２−エチルヘキシルシクロヘキサン−１，４−ジカルボキシレート、イソノニルｎ−ノニルシクロヘキサン−１，４−ジカルボキシレート、２−プロピルヘプチルｎ−ノニルシクロヘキサン−１，４−ジカルボキシレート、ｎ−デシルｎ−ノニルシクロヘキサン−１，４−ジカルボキシレート、イソデシルｎ−ノニルシクロヘキサン−１，４−ジカルボキシレート、ｎ−ウンデシルｎ−ノニルシクロヘキサン−１，４−ジカルボキシレート、イソウンデシルｎ−ノニルシクロヘキサン−１，４−ジカルボキシレート、ｎ−ドデシルｎ−ノニルシクロヘキサン−１，４−ジカルボキシレート、イソドデシルｎ−ノニルシクロヘキサン−１，４−ジカルボキシレート、ｎ−トリデシルｎ−ノニルシクロヘキサン−１，４−ジカルボキシレート、イソトリデシルｎ−ノニルシクロヘキサン−１，４−ジカルボキシレート、
２−プロピルヘプチルイソノニルシクロヘキサン−１，４−ジカルボキシレート、ｎ−デシルイソノニルシクロヘキサン−１，４−ジカルボキシレート、イソデシルイソノニルシクロヘキサン−１，４−ジカルボキシレート、ｎ−ウンデシルイソノニルシクロヘキサン−１，４−ジカルボキシレート、イソウンデシルイソノニルシクロヘキサン−１，４−ジカルボキシレート、ｎ−ドデシルイソノニルシクロヘキサン−１，４−ジカルボキシレート、イソドデシルイソノニルシクロヘキサン−１，４−ジカルボキシレート、ｎ−トリデシルイソノニルシクロヘキサン−１，４−ジカルボキシレート、イソトリデシルイソノニルシクロヘキサン−１，４−ジカルボキシレート、ｎ−デシル２−プロピルヘプチルシクロヘキサン−１，４−ジカルボキシレート、イソデシル２−プロピルヘプチルシクロヘキサン−１，４−ジカルボキシレート、ｎ−ウンデシル２−プロピルヘプチルシクロヘキサン−１，４−ジカルボキシレート、イソウンデシル２−プロピルヘプチルシクロヘキサン−１，４−ジカルボキシレート、ｎ−ドデシル２−プロピルヘプチルシクロヘキサン−１，４−ジカルボキシレート、イソドデシル２−プロピルヘプチルシクロヘキサン−１，４−ジカルボキシレート、ｎ−トリデシル２−プロピルヘプチルシクロヘキサン−１，４−ジカルボキシレート、イソトリデシル２−プロピルヘプチルシクロヘキサン−１，４−ジカルボキシレート、イソデシルｎ−デシルシクロヘキサン−１，４−ジカルボキシレート、ｎ−ウンデシルｎ−デシルシクロヘキサン−１，４−ジカルボキシレート、イソウンデシルｎ−デシルシクロヘキサン−１，４−ジカルボキシレート、ｎ−ドデシルｎ−デシルシクロヘキサン−１，４−ジカルボキシレート、イソドデシルｎ−デシルシクロヘキサン−１，４−ジカルボキシレート、ｎ−トリデシルｎ−デシルシクロヘキサン−１，４−ジカルボキシレート、イソトリデシルｎ−デシルシクロヘキサン−１，４−ジカルボキシレート、ｎ−ウンデシルイソデシルシクロヘキサン−１，４−ジカルボキシレート、イソウンデシルイソデシルシクロヘキサン−１，４−ジカルボキシレート、ｎ−ドデシルイソデシルシクロヘキサン−１，４−ジカルボキシレート、イソドデシルイソデシルシクロヘキサン−１，４−ジカルボキシレート、ｎ−トリデシルイソデシルシクロヘキサン−１，４−ジカルボキシレート、イソトリデシルイソデシルシクロヘキサン−１，４−ジカルボキシレート、イソウンデシルｎ−ウンデシルシクロヘキサン−１，４−ジカルボキシレート、ｎ−ドデシルｎ−ウンデシルシクロヘキサン−１，４−ジカルボキシレート、イソドデシルｎ−ウンデシルシクロヘキサン−１，４−ジカルボキシレート、ｎ−トリデシルｎ−ウンデシルシクロヘキサン−１，４−ジカルボキシレート、イソトリデシルｎ−ウンデシルシクロヘキサン−１，４−ジカルボキシレート、ｎ−ドデシルイソウンデシルシクロヘキサン−１，４−ジカルボキシレート、イソドデシルイソウンデシルシクロヘキサン−１，４−ジカルボキシレート、ｎ−トリデシルイソウンデシルシクロヘキサン−１，４−ジカルボキシレート、イソトリデシルイソウンデシルシクロヘキサン−１，４−ジカルボキシレート、イソドデシルｎ−ドデシルシクロヘキサン−１，４−ジカルボキシレート、ｎ−トリデシルｎ−ドデシルシクロヘキサン−１，４−ジカルボキシレート、イソトリデシルｎ−ドデシルシクロヘキサン−１，４−ジカルボキシレート、ｎ−トリデシルイソドデシルシクロヘキサン−１，４−ジカルボキシレート、イソトリデシルイソドデシルシクロヘキサン−１，４−ジカルボキシレート、イソトリデシルｎ−トリデシルシクロヘキサン−１，４−ジカルボキシレート、メチルシクロヘキシルシクロヘキサン−１，４−ジカルボキシレート、エチルシクロヘキシルシクロヘキサン−１，４−ジカルボキシレート、ｎ−プロピルシクロヘキシルシクロヘキサン−１，４−ジカルボキシレート、イソプロピルシクロヘキシルシクロヘキサン−１，４−ジカルボキシレート、ｎ−ブチルシクロヘキシルシクロヘキサン−１，４−ジカルボキシレート、ｔｅｒｔ−ブチルシクロヘキシルシクロヘキサン−１，４−ジカルボキシレート、イソブチルシクロヘキシルシクロヘキサン−１，４−ジカルボキシレート、グリコールシクロヘキシルシクロヘキサン−１，４−ジカルボキシレート、ｎ−ヘキシルシクロヘキシルシクロヘキサン−１，４−ジカルボキシレート、イソヘキシルシクロヘキシルシクロヘキサン−１，４−ジカルボキシレート、ｎ−ヘプチルシクロヘキシルシクロヘキサン−１，４−ジカルボキシレート、イソヘプチルシクロヘキシルシクロヘキサン−１，４−ジカルボキシレート、ｎ−オクチルシクロヘキシルシクロヘキサン−１，４−ジカルボキシレート、イソオクチルシクロヘキシルシクロヘキサン−１，４−ジカルボキシレート、２−エチルヘキシルシクロヘキシルシクロヘキサン−１，４−ジカルボキシレート、ｎ−ノニルシクロヘキシルシクロヘキサン−１，４−ジカルボキシレート、イソノニルシクロヘキシルシクロヘキサン−１，４−ジカルボキシレート、２−プロピルヘプチルシクロヘキシルシクロヘキサン−１，４−ジカルボキシレート、ｎ−デシルシクロヘキシルシクロヘキサン−１，４−ジカルボキシレート、イソデシルシクロヘキシルシクロヘキサン−１，４−ジカルボキシレート、ｎ−ウンデシルシクロヘキシルシクロヘキサン−１，４−ジカルボキシレート、イソウンデシルシクロヘキシルシクロヘキサン−１，４−ジカルボキシレート、ｎ−ドデシルシクロヘキシルシクロヘキサン−１，４−ジカルボキシレート、イソドデシルシクロヘキシルシクロヘキサン−１，４−ジカルボキシレート、ｎ−トリデシルシクロヘキシルシクロヘキサン−１，４−ジカルボキシレート、イソトリデシルシクロヘキシルシクロヘキサン−１，４−ジカルボキシレート、メチルイソペンチルシクロヘキサン−１，４−ジカルボキシレート、エチルイソペンチルシクロヘキサン−１，４−ジカルボキシレート、ｎ−プロピルイソペンチルシクロヘキサン−１，４−ジカルボキシレート、イソプロピルイソペンチルシクロヘキサン−１，４−ジカルボキシレート、ｎ−ブチルイソペンチルシクロヘキサン−１，４−ジカルボキシレート、ｔｅｒｔ−ブチルイソペンチルシクロヘキサン−１，４−ジカルボキシレート、イソブチルイソペンチルシクロヘキサン−１，４−ジカルボキシレート、グリコールイソペンチルシクロヘキサン−１，４−ジカルボキシレート、ｎ−ヘキシルイソペンチルシクロヘキサン−１，４−ジカルボキシレート、イソヘキシルイソペンチルシクロヘキサン−１，４−ジカルボキシレート、ｎ−ヘプチルイソペンチルシクロヘキサン−１，４−ジカルボキシレート、イソヘプチルイソペンチルシクロヘキサン−１，４−ジカルボキシレート、ｎ−オクチルイソペンチルシクロヘキサン−１，４−ジカルボキシレート、イソオクチルイソペンチルシクロヘキサン−１，４−ジカルボキシレート、２−エチルヘキシルイソペンチルシクロヘキサン−１，４−ジカルボキシレート、ｎ−ノニルイソペンチルシクロヘキサン−１，４−ジカルボキシレート、イソノニルイソペンチルシクロヘキサン−１，４−ジカルボキシレート、２−プロピルヘプチルイソペンチルシクロヘキサン−１，４−ジカルボキシレート、ｎ−デシルイソペンチルシクロヘキサン−１，４−ジカルボキシレート、イソデシルイソペンチルシクロヘキサン−１，４−ジカルボキシレート、ｎ−ウンデシルイソペンチルシクロヘキサン−１，４−ジカルボキシレート、イソウンデシルイソペンチルシクロヘキサン−１，４−ジカルボキシレート、ｎ−ドデシルイソペンチルシクロヘキサン−１，４−ジカルボキシレート、イソドデシルイソペンチルシクロヘキサン−１，４−ジカルボキシレート、ｎ−トリデシルイソペンチルシクロヘキサン−１，４−ジカルボキシレート、イソトリデシルイソペンチルシクロヘキサン−１，４−ジカルボキシレート、メチルｎ−ペンチルシクロヘキサン−１，４−ジカルボキシレート、エチルｎ−ペンチルシクロヘキサン−１，４−ジカルボキシレート、ｎ−プロピルｎ−ペンチルシクロヘキサン−１，４−ジカルボキシレート、イソプロピルｎ−ペンチルシクロヘキサン−１，４−ジカルボキシレート、ｎ−ブチルｎ−ペンチルシクロヘキサン−１，４−ジカルボキシレート、ｔｅｒｔ−ブチルｎ−ペンチルシクロヘキサン−１，４−ジカルボキシレート、イソブチルｎ−ペンチルシクロヘキサン−１，４−ジカルボキシレート、グリコールｎ−ペンチルシクロヘキサン−１，４−ジカルボキシレート、ｎ−ヘキシルｎ−ペンチルシクロヘキサン−１，４−ジカルボキシレート、イソヘキシルｎ−ペンチルシクロヘキサン−１，４−ジカルボキシレート、ｎ−ヘプチルｎ−ペンチルシクロヘキサン−１，４−ジカルボキシレート、イソヘプチルｎ−ペンチルシクロヘキサン−１，４−ジカルボキシレート、ｎ−オクチルｎ−ペンチルシクロヘキサン−１，４−ジカルボキシレート、イソオクチルｎ−ペンチルシクロヘキサン−１，４−ジカルボキシレート、２−エチルヘキシルｎ−ペンチルシクロヘキサン−１，４−ジカルボキシレート、ｎ−ノニルｎ−ペンチルシクロヘキサン−１，４−ジカルボキシレート、イソノニルｎ−ペンチルシクロヘキサン−１，４−ジカルボキシレート、２−プロピルヘプチルｎ−ペンチルシクロヘキサン−１，４−ジカルボキシレート、ｎ−デシルｎ−ペンチルシクロヘキサン−１，４−ジカルボキシレート、イソデシルｎ−ペンチルシクロヘキサン−１，４−ジカルボキシレート、ｎ−ウンデシルｎ−ペンチルシクロヘキサン−１，４−ジカルボキシレート、イソウンデシルｎ−ペンチルシクロヘキサン−１，４−ジカルボキシレート、ｎ−ドデシルｎ−ペンチルシクロヘキサン−１，４−ジカルボキシレート、イソドデシルｎ−ペンチルシクロヘキサン−１，４−ジカルボキシレート、ｎ−トリデシルｎ−ペンチルシクロヘキサン−１，４−ジカルボキシレート、イソトリデシルｎ−ペンチルシクロヘキサン−１，４−ジカルボキシレートとの混合エステル；
アルキルシクロヘキサン−１，３−ジカルボキシレート、例えば、モノメチルシクロヘキサン−１，３−ジカルボキシレート、ジメチルシクロヘキサン−１，３−ジカルボキシレート、ジエチルシクロヘキサン−１，３−ジカルボキシレート、ジ−ｎ−プロピルシクロヘキサン−１，３−ジカルボキシレート、ジ−ｎ−ブチルシクロヘキサン−１，３−ジカルボキシレート、ジ−ｔｅｒｔ−ブチルシクロヘキサン−１，３−ジカルボキシレート、ジイソブチルシクロヘキサン−１，３−ジカルボキシレート、モノグリコールシクロヘキサン−１，３−ジカルボキシレート、ジグリコールシクロヘキサン−１，３−ジカルボキシレート、ジ−ｎ−オクチルシクロヘキサン−１，３−ジカルボキシレート、ジイソオクチルシクロヘキサン−１，３−ジカルボキシレート、ジ−２−エチルヘキシルシクロヘキサン−１，３−ジカルボキシレート、ジ−ｎ−ノニルシクロヘキサン−１，３−ジカルボキシレート、ジイソノニルシクロヘキサン−１，３−ジカルボキシレート、ジ−ｎ−デシルシクロヘキサン−１，３−ジカルボキシレート、ジイソデシルシクロヘキサン−１，３−ジカルボキシレート、ジ−ｎ−ウンデシルシクロヘキサン−１，３−ジカルボキシレート、ジイソドデシルシクロヘキサン−１，３−ジカルボキシレート、ジ−ｎ−オクタデシルシクロヘキサン−１，３−ジカルボキシレート、ジイソオクタデシルシクロヘキサン−１，３−ジカルボキシレート、ジ−ｎ−エイコシルシクロヘキサン−１，３−ジカルボキシレート、モノシクロヘキシルシクロヘキサン−１，３−ジカルボキシレート、ジシクロヘキシルシクロヘキサン−１，３−ジカルボキシレート、ジイソプロピルシクロヘキサン−１，３−ジカルボキシレート、ジ−ｎ−ヘキシルシクロヘキサン−１，３−ジカルボキシレート、ジイソヘキシルシクロヘキサン−１，３−ジカルボキシレート、ジ−ｎ−ヘプチルシクロヘキサン−１，３−ジカルボキシレート、ジイソヘプチルシクロヘキサン−１，３−ジカルボキシレート、ジ−２−プロピルヘプチルシクロヘキサン−１，３−ジカルボキシレート、ジイソウンデシルシクロヘキサン−１，３−ジカルボキシレート、ジ−ｎ−ドデシルシクロヘキサン−１，３−ジカルボキシレート、ジ−ｎ−トリデシルシクロヘキサン−１，３−ジカルボキシレート、ジイソトリデシルシクロヘキサン−１，３−ジカルボキシレート、ジ−ｎ−ペンチルシクロヘキサン−１，３−ジカルボキシレート、ジイソペンチルシクロヘキサン−１，３−ジカルボキシレート；
アルキルシクロヘキサン−１，２，４−トリカルボキシレート、例えば、モノメチルシクロヘキサン−１，２，４−トリカルボキシレート、ジメチルシクロヘキサン−１，２，４−トリカルボキシレート、ジエチルシクロヘキサン−１，２，４−トリカルボキシレート、ジ−ｎ−プロピルシクロヘキサン−１，２，４−トリカルボキシレート、ジイソプロピルシクロヘキサン−１，２，４−トリカルボキシレート、ジ−ｎ−ブチルシクロヘキサン−１，２，４−トリカルボキシレート、ジ−ｔｅｒｔ−ブチルシクロヘキサン−１，２，４−トリカルボキシレート、ジイソブチルシクロヘキサン−１，２，４−トリカルボキシレート、モノグリコールシクロヘキサン−１，２，４−トリカルボキシレート、ジグリコールシクロヘキサン−１，２，４−トリカルボキシレート、ジ−ｎ−オクチルシクロヘキサン−１，２，４−トリカルボキシレート、ジイソオクチルシクロヘキサン−１，２，４−トリカルボキシレート、ジ−２−エチルヘキシルシクロヘキサン−１，２，４−トリカルボキシレート、ジ−ｎ−ノニルシクロヘキサン−１，２，４−トリカルボキシレート、ジイソノニルシクロヘキサン−１，２，４−トリカルボキシレート、ジ−ｎ−デシルシクロヘキサン−１，２，４−トリカルボキシレート、ジイソデシルシクロヘキサン−１，２，４−トリカルボキシレート、ジ−ｎ−ウンデシルシクロヘキサン−１，２，４−トリカルボキシレート、ジイソドデシルシクロヘキサン−１，２，４−トリカルボキシレート、ジ−ｎ−オクタデシルシクロヘキサン−１，２，４−トリカルボキシレート、ジイソオクタデシルシクロヘキサン−１，２，４−トリカルボキシレート、ジ−ｎ−エイコシルシクロヘキサン−１，２，４−トリカルボキシレート、モノシクロヘキシルシクロヘキサン−１，２，４−トリカルボキシレート、ジシクロヘキシルシクロヘキサン−１，２，４−トリカルボキシレート及びトリメチルシクロヘキサン−１，２，４−トリカルボキシレート、トリエチルシクロヘキサン−１，２，４−トリカルボキシレート、トリ−ｎ−プロピルシクロヘキサン−１，２，４−トリカルボキシレート、トリ−ｎ−ブチルシクロヘキサン−１，２，４−トリカルボキシレート、トリ−ｔｅｒｔ−ブチルシクロヘキサン−１，２，４−トリカルボキシレート、トリイソブチルシクロヘキサン−１，２，４−トリカルボキシレート、トリグリコールシクロヘキサン−１，２，４−トリカルボキシレート、トリ−ｎ−オクチルシクロヘキサン−１，２，４−トリカルボキシレート、トリイソオクチルシクロヘキサン−１，２，４−トリカルボキシレート、トリ−２−エチルヘキシルシクロヘキサン−１，２，４−トリカルボキシレート、トリ−ｎ−ノニルシクロヘキサン−１，２，４−トリカルボキシレート、トリイソノニルシクロヘキサン−１，２，４−トリカルボキシレート、トリ−ｎ−デシルシクロヘキサン−１，２，４−トリカルボキシレート、トリイソドデシルシクロヘキサン−１，２，４−トリカルボキシレート、トリ−ｎ−ウンデシルシクロヘキサン−１，２，４−トリカルボキシレート、トリイソドデシルシクロヘキサン−１，２，４−トリカルボキシレート、トリ−ｎ−オクタデシルシクロヘキサン−１，２，４−トリカルボキシレート、トリイソオクタデシルシクロヘキサン−１，２，４−トリカルボキシレート、トリ−ｎ−エイコシルシクロヘキサン−１，２，４−トリカルボキシレート、トリシクロヘキシルシクロヘキサン−１，２，４−トリカルボキシレート、ジ−ｎ−ヘキシルシクロヘキサン−１，２，４−トリカルボキシレート、ジイソヘキシルシクロヘキサン−１，２，４−トリカルボキシレート、トリ−ｎ−ヘキシルシクロヘキサン−１，２，４−トリカルボキシレート、トリイソヘキシルシクロヘキサン−１，２，４−トリカルボキシレート、ジ−ｎ−ヘプチルシクロヘキサン−１，２，４−トリカルボキシレート、ジイソヘプチルシクロヘキサン−１，２，４−トリカルボキシレート、トリ−ｎ−ヘプチルシクロヘキサン−１，２，４−トリカルボキシレート、トリイソヘプチルシクロヘキサン−１，２，４−トリカルボキシレート、ジ−ｎ−ペンチルシクロヘキサン−１，２，４−トリカルボキシレート、ジイソペンチルシクロヘキサン−１，２，４−トリカルボキシレート、トリ−ｎ−ペンチルシクロヘキサン−１，２，４−トリカルボキシレート、トリイソペンチルシクロヘキサン−１，２，４−トリカルボキシレート、ジ−ｎ−トリデシルシクロヘキサン−１，２，４−トリカルボキシレート、ジイソトリデシルシクロヘキサン−１，２，４−トリカルボキシレート、トリ−ｎ−トリデシルシクロヘキサン−１，２，４−トリカルボキシレート、トリイソトリデシルシクロヘキサン−１，２，４−トリカルボキシレート、ジ−ｎ−ドデシルシクロヘキサン−１，２，４−トリカルボキシレート、ジイソウンデシルシクロヘキサン−１，２，４−トリカルボキシレート、トリ−ｎ−ドデシルシクロヘキサン−１，２，４−トリカルボキシレート、トリイソウンデシルシクロヘキサン−１，２，４−トリカルボキシレート、トリイソプロピルシクロヘキサン−１，２，４−トリカルボキシレート；
アルキルシクロヘキサン−１，３，５−トリカルボキシレート、例えば、モノメチルシクロヘキサン−１，３，５−トリカルボキシレート、ジメチルシクロヘキサン−１，３，５−トリカルボキシレート、ジエチルシクロヘキサン−１，３，５−トリカルボキシレート、ジ−ｎ−プロピルシクロヘキサン−１，３，５−トリカルボキシレート、ジ−ｎ−ブチルシクロヘキサン−１，３，５−トリカルボキシレート、ジ−ｔｅｒｔ−ブチルシクロヘキサン−１，３，５−トリカルボキシレート、ジイソブチルシクロヘキサン−１，３，５−トリカルボキシレート、モノグリコールシクロヘキサン−１，３，５−トリカルボキシレート、ジグリコールシクロヘキサン−１，３，５−トリカルボキシレート、ジ−ｎ−オクチルシクロヘキサン−１，３，５−トリカルボキシレート、ジイソオクチルシクロヘキサン−１，３，５−トリカルボキシレート、ジ−２−エチルヘキシルシクロヘキサン−１，３，５−トリカルボキシレート、ジ−ｎ−ノニルシクロヘキサン−１，３，５−トリカルボキシレート、ジイソノニルシクロヘキサン−１，３，５−トリカルボキシレート、ジ−ｎ−デシルシクロヘキサン−１，３，５−トリカルボキシレート、ジイソデシルシクロヘキサン−１，３，５−トリカルボキシレート、ジ−ｎ−ウンデシルシクロヘキサン−１，３，５−トリカルボキシレート、ジイソドデシルシクロヘキサン−１，３，５−トリカルボキシレート、ジ−ｎ−オクタデシルシクロヘキサン−１，３，５−トリカルボキシレート、ジイソオクタデシルシクロヘキサン−１，３，５−トリカルボキシレート、ジ−ｎ−エイコシルシクロヘキサン−１，３，５−トリカルボキシレート、モノシクロヘキシルシクロヘキサン−１，３，５−トリカルボキシレート、ジシクロヘキシルシクロヘキサン−１，３，５−トリカルボキシレート及びトリメチルシクロヘキサン−１，３，５−トリカルボキシレート、トリエチルシクロヘキサン−１，３，５−トリカルボキシレート、トリ−ｎ−プロピルシクロヘキサン−１，３，５−トリカルボキシレート、トリ−ｎ−ブチルシクロヘキサン−１，３，５−トリカルボキシレート、トリ−ｔｅｒｔ−ブチルシクロヘキサン−１，３，５−トリカルボキシレート、トリイソブチルシクロヘキサン−１，３，５−トリカルボキシレート、トリグリコールシクロヘキサン−１，３，５−トリカルボキシレート、トリ−ｎ−オクチルシクロヘキサン−１，３，５−トリカルボキシレート、トリイソオクチルシクロヘキサン−１，３，５−トリカルボキシレート、トリ−２−エチルヘキシルシクロヘキサン−１，３，５−トリカルボキシレート、トリ−ｎ−ノニルシクロヘキサン−１，３，５−トリカルボキシレート、トリイソノニルシクロヘキサン−１，３，５−トリカルボキシレート、トリ−ｎ−デシルシクロヘキサン−１，３，５−トリカルボキシレート、トリイソドデシルシクロヘキサン−１，３，５−トリカルボキシレート、トリ−ｎ−ウンデシルシクロヘキサン−１，３，５−トリカルボキシレート、トリイソドデシルシクロヘキサン−１，３．５−トリカルボキシレート、トリ−ｎ−オクタデシルシクロヘキサン−１，３，５−トリカルボキシレート、トリイソオクタデシルシクロヘキサン−１，３，５−トリカルボキシレート、トリ−ｎ−エイコシルシクロヘキサン−１，３，５−トリカルボキシレート、トリシクロヘキシルシクロヘキサン−１，３，５−トリカルボキシレート、ジ−ｎ−ヘキシルシクロヘキサン−１，３，５−トリカルボキシレート、ジイソヘキシルシクロヘキサン−１，３，５−トリカルボキシレート、トリ−ｎ−ヘキシルシクロヘキサン−１，３，５−トリカルボキシレート、トリイソヘキシルシクロヘキサン−１，３，５−トリカルボキシレート、ジ−ｎ−ヘプチルシクロヘキサン−１，３，５−トリカルボキシレート、ジイソヘプチルシクロヘキサン−１，３，５−トリカルボキシレート、トリ−ｎ−ヘプチルシクロヘキサン−１，３，５−トリカルボキシレート、トリイソヘプチルシクロヘキサン−１，３，５−トリカルボキシレート、ジ−ｎ−ペンチルシクロヘキサン−１，３，５−トリカルボキシレート、ジイソペンチルシクロヘキサン−１，３，５−トリカルボキシレート、トリ−ｎ−ペンチルシクロヘキサン−１，３，５−トリカルボキシレート、トリイソペンチルシクロヘキサン−１，３，５−トリカルボキシレート、ジ−ｎ−トリデシルシクロヘキサン−１，３，５−トリカルボキシレート、ジイソトリデシルシクロヘキサン−１，３，５−トリカルボキシレート、トリ−ｎ−トリデシルシクロヘキサン−１，３，５−トリカルボキシレート、トリイソトリデシルシクロヘキサン−１，３，５−トリカルボキシレート、ジ−ｎ−ドデシルシクロヘキサン−１，３，５−トリカルボキシレート、ジイソウンデシルシクロヘキサン−１，３，５−トリカルボキシレート、トリ−ｎ−ドデシルシクロヘキサン−１，３，５−トリカルボキシレート、トリイソウンデシルシクロヘキサン−１，３，５−トリカルボキシレート、トリイソプロピルシクロヘキサン−１，３，５−トリカルボキシレート；
アルキルシクロヘキサン−１，２，３−トリカルボキシレート、例えば、モノメチルシクロヘキサン−１，２，３−トリカルボキシレート、ジメチルシクロヘキサン−１，２，３−トリカルボキシレート、ジエチルシクロヘキサン−１，２，３−トリカルボキシレート、ジ−ｎ−プロピルシクロヘキサン−１，２，３−トリカルボキシレート、ジ−ｎ−ブチルシクロヘキサン−１，２，３−トリカルボキシレート、ジ−ｔｅｒｔ−ブチルシクロヘキサン−１，２，３−トリカルボキシレート、ジイソブチルシクロヘキサン−１，２，３−トリカルボキシレート、モノグリコールシクロヘキサン−１，２，３−トリカルボキシレート、ジグリコールシクロヘキサン−１，２，３−トリカルボキシレート、ジ−ｎ−オクチルシクロヘキサン−１，２，３−トリカルボキシレート、ジイソオクチルシクロヘキサン−１，２，３−トリカルボキシレート、ジ−２−エチルヘキシルシクロヘキサン−１，２，３−トリカルボキシレート、ジ−ｎ−ノニルシクロヘキサン−１，２，３−トリカルボキシレート、ジイソノニルシクロヘキサン−１，２，３−トリカルボキシレート、ジ−ｎ−デシルシクロヘキサン−１，２，３−トリカルボキシレート、ジイソデシルシクロヘキサン−１，２，３−トリカルボキシレート、ジ−ｎ−ウンデシルシクロヘキサン−１，２，３−トリカルボキシレート、ジイソドデシルシクロヘキサン−１，２，３−トリカルボキシレート、ジ−ｎ−オクタデシルシクロヘキサン−１，２，３−トリカルボキシレート、ジイソオクタデシルシクロヘキサン−１，２，３−トリカルボキシレート、ジ−ｎ−エイコシルシクロヘキサン−１，２，３−トリカルボキシレート、モノシクロヘキシルシクロヘキサン−１，２，３−トリカルボキシレート、ジシクロヘキシルシクロヘキサン−１，２，３−トリカルボキシレート及びトリメチルシクロヘキサン−１，２，３−トリカルボキシレート、トリエチルシクロヘキサン−１，２，３−トリカルボキシレート、トリ−ｎ−プロピルシクロヘキサン−１，２，３−トリカルボキシレート、トリ−ｎ−ブチルシクロヘキサン−１，２，３−トリカルボキシレート、トリ−ｔｅｒｔ−ブチルシクロヘキサン−１，２，３−トリカルボキシレート、トリイソブチルシクロヘキサン−１，２，３−トリカルボキシレート、トリグリコールシクロヘキサン−１，２，３−トリカルボキシレート、トリ−ｎ−オクチルシクロヘキサン−１，２，３−トリカルボキシレート、トリイソオクチルシクロヘキサン−１，２，３−トリカルボキシレート、トリ−２−エチルシクロヘキサン−１，２，３−トリカルボキシレート、トリ−ｎ−ノニルシクロヘキサン−１，２，３−トリカルボキシレート、トリイソノニルシクロヘキサン−１，２，３−トリカルボキシレート、トリ−ｎ−デシルシクロヘキサン−１，２，３−トリカルボキシレート、トリイソドデシルシクロヘキサン−１，２，３−トリカルボキシレート、トリ−ｎ−ウンデシルシクロヘキサン−１，２，３−トリカルボキシレート、トリイソドデシルシクロヘキサン−１，２，３−トリカルボキシレート、トリ−ｎ−オクタデシルシクロヘキサン−１，２，３−トリカルボキシレート、トリイソオクタデシルシクロヘキサン−１，２，３−トリカルボキシレート、トリ−ｎ−エイコシルシクロヘキサン−１，２，３−トリカルボキシレート、トリシクロヘキシルシクロヘキサン−１，２，３−トリカルボキシレート、ジ−ｎ−ヘキシルシクロヘキサン−１，２，３−トリカルボキシレート、ジイソヘキシルシクロヘキサン−１，２，３−トリカルボキシレート、トリ−ｎ−ヘキシルシクロヘキサン−１，２，３−トリカルボキシレート、トリイソヘキシルシクロヘキサン−１，２，３−トリカルボキシレート、ジ−ｎ−ヘプチルシクロヘキサン−１，２，３−トリカルボキシレート、ジイソヘプチルシクロヘキサン−１，２，３−トリカルボキシレート、トリ−ｎ−ヘプチルシクロヘキサン−１，２，３−トリカルボキシレート、トリイソヘプチルシクロヘキサン−１，２，３−トリカルボキシレート、ジ−ｎ−ペンチルシクロヘキサン−１，２，３−トリカルボキシレート、ジイソペンチルシクロヘキサン−１，２，３−トリカルボキシレート、トリ−ｎ−ペンチルシクロヘキサン−１，２，３−トリカルボキシレート、トリイソペンチルシクロヘキサン−１，２，３−トリカルボキシレート、ジ−ｎ−トリデシルシクロヘキサン−１，２，３−トリカルボキシレート、ジイソトリデシルシクロヘキサン−１，２，３−トリカルボキシレート、トリ−ｎ−トリデシルシクロヘキサン−１，２，３−トリカルボキシレート、トリイソトリデシルシクロヘキサン−１，２，３−トリカルボキシレート、ジ−ｎ−ドデシルシクロヘキサン−１，２，３−トリカルボキシレート、ジイソウンデシルシクロヘキサン−１，２，３−トリカルボキシレート、トリ−ｎ−ドデシルシクロヘキサン−１，２，３−トリカルボキシレート、トリイソウンデシルシクロヘキサン−１，２，３−トリカルボキシレート、トリイソプロピルシクロヘキサン−１，２，３−トリカルボキシレート；
アルキルシクロヘキサン−１，２，４，５−テトラカルボキシレート、例えば、モノメチルシクロヘキサン−１，２，４，５−テトラカルボキシレート、ジメチルシクロヘキサン−１，２，４，５−テトラカルボキシレート、ジエチルシクロヘキサン−１，２，４，５−テトラカルボキシレート、ジ−ｎ−プロピルシクロヘキサン−１，２，４，５−テトラカルボキシレート、ジ−ｎ−ブチルシクロヘキサン−１，２，４，５−テトラカルボキシレート、ジ−ｔｅｒｔ−ブチルシクロヘキサン−１，２，４，５−テトラカルボキシレート、ジイソブチルシクロヘキサン−１，２，４，５−テトラカルボキシレート、モノグリコールシクロヘキサン−１，２，４，５−テトラカルボキシレート、ジグリコールシクロヘキサン−１，２，４，５−テトラカルボキシレート、ジ−ｎ−オクチルシクロヘキサン−１，２，４，５−テトラカルボキシレート、ジイソオクチルシクロヘキサン−１，２，４，５−テトラカルボキシレート、ジ−２−エチルヘキシルシクロヘキサン−１，２，４，５−テトラカルボキシレート、ジ−ｎ−ノニルシクロヘキサン−１，２，４，５−テトラカルボキシレート、ジイソノニルシクロヘキサン−１，２，４，５−テトラカルボキシレート、ジ−ｎ−デシルシクロヘキサン−１，２，４，５−テトラカルボキシレート、ジイソデシルシクロヘキサン−１，２，４，５−テトラカルボキシレート、ジ−ｎ−ウンデシルシクロヘキサン−１，２，４，５−テトラカルボキシレート、ジイソドデシルシクロヘキサン−１，２，４，５−テトラカルボキシレート、ジ−ｎ−オクタデシルシクロヘキサン−１，２，４，５−テトラカルボキシレート、ジイソオクタデシルシクロヘキサン−１，２，４，５−テトラカルボキシレート、ジ−ｎ−エイコシルシクロヘキサン−１，２，４，５−テトラカルボキシレート、モノシクロヘキシルシクロヘキサン−１，２，４，５−テトラカルボキシレート、トリメチルシクロヘキサン−１，２，４，５−テトラカルボキシレート、トリエチルシクロヘキサン−１，２，４，５−テトラカルボキシレート、トリ−ｎ−プロピルシクロヘキサン−１，２，４，５−テトラカルボキシレート、トリ−ｎ−ブチルシクロヘキサン−１，２，４，５−テトラカルボキシレート、トリ−ｔｅｒｔ−ブチルシクロヘキサン−１，２，４，５−テトラカルボキシレート、トリイソブチルシクロヘキサン−１，２，４，５−テトラカルボキシレート、トリグリコールシクロヘキサン−１，２，４，５−テトラカルボキシレート、トリ−ｎ−オクチルシクロヘキサン−１，２，４，５−テトラカルボキシレート、トリイソオクチルシクロヘキサン−１，２，４，５−テトラカルボキシレート、トリ−２−エチルヘキシルシクロヘキサン−１，２，４，５−テトラカルボキシレート、トリ−ｎ−ノニルシクロヘキサン−１，２，４，５−テトラカルボキシレート、トリイソノニルシクロヘキサン−１，２，４，５−テトラカルボキシレート、トリ−ｎ−デシルシクロヘキサン−１，２，４，５−テトラカルボキシレート、トリイソドデシルシクロヘキサン−１，２，４，５−テトラカルボキシレート、トリ−ｎ−ウンデシルシクロヘキサン−１，２，４，５−テトラカルボキシレート、トリイソドデシルシクロヘキサン−１，２，４、５−テトラカルボキシレート、トリ−ｎ−オクタデシルシクロヘキサン−１，２，４，５−テトラカルボキシレート、トリイソオクタデシルシクロヘキサン−１，２，４，５−テトラカルボキシレート、トリ−ｎ−エイコシルシクロヘキサン−１，２，４，５−テトラカルボキシレート、トリシクロヘキシルシクロヘキサン−１，２，４，５−テトラカルボキシレート、そして、テトラメチルシクロヘキサン−１，２，４，５−テトラカルボキシレート、テトラエチルシクロヘキサン−１，２，４，５−テトラカルボキシレート、テトラ−ｎ−プロピルシクロヘキサン−１，２，４，５−テトラカルボキシレート、テトラ−ｎ−ブチルシクロヘキサン−１，２，４，５−テトラカルボキシレート、テトラ−ｔｅｒｔ−ブチルシクロヘキサン−１，２，４，５−テトラカルボキシレート、テトライソブチルシクロヘキサン−１，２，４，５−テトラカルボキシレート、テトラグリコールシクロヘキサン−１，２，４，５−テトラカルボキシレート、テトラ−ｎ−オクチルシクロヘキサン−１，２，４，５−テトラカルボキシレート、テトライソオクチルシクロヘキサン−１，２，４，５−テトラカルボキシレート、テトラ−２−エチルヘキシルシクロヘキサン−１，２，４，５−テトラカルボキシレート、テトラ−ｎ−ノニルシクロヘキサン−１，２，４，５−テトラカルボキシレート、テトライソノニルシクロヘキサン−１，２，４，５−テトラカルボキシレート、テトラ−ｎ−デシルシクロヘキサン−１，２，４，５−テトラカルボキシレート、テトライソデシルシクロヘキサン−１，２，４，５−テトラカルボキシレート、テトライソドデシルシクロヘキサン−１，２，４，５−テトラカルボキシレート、テトラ−ｎ−ウンデシルシクロヘキサン−１，２，４，５−テトラカルボキシレート、テトラ−ｎ−オクタデシルシクロヘキサン−１，２，４，５−テトラカルボキシレート、テトライソオクタデシルシクロヘキサン−１，２，４，５−テトラカルボキシレート、テトラ−ｎ−エイコシルシクロヘキサン−１，２，４，５−テトラカルボキシレート、テトラシクロヘキシルシクロヘキサン−１，２，４，５−テトラカルボキシレート、ジ−ｎ−ヘキシルシクロヘキサン−１，２，４，５−テトラカルボキシレート、ジイソヘキシルシクロヘキサン−１，２，４，５−テトラカルボキシレート、トリ−ｎ−ヘキシルシクロヘキサン−１，２，４，５−テトラカルボキシレート、トリイソヘキシルシクロヘキサン−１，２，４，５−テトラカルボキシレート、ジ−ｎ−ヘプチルシクロヘキサン−１，２，４，５−テトラカルボキシレート、ジイソヘプチルシクロヘキサン−１，２，４，５−テトラカルボキシレート、トリ−ｎ−ヘプチルシクロヘキサン−１，２，４，５−テトラカルボキシレート、トリイソヘプチルシクロヘキサン−１，２，４，５−テトラカルボキシレート、ジ−ｎ−ペンチルシクロヘキサン−１，２，４，５−テトラカルボキシレート、ジイソペンチルシクロヘキサン−１，２，４，５−テトラカルボキシレート、トリ−ｎ−ペンチルシクロヘキサン−１，２，４，５−テトラカルボキシレート、トリイソペンチルシクロヘキサン−１，２，４，５−テトラカルボキシレート、ジ−ｎ−トリデシルシクロヘキサン−１，２，４，５−テトラカルボキシレート、ジイソトリデシルシクロヘキサン−１，２，４，５−テトラカルボキシレート、トリ−ｎ−トリデシルシクロヘキサン−１，２，４，５−テトラカルボキシレート、トリイソトリデシルシクロヘキサン−１，２，４，５−テトラカルボキシレート、ジ−ｎ−ドデシルシクロヘキサン−１，２，４，５−テトラカルボキシレート、ジイソウンデシルシクロヘキサン−１，２，４，５−テトラカルボキシレート、トリ−ｎ−ドデシルシクロヘキサン−１，２，４，５−テトラカルボキシレート、トリイソウンデシルシクロヘキサン−１，２，４，５−テトラカルボキシレート、トリイソプロピルシクロヘキサン−１，２，４，５−テトラカルボキシレート、テトラ−ｎ−ヘキシルシクロヘキサン−１，２，４，５−テトラカルボキシレート、テトライソヘキシルシクロヘキサン−１，２，４，５−テトラカルボキシレート、テトラ−ｎ−ヘプチルシクロヘキサン−１，２，４，５−テトラカルボキシレート、テトライソヘプチルシクロヘキサン−１，２，４，５−テトラカルボキシレート、テトラ−ｎ−ペンチルシクロヘキサン−１，２，４，５−テトラカルボキシレート、テトライソペンチルシクロヘキサン−１，２，４，５−テトラカルボキシレート、テトラ−ｎ−トリデシルシクロヘキサン−１，２，４，５−テトラカルボキシレート、テトライソトリデシルシクロヘキサン−１，２，４，５−テトラカルボキシレート、テトラ−ｎ−ドデシルシクロヘキサン−１，２，４，５−テトラカルボキシレート、テトライソウンデシルシクロヘキサン−１，２，４，５−テトラカルボキシレート、テトライソプロピルシクロヘキサン−１，２，４，５−テトラカルボキシレートが特に好ましい。
【００１６】
シクロヘキサン−１，２−ジカルボン酸、シクロヘキサン−１，２，４−トリカルボン酸、シクロヘキサン−１，２，３−トリカルボン酸及びシクロヘキサン−１，２，４，５−テトラカルボン酸の無水物。
【００１７】
更に、ＷＯ９９／３２４２７に開示され、且つ以下で再度列挙されるシクロヘキサン−１，２−ジカルボキシルエステルも、本発明の文脈において適切である。
シクロヘキサン−１，２−ジカルボン酸とＣ1〜Ｃ13−アルコールとの混合エステル；ケミカルアブストラクツ登録番号（以下ではＣＡＳ番号）８４７７７−０６−０を有するジイソペンチルフタレートの水素化によって入手可能であるジイソペンチルシクロヘキサン−１，２−ジカルボキシレート；
ＣＡＳ番号７１８８８−８９−６を有するジイソヘプチルフタレートの水素化によって入手可能であるジイソヘプチルシクロヘキサン−１，２−ジカルボキシレート；
ＣＡＳ番号６８５１５−４８−０を有するフタル酸ジイソノニルの水素化によって入手可能であるジイソノニルシクロヘキサン−１，２−ジカルボキシレート；
ｎ−ブテンに基づいた、ＣＡＳ番号２８５５３−１２−０を有するフタル酸ジイソノニルの水素化によって入手可能であるジイソノニルシクロヘキサン−１，２−ジカルボキシレート；
イソブテンに基づいた、ＣＡＳ番号２８５５３−１２−０を有するフタル酸ジイソノニルの水素化によって入手可能であるジイソノニルシクロヘキサン−１，２−ジカルボキシレート；
ＣＡＳ番号６８５１５−４６−８を有するフタル酸ジノニルの水素化によって入手可能であるシクロヘキサンジカルボン酸の１，２−ジ−Ｃ9−エステル；
ＣＡＳ番号６８５１５−４９−１を有するフタル酸ジイソデシルの水素化によって入手可能であるジイソデシルシクロヘキサン−１，２−ジカルボキシレート；
ＣＡＳ番号６８５１５−４２−４を有する対応するフタル酸エステルの水素化によって入手可能であるシクロヘキサンジカルボン酸の１，２−ジ−Ｃ7-11−エステル；
以下のＣＡＳ番号
１１１  ３８１−８９−６、
１１１  ３８１  ９０−９、
１１１  ３８１  ９１−０、
６８５１５−４４−６、
６８５１５−４５−７及び
３６４８−２０−２
を有するジ−Ｃ7-11フタレートの水素化によって入手可能であるシクロヘキサンジカルボン酸の１，２−ジ−Ｃ7-11−エステル；
ＣＡＳ番号９８５１５−４３−６を有するジ−Ｃ9-11−フタレートの水素化によって入手可能であるシクロヘキサンジカルボン酸の１，２−ジ−Ｃ9-11−エステル；
ジ（２−プロピルヘプチル）フタレートを主に含むフタル酸ジイソデシルの水素化によって入手可能であるジイソデシルシクロヘキサン−１，２−ジカルボキシレート；
分枝状又は直鎖状Ｃ7-9−アルキルエステル基を有する対応するフタル酸エステルの水素化によって入手可能である１，２−ジ−Ｃ7-9−シクロヘキサンジカルボン酸エステル；例えば出発材料として使用され得る対応するフタレートは、以下のＣＡＳ番号：
ＣＡＳ番号１１１  ３８１−８９−６を有するジ−Ｃ7,9−アルキルフタレート；
ＣＡＳ番号６８５１５−４４−６を有するジ−Ｃ7−アルキルフタレート；及び
ＣＡＳ番号６８５１５−４５−７を有するジ−Ｃ9−アルキルフタレート
を有する。
【００１８】
とりわけ上で列挙したこれらの化合物とマクロ細孔を有する特定の触媒を用いたシクロヘキサンポリカルボン酸の製造とに関するＷＯ９９／３２４２７の内容は、参照により本発明に完全に組み込まれる。
【００１９】
本発明によれば、ＤＥ−Ａ１００３２５８０．７に記載されているようにＣ10−及びＣ13−アルコールとのフタル酸混合エステルの水素化生成物を使用することもできる。
【００２０】
更に、商品名Ｊａｙｆｌｅｘ  ＤＩＮＰ（ＣＡＳ番号６８５１５−４８−０）、Ｊａｙｆｌｅｘ  ＤＩＤＰ（ＣＡＳ番号６８５１５−４９−１）、Ｐａｌａｔｉｎｏｌ９−Ｐ、Ｖｅｓｔｉｎｏｌ９（ＣＡＳ番号２８５５３−１２−０）、ＴＯＴＭ−Ｉ（ＣＡＳ番号３３１９−３１−１）、Ｌｉｎｐｌａｓｔ６８−ＴＭ、Ｐａｌａｔｉｎｏｌ  Ｎ（ＣＡＳ番号２８５５３−１２−０）、Ｊａｙｆｌｅｘ  ＤＨＰ（ＣＡＳ番号６８５１５−５０−４）、Ｊａｙｆｌｅｘ  ＤＩＯＰ（ＣＡＳ番号２７５５４−２６−３）、Ｊａｙｆｌｅｘ  ＵＤＰ（ＣＡＳ番号６８５１５−４７−９）、Ｊａｙｆｌｅｘ  ＤＩＵＰ（ＣＡＳ番号８５５０７−７９−５）、Ｊａｙｆｌｅｘ  ＤＴＤＰ（ＣＡＳ番号６８５１５−４７−９）、Ｊａｙｆｌｅｘ  Ｌ９Ｐ（ＣＡＳ番号６８５１５−４５−７）、Ｊａｙｆｌｅｘ  Ｌ９１１Ｐ（ＣＡＳ番号６８５１５−４３−５）、Ｊａｙｆｌｅｘ  Ｌ１１Ｐ（ＣＡＳ番号３６４８−２０−２）、Ｗｉｔａｍｏｌ１１０（ＣＡＳ番号９０１９３−９１−２）、Ｗｉｔａｍｏｌ１１８（ジ−ｎ−Ｃ8〜Ｃ10−アルキルフタレート）、Ｕｎｉｍｏｌｌ  ＢＢ（ＣＡＳ番号８５−６８−７）、Ｌｉｎｐｌａｓｔ１０１２ＢＰ（ＣＡＳ番号９０１９３−９２−３）、Ｌｉｎｐｌａｓｔ１３ＸＰ（ＣＡＳ番号２７２５３−２６−５）、Ｌｉｎｐｌａｓｔ６１０Ｐ（ＣＡＳ番号６８５１５−５１−５）、Ｌｉｎｐｌａｓｔ６８ＦＰ（ＣＡＳ番号６８６４８−９３−１）及びＬｉｎｐｌａｓｔ８１２ＨＰ（ＣＡＳ番号７０６９３−３０−０）、Ｐａｌａｔｉｎｏｌ  ＡＨ（ＣＡＳ番号１１７−８１−７）、Ｐａｌａｔｉｎｏｌ７１１（ＣＡＳ番号６８５１５−４２−４）、Ｐａｌａｔｉｎｏｌ９１１（ＣＡＳ番号６８５１５−４３−５）、Ｐａｌａｔｉｎｏｌ１１（ＣＡＳ番号３６４８−２０−２）、Ｐａｌａｔｉｎｏｌ  Ｚ（ＣＡＳ番号２６７６１−４０−０）及びＰａｌａｔｉｎｏｌ  ＤＩＰＰ（ＣＡＳ番号８４７７７−０６−０）を有する市販のベンゼンカルボン酸エステルの水素化生成物も、本発明の文脈において適切であると考えるべきである。
【００２１】
特に好ましい接着剤及びシーラントは、１，２−シクロヘキサンジカルボン酸のジアルキルエステルを含む。１〜１３Ｃ原子を有する直鎖状若しくは分枝状アルキル基又は前記アルキル基の混合物は、エステル基Ｒとして好ましい。８〜１０Ｃ原子を有する直鎖状若しくは分枝状アルキル基又は前記アルキル基の混合物は、エステル基Ｒとして特に好ましい。９Ｃ原子を有するアルキル基は、エステル基Ｒとして非常に特に好ましい。
【００２２】
本発明によるシクロヘキサンポリカルボン酸誘導体は、先行技術から既知の可塑剤から区別され、同等又はより良好な性能特性によって接着剤及びシーラント用であることが意図される。従って、製造された接着剤及びシーラントは、特により良好な伸展性を有する。この結果、本発明による接着剤及びシーラントは、引張強度及び接着性に対する厳しい要件と共に迅速な硬化を必要とし且つ伸展性に対して厳しい要件を課す多くの適用に適切である。
【００２３】
シクロヘキサンポリカルボン酸誘導体の製造は、好ましくは、ＷＯ９９／３２４２７に開示されている方法によって行われる。この方法は、ベンゼンポリカルボン酸若しくはその誘導体又はそれらの内の２種以上の混合物を、支持体（その支持体はマクロ細孔を有する）に塗布された、活性金属として元素の周期律表のＶＩＩＩ族の少なくとも１種の金属を単独で又は元素の周期律表のＩ族若しくはＶＩＩ族の少なくとも１種の金属と一緒に含む触媒の存在下で水素を含むガスと接触させることによる、ベンゼンポリカルボン酸若しくはその誘導体又はそれらの内の２種以上の混合物の水素化を含む。
【００２４】
好ましい実施形態において、前記支持体は、少なくとも５０ｎｍの平均細孔径及び３０ｍ2／ｇ以下のＢＥＴ表面積を有し、活性金属の量は、触媒の総質量に対して０．０１〜３０質量％である。
【００２５】
更なる実施形態において、活性金属の量が、触媒の総質量に対して０．０１〜３０質量％であり、支持体の細孔容積の１０〜５０％が、５０ｎｍ〜１００００ｎｍの範囲の細孔径を有するマクロ細孔によって形成され、支持体の細孔容積の５０〜９０％が、２〜５０ｎｍの範囲の細孔径を有するメソ細孔によって形成され、細孔容積の割合の合計が１００％である触媒が使用される。
【００２６】
更なる実施形態において、触媒は、支持体に塗布された、触媒の総質量に対して０．０１〜３０質量％の活性金属を有し、その支持体は、少なくとも０．１μｍの平均細孔径及び１５ｍ2／ｇ以下のＢＥＴ表面積を有する。使用され得る支持体は、原則として、マクロ細孔を有する全ての支持体、即ち、マクロ細孔だけを有する支持体、並びにマクロ細孔に加えてメソ細孔及び／又はミクロ細孔をも含む支持体である。
【００２７】
原則として、元素の周期律表のＶＩＩＩ族の全ての金属を活性金属として使用することができる。好ましくは、白金、ロジウム、パラジウム、コバルト、ニッケル若しくはルテニウム又はそれらの内の２種以上の混合物が活性金属として使用され、特にルテニウムが活性金属として使用される。元素の周期律表のＩ若しくはＶＩＩ族又はＩ及びＶＩＩ族の金属の中で、それらの全てを原則として同様に使用することができるが、好ましくは銅及び／又はレニウムが用いられる。
【００２８】
本発明の文脈において、「マクロ細孔」及び「メソ細孔」という用語は、Ｐｕｒｅ  Ａｐｐｌ．Ｃｈｅｍ．，４５，ｐａｇｅ７９（１９７６）において定義される様式において、即ち、直径が５０ｎｍ超（マクロ細孔）であるか又は直径が２ｎｍ〜５０ｎｍの間（メソ細孔）である細孔として使用される。
【００２９】
活性金属の含有率は、いずれの場合も使用される触媒の総質量に対して、一般に０．０１〜３０質量％、好ましくは０．０１〜５質量％、特に好ましくは０．１〜５質量％である。
【００３０】
使用される「ベンゼンポリカルボン酸又はその誘導体」という用語は、それ自体全てのベンゼンポリカルボン酸、例えば、フタル酸、イソフタル酸、テレフタル酸、トリメリト酸、トリメシン酸、ヘミメリト酸及びピロメリト酸並びにそれらの誘導体、モノ−、ジ−、トリ−及びテトラエステル、特にアルキルエステル、並びに特に述べられている無水物を含む。それらの酸のアルキルエステルが好ましく、前記アルキル基は、好ましくは上で定義された基Ｒである。
【００３１】
好ましくは使用されるアルキルベンゼンポリカルボキシレートは、一般に、ベンゼンポリカルボン酸とそれらのエステルのアルキル基に対応するアルコールとを反応させることによって製造される。ベンゼンポリカルボン酸と対応するアルコールとの反応に適切な反応条件は、当業者に周知である。
【００３２】
記載したシクロヘキサンポリカルボン酸誘導体の他に、本発明による方法によって入手可能であるシクロヘキサンポリカルボン酸誘導体混合物（同じ分子量の非常に高い割合のアルカンを有するイソアルカン混合物）は、接着剤及びシーラントの適用にも適切である。これらとしては、９５質量％以上、好ましくは少なくとも９６質量％、特に少なくとも９７質量％の同じ分子量のシクロヘキサンポリカルボン酸誘導体を有するシクロヘキサンポリカルボン酸誘導体混合物が挙げられる。
【００３３】
本明細書の更なる対象は、シリル化ポリウレタン、シリル化ポリ尿素、シリル化ポリエーテル、シリル化ポリスルフィド及びシリル末端アクリレートから成る群から選択される少なくとも（Ａ）１種の化合物と（Ｂ）１種のシクロヘキサンポリカルボン酸誘導体とを含む接着剤又はシーラントであって、成分（Ｂ）は、以下の方法
ａ）式ＩＩ
【化２】
2012511071.tif 000003
［式中、
Ｒ1は、Ｃ1〜Ｃ10−アルキル又はＣ3〜Ｃ8−シクロアルキルを示し、
ｍは、０、１、２又は３を示し、及び
ｎは、２、３又は４を示す］のベンゼンポリカルボン酸と、式
Ｒ−ＯＨ
［式中、
Ｒは、Ｃ1〜Ｃ30−アルキル、好ましくはＣ1〜Ｃ20−アルキル、特に好ましくはＣ1〜Ｃ18−アルキル、非常に特に好ましくはＣ1〜Ｃ13−アルキルを示す］の１種以上のアルコールとのエステル化
によって製造可能であり、式ＩＩＩ
【化３】
2012511071.tif 000004
のベンゼンポリカルボン酸エステルが得られるが、
ｂ）式ＩＩＩのベンゼンポリカルボン酸エステルの水素化を行って、対応するシクロヘキサンポリカルボン酸エステルが得られる。
【００３４】
Ｒ1、ｍ、ｎ及びＲの好ましい実施形態は、式Ｉによるシクロヘキサンポリカルボン酸エステルに関して上で述べられる。
【００３５】
式ＩＩＩ（ステップｂ））のベンゼンポリカルボン酸エステルの水素化の好ましい一実施形態は、上で述べられる。
【００３６】
好ましく使用されるベンゼンポリカルボン酸は、フタル酸、イソフタル酸、テレフタル酸、トリメリト酸、トリメシン酸、ヘミメリト酸及びピロメリト酸である。フタル酸が、非常に特に好ましく使用される。上述した酸は、市販されている。
【００３７】
好ましく使用されるアルコールは、式Ｉのシクロヘキサンポリカルボン酸誘導体の基Ｒに対応するアルコールである。従って、好ましくは、Ｃ1〜Ｃ13−アルキル基を有する直鎖状又は分枝状アルコールが使用される。ベンゼンポリカルボン酸とのエステル化のために使用されるアルコールは、いずれの場合も、アルコールの個々の異性体（それらの異性体は、上述した基Ｒに対応する）であってよく、又は同じ炭素原子数を有する異性体アルキル基を有する異なるアルコールの混合物であってよく、及び／又は異なる炭素原子数を有する異なるアルコールの混合物であってよい。
【００３８】
ベンゼンポリカルボン酸との反応に適切なアルコール又はアルコール混合物は、当業者に既知の全ての方法によって製造され得る。アルコールの製造のための適切な方法又はアルコールの製造において使用される方法ステップは、例えば、
−  例えば、ＷＯ９２／１３８１８、ＤＥ−Ａ２００９５０５、ＤＥ−Ａ１９９２４３３９、ＥＰ−Ａ１１１３０３４、ＷＯ００／６３１５１、ＷＯ９９／２５６６８、ＪＰ−Ａ１１６０９２８、ＪＰ−Ａ０３０８３９３５、ＪＰ−Ａ２０００／０５３８０３、ＥＰ−Ａ０２７８４０７、ＥＰ−Ａ１１７８０２９、ＦＲ−Ａ１３０４１４４、ＪＰ−Ａ３０４４３４０、ＪＰ−Ａ３０４４３４１、ＪＰ−Ａ３０４４３４２、ＪＰ−Ａ０４０３６２５１、ＧＢ−Ａ７２１，５４０、ＤＥ−Ａ１９５３０４１４、ＪＰ−Ａ２００１／０４９０２９、ＵＳ２，７８１，３９６、ＵＳ３，０９４，５６４、ＦＲ−Ａ１３２４８７３、ＪＰ−Ａ０８１６９８５４、ＵＳ３，１５３，６７３、ＵＳ３，１２７，４５１、ＵＳ１，８２８，３４４、ＷＯ２００３／６６６４２、ＷＯ２００３／１８９１２、ＥＰ−Ａ０４２４７６７、ＷＯ２００２／６８３６９、ＥＰ−Ａ０３６６０８９、ＪＰ−Ａ２００１／００２８２９、ＤＥ−Ａ１００３５６１７、ＤＥ−Ａ１９９５５５９３、ＷＯ２００２／００５８０、ＥＰ−Ａ０６４３０３１、ＵＳ２，８７６，２６４、ＪＰ−Ａ２０００／３１９４４４及びＤＥ−Ａ１００３２５８０に開示されている通りのヒドロホルミル化と結果として生じるアルデヒドの後続の水素化；
−  例えば、ＤＥ−Ａ１０２５１３１１、ＪＰ−Ａ０５１９４７６１、ＵＳ３，２７２，８７３、ＤＥ−Ａ３１５１０８６、ＪＰ−Ａ２００１／３２２９５９、ＷＯ９８／０３４６２及びＥＰ−Ａ０６０３６３０に開示されている通りのアルドール生成物の水素化；
−  例えば、ＵＳ５，１３６，１０８、ＥＰ−Ａ０３２５１４４、ＥＰ−Ａ０３２５１４３、ＤＥ−Ａ１００５０６２７、ＵＳ４，９８２，０２２、ＧＢ−Ａ２，１８７，７４１、ＤＥ−Ａ３６２８００８、ＵＳ３，２７７，１９１、ＪＰ−Ａ２０００／１９１５６６、ＤＥ−Ａ８５４３７７、ＤＥ−Ａ３８０１２７５、ＤＥ−Ａ３９２５２１７、ＪＰ−Ａ０６３２１８２８、ＪＰ−Ａ０２０８８５３６、ＪＰ−Ａ０６２８７１５６、ＪＰ−Ａ０６２８７１５５、ＪＰ−Ａ５４１４１７１２、ＪＰ−Ａ０８２８３１８６、ＪＰ−Ａ０９２６３５５８及びＵＳ４，６８４，７５１に開示されている通りのアルケンの水和；
−  例えば、ＵＳ５，４６３，１４３、ＵＳ５，４７５，１５９、ＷＯ９４／１０１１２、ＣＡ２，３１４，６９０、ＷＯ９４／０６７３８、ＪＰ−Ａ０６０６５１２５及びＵＳ３，３６１，８３２に開示されている通りのカルボン酸及びカルボン酸エステル、特に脂肪酸及び脂肪酸エステルの水素化；
−  例えば、ＥＰ−Ａ０３９４８４２、ＤＥ−Ａ１２６９６０５、ＷＯ８８／０５７６７、ＦＲ−Ａ１，５９５，０１３、ＥＰ−Ａ０３２６６７４、ＢＥ−Ａ７５６８７７、ＢＥ−Ａ７５７５６１、ＤＥ−Ａ１２７７２３２、ＦＲ−Ａ１，４９９，０４１及びＤＥ−Ａ１２７６６２０に開示されている通りの不飽和アルコール又はカルボニル化合物の水素化；
−  例えば、ＦＲ−Ａ１，５０８，９３９、ＧＢ−Ａ８７９８０３及びＤＥ−Ａ１０７８１０６に開示されている通りのエポキシドの水素化；
−  例えば、ＥＰ−Ａ０３３０９９９、ＤＥ−Ａ１１３８７５１、ＵＳ５，９０８，８０７、ＮＥ−６，６０３，８８４及びＵＳ３，０９１，６２８に開示されている通りのテロメル化ステップを含む方法、
−  例えば、ＤＥ−Ａ４２２８８８７に開示されている通りの異性化ステップを含む方法；
−  例えば、ＧＢ−Ａ１，１６５，３０９に開示されている通りのスルフェートの加水分解；
−  例えば、ＤＥ−Ａ４４３１５２８に開示されている通りのジエンとアミンとの反応；
−  例えば、ＷＯ９３／２４６４４に開示されている通りのアルコールの酵素的製造；
−  例えば、ＵＳ３，２０３，９９８、ＤＥ−Ａ２１４１１８６、ＧＢ−Ａ２，０９３，０２５、ＪＰ−Ａ０２１２９２４、ＪＰ−Ａ１１２２８４６８、ＤＥ−Ａ１９５４４１３３、ＷＯ９４／００４１０、ＧＢ−Ａ２，２６０，１３６、ＤＥ−Ａ４４１０７４６及びＪＰ−Ａ０８１７６０３６に開示されている通りのジエンの選択的水素化；
−  例えば、ＥＰ−Ａ０２７１０９２に開示されている通りのニトリルからのアルコールの製造；
−  例えば、ＲＵ２０５９５９７−Ｃ１に開示されている通りのアルキンの反応によるアルコールの製造；並びに
−  例えば、ＧＢ１，３２０，１８８に開示されている通りの置換テトラヒドロピランの水素化分解
である。
【００３９】
ベンゼンポリカルボン酸とのエステル化に適切なアルコール又はアルコール混合物の製造のために同様に使用され得るアルコールの製造のための更なる方法は、当業者に周知である。好ましく使用されるアルコールは、（上で述べたように）Ｃ1〜Ｃ13−アルキル基を有するアルコールである。特に、相対的に長鎖のＣ5〜Ｃ13−アルコール又はこれらのアルコールを含むアルコール混合物は、特に好ましくは、オレフィンの（オキソ反応とも称される）触媒ヒドロホルミル化及び形成されるアルデヒドの後続の水素化によって製造される。適切なヒドロホルミル化方法は、当業者に周知であり、上述した文献に開示されている。前記文献に開示されているアルコール及びアルコール混合物を上述のベンゼンポリカルボン酸と反応させて、所望のアルキルベンゼンポリカルボキシレート又はアルキルベンゼンポリカルボキシレートの混合物を得ることができる。
【００４０】
Ｃ5−アルコール又はＣ5−アルコールを含む混合物、特に好ましくはｎ−ペンタノールは、例えば、ロジウム化合物の水溶液と触媒としてのホスフィンとの存在下でブタジエンのヒドロホルミル化によって製造され得る。かかる方法は、例えば、ＥＰ−Ａ０６４３０３１に開示されている。
【００４１】
ベンゼンポリカルボン酸とのエステル化のために使用され得る適切なＣ7−アルコール混合物は、例えば、ＪＰ−Ａ２０００／３１９４４４に開示されている。Ｃ7−アルコール混合物の製造は、ヒドロホルミル化と形成されるアルデヒドの後続の水素化とによって行われる。
【００４２】
Ｃ8−アルコールを含む混合物及びそれらの製造方法は、例えば、ヒドロホルミル化及び後続の水素化によるヘプテンから開始するイソオクチルアルコールの製造のための方法が記載されているＧＢ−Ａ７２１５４０に開示されている。Ｃ7−アルコールの製造又はこれらのアルコールを含む混合物を開示する更なる文献は、ＤＥ−Ａ１９５３０４１４、ＪＰ−Ａ２００１／４９０２９、ＵＳ２，７８１，３９６、ＵＳ３，０９４，５６４、ＦＲ−Ａ１，３２４，８７３、ＪＰ−Ａ０８１６９８５４、ＵＳ３，１５３，６７３、ＵＳ３，１２７，４５１及びＵＳ１，８２８，３４４である。
【００４３】
Ｃ9−アルコール又はＣ9−アルコールを含む混合物は、好ましくは、ブテンの二量体化、得られたオクテンのヒドロホルミル化、及び得られたＣ9−アルデヒドの後続の水素化によって製造される。
【００４４】
適切な方法及びＣ9−アルコールを含む混合物は、例えば、ＷＯ９２／１３８１８、ＤＥ−Ａ２００９５０５、ＤＥ−Ａ１９９２４３３９、ＥＰ−Ａ１１１３０３４、ＷＯ２０００／６３１５１、ＷＯ９９／２５６６８、ＪＰ−Ａ１１６０９２８、ＪＰ−Ａ０３０８３９３５、ＪＰ−Ａ２０００／０５３８０３、ＥＰ−Ａ０２７８４０７及びＥＰ−Ａ１１７８０２９に開示されている。
【００４５】
Ｃ10−アルコール及びこれらのアルコールを含む混合物は、例えば、ＷＯ２００３／６６６４２、ＷＯ２００３／１８９１２、ＥＰ−Ａ０４２４７６７、ＷＯ２００２／６８３６９、ＥＰ−Ａ０３６６０８９及びＪＰ−Ａ２００１／００２８２９に開示されている。
【００４６】
Ｃ12−アルコール又はＣ12−アルコールを含む混合物、特にトリメチルノナノール、及びそれらの製造方法は、例えば、ＷＯ９８／０３４６２に開示されている。
【００４７】
Ｃ13−アルコール及びこれらのアルコールを含む混合物は、例えば、ＤＥ−Ａ１００３２５８０、ＤＥ−Ａ１９９５５５９３及びＷＯ２００２／００５８０に開示されている。
【００４８】
特に好ましくは、上述のシクロヘキサンジカルボン酸のジアルキルエステル、特に１，２−、１，３−又は１，４−ジアルキルエステル、非常に特に好ましくは１，２−ジアルキルエステルは、助剤中に使用されるか又は本発明による助剤として使用される。ジアルキルエステルの両エステル基が同一のアルキル基を担持するジアルキルエステル、及びジアルキルエステルの２個のエステル基が異なるアルキル基を担持するエステル基を使用することが可能である。シクロヘキサンジカルボン酸の混合及び非混合アルキルエステルの例は、既に上で述べた。更に、アルキルシクロヘキサンジカルボキシレートのアルキル基は、同じ炭素原子数を有するが、直鎖状であるか又は異なる分枝を有し、故に異性体混合物を形成する可能性がある。ジアルキルエステルのアルキル基の炭素原子数が異なる場合は、かかる異性体混合物を使用することもできる。アルキル基の異なる異性体の割合は、一般に、ベンゼンジカルボン酸のエステル化のために使用されるアルコールの組成物から生じ、それらのベンゼンジカルボン酸を水素化してエステル化後にシクロヘキサンジカルボン酸エステルを得る。適切なアルコール混合物は、既に上で述べられている。本発明の文脈において、ある炭素原子数を有する直鎖状又は分枝状アルキル基は、従って、それぞれの個々の異性体だけでなく、異性体混合物をも意味すると理解されるべきであり、（上で述べた通りの）それらの組成物は、ベンゼンジカルボン酸のエステル化のために使用されるアルコールの組成物から生じる。本発明の文脈において、直鎖状アルキル基は、直鎖状アルキル基だけを意味するが、主に直鎖状であるアルキル基の混合物をも意味すると理解されるべきである。
【００４９】
シクロヘキサンポリカルボン酸エステルのアルキル基ＲがＣ1〜Ｃ4−アルキル基である場合、これらは、式ＩＩのベンゼンポリカルボン酸とメタノール、エタノール、ｎ−プロパノール、イソプロパノール、ｎ−ブタノール、イソブタノール、ｓｅｃ−ブタノール又はｔｅｒｔ−ブタノールとの反応によって得られる。場合の場合も、前記プロパノール若しくはブタノールの混合物、又は個々の異性体を、Ｒが３又は４であるベンゼンポリカルボン酸エステルの製造のために使用することができる。好ましくは、プロパノール又はブタノールの個々の異性体が使用される。上述のＣ1〜Ｃ4−アルコールの製造は、当業者に周知である。
【００５０】
シクロヘキサンポリカルボン酸エステルのアルキル基ＲがＣ5〜Ｃ13−アルキル基である場合は、一般に０．１０〜４、好ましくは０．５〜３、特に好ましくは０．８〜２、特に１〜１．５の分枝度（ＩＳＯインデックス）を有するＣ5〜Ｃ13−アルコールを使用することが好ましく、即ち、一般に、それぞれのアルコールは、異なる異性体の混合物である。非常に特に好ましくは、１〜１．５のＩＳＯインデックスを有するＣ9−アルコール混合物、特に１．２５又は１．６のＩＳＯインデックスを有するノナノール混合物が使用される。
【００５１】
ＩＳＯインデックスは、ガスクロマトグラフィーによって決定された無次元量である。
方法：キャピラリーＧＣ
装置：オートサンプラ、スプリット／スプリットレス注入システム及び水素炎イオン化検出器（ＦＩＤ）を有するキャピラリーガスクロマトグラフ、
化学物質：
−ＭＳＴＦＡ（Ｎ−メチル−Ｎ−トリメチルシリルトリフルオロアセトアミド）
−滞留時間の決定のための比較
試料製造：３滴の試料を、１ｍｌのＭＳＴＦＡ中において、８０℃で６０分間維持する。
ＧＣ条件：
キャピラリーカラム：Ｕｌｔｒａ−１
−長さ：５０ｍ
−内径：０．２５ｍｍ
−膜厚：０．１ミクロン
キャリアガス：ヘリウム
カラム吸気圧：２００ｐｓｉ（一定）
スプリット：８０ｍｌ／分
隔膜洗浄：３ｍｌ／分
オーブン温度：１２０℃、２５分間等温
注入器温度：２５０℃
検出器温度：２５０℃（ＦＩＤ）
注入体積：０．５マイクロリットル
計算  ＩＳＯインデックスの計算のための手法を以下の表に示す。
【００５２】
【表１】
2012511071.tif 000005
【００５３】
Ｃ5〜Ｃ13−アルコールは、上述の方法によって製造される。Ｒが９であるシクロヘキサンポリカルボン酸エステルの製造のために、０〜２０質量％、好ましくは０．５〜１８質量％、特に好ましくは６〜１６質量％のノナノール混合物が分枝を有さず、５〜９０質量％、好ましくは１０〜８０質量％、特に好ましくは４５〜７５質量％が１つの分枝を有し、５〜７０質量％、好ましくは１０〜６０質量％、特に好ましくは１５〜３５質量％が２つの分枝を有し、０〜１０質量％、好ましくは０〜８質量％、特に好ましくは０〜４質量％が３つの分枝を有し、及び０〜４０質量％、好ましくは０．１〜３０質量％、特に好ましくは０．５〜６．５質量％が他の成分であるノナノール混合物を使用することが特に好ましい。他の成分は、一般に、３つより多い分枝を有するノナノール、デカノール又はオクタノールを意味すると理解されるべきであり、前記成分の合計は１００質量％である。
【００５４】
発明的に好ましく使用されるシクロヘキサンジカルボン酸イソノニルエステルの製造のために用いられるイソノナノール混合物の特に好ましい一実施形態は、以下の組成物を有する：
−  １．７３〜３．７３質量％、好ましくは１．９３〜３．５３質量％、特に好ましくは２．２３〜３．２３質量％の３−エチル−６−メチルヘキサノール；
−  ０．３８〜１．３８質量％、好ましくは０．４８〜１．２８質量％、特に好ましくは０．５８〜１．１８質量％の２，６−ジメチルヘプタノール；
−  ２．７８〜４．７８質量％、好ましくは２．９８〜４．５８質量％、特に好ましくは３．２８〜４．２８質量％の３，５−ジメチルヘプタノール；
−  ６．３０〜１６．３０質量％、好ましくは７．３０〜１５．３０質量％、特に好ましくは８．３０〜１４．３０質量％の３，６−ジメチルヘプタノール；
−  ５．７４〜１１．７４質量％、好ましくは６．２４〜１１．２４質量％、特に好ましくは６．７４〜１０．７４質量％の４，６−ジメチルヘプタノール；
−  １．６４〜３．６４質量％、好ましくは１．８４〜３．４４質量％、特に好ましくは２．１４〜３．１４質量％の３，４，５−トリメチルヘキサノール；
−  １．４７〜５．４７質量％、好ましくは１．９７〜４．９７質量％、特に好ましくは２．４７〜４．４７質量％の３，４，５−トリメチルヘキサノール、３−メチル−４−エチルヘキサノール及び３−エチル−４−メチルヘキサノール；
−  ４．００〜１０．００質量％、好ましくは４．５０〜９．５０質量％、特に好ましくは５．００〜９．００質量％の３，４−ジメチルヘプタノール；
−  ０．９９〜２．９９質量％、好ましくは１．１９〜２．７９質量％、特に好ましくは１．４９〜２．４９質量％の４−エチル−５−メチルヘキサノール及び３−エチルヘプタノール；
−  ２．４５〜８．４５質量％、好ましくは２．９５〜７．９５質量％、特に好ましくは３．４５〜７．４５質量％の４，５−ジメチルヘプタノール及び３−メチルオクタノール；
−  １．２１〜５．２１質量％、好ましくは１．７１〜４．７１質量％、特に好ましくは２．２１〜４．２１質量％の４，５−ジメチルヘプタノール；
−  １．５５〜５．５５質量％、好ましくは２．０５〜５．０５質量％、特に好ましくは２．５５〜４．５５質量％の５，６−ジメチルヘプタノール；
−  １．６３〜３．６３質量％、好ましくは１．８３〜３．４３質量％、特に好ましくは２．１３〜３．１３質量％の４−メチルオクタノール；
−  ０．９８〜２．９８質量％、好ましくは１．１８〜２．７８質量％、特に好ましくは１．４８〜２．４８質量％の５−メチルオクタノール；
−  ０．７０〜２．７０質量％、好ましくは０．９０〜２．５０質量％、特に好ましくは１．２０〜２．２０質量％の３，６，６−トリメチルヘキサノール；
−  １．９６〜３．９６質量％、好ましくは２．１６〜３．７６質量％、特に好ましくは２．４６〜３．４６質量％の７−メチルオクタノール；
−  １．２４〜３．２４質量％、好ましくは１．４４〜３．０４質量％、特に好ましくは１．７４〜２．７４質量％の６−メチルオクタノール；
−  ０．１〜３質量％、好ましくは０．２〜２質量％、特に好ましくは０．３〜１質量％のｎ−ノナノール；
−  ２５〜３５質量％、好ましくは２８〜３３質量％、特に好ましくは２９〜３２質量％の９個及び１０個の炭素原子を有する他のアルコール；
前記成分の合計は１００質量％である。
【００５５】
この種類のイソノナノール混合物は、ＣＡＳ番号６８５１５−４８−０のフタル酸ジイソノニルにおいて、フタル酸でエステル化されて存在し、それから、芳香核を水素化することによって対応するイソノニル成分とのシクロヘキサン−１，２−ジカルボン酸ジイソノニルエステルを生成することができる。この種類のイソノナノール混合物は、Ｃ2−、Ｃ3−及びＣ4−オレフィン混合物のゼオライト触媒オリゴマー化、ポリガスプロセスとして周知のプロセス、オリゴマーからＣ8分画を回収すること、並びに続いてそれをヒドロホルミル化及び水素化に供することの経路を介して得られる。
【００５６】
発明的に特に好ましく使用されるシクロヘキサンジカルボン酸ジイソノニルエステルの製造のために用いられるイソノナノール混合物の特に好ましい実施形態は、以下の組成物を有する：
−  ６．０〜１６．０質量％、好ましくは７．０〜１５．０質量％、特に好ましくは８．０〜１４．０質量％のｎ−ノナノール；
−  １２．８〜２８．８質量％、好ましくは１４．８〜２６．８質量％、特に好ましくは１５．８〜２５．８質量％の６−メチルオクタノール；
−  １２．５〜２８．８質量％、好ましくは１４．５〜２６．５質量％、特に好ましくは１５．５〜２５．５質量％の４−メチルオクタノール；
−  ３．３〜７．３質量％、好ましくは３．８〜６．８質量％、特に好ましくは４．３〜６．３質量％の２−メチルオクタノール；
−  ５．７〜１１．７質量％、好ましくは６．３〜１１．３質量％、特に好ましくは６．７〜１０．７質量％の３−エチルヘプタノール；
−  １．９〜３．９質量％、好ましくは２．１〜３．７質量％、特に好ましくは２．４〜３．４質量％の２−エチルヘプタノール；
−  １．７〜３．７質量％、好ましくは１．９〜３．５質量％、特に好ましくは２．２〜３．２質量％の２−プロピルヘキサノール；
−  ３．２〜９．２質量％、好ましくは３．７〜８．７質量％、特に好ましくは４．２〜８．２質量％の３，５−ジメチルヘプタノール；
−  ６．０〜１６．０質量％、好ましくは７．０〜１５．０質量％、特に好ましくは８．０〜１４．０質量％の２，５−ジメチルヘプタノール；
−  １．８〜３．８質量％、好ましくは２．０〜３．６質量％、特に好ましくは２．３〜３．３質量％の２．３−ジメチルヘプタノール；
−  ０．６〜２．６質量％、好ましくは０．８〜２．４質量％、特に好ましくは１．１〜２．１質量％の３−エチル−４−メチルヘキサノール；
−  ２．０〜４．０質量％、好ましくは２．２〜３．８質量％、特に好ましくは２．５〜３．５質量％の２−エチル−４−メチルヘキサノール；
−  ０．５〜６．５質量％、好ましくは１．５〜６質量％、特に好ましくは１．５〜５．５質量％の９個の炭素原子を有する他のアルコール；
前記成分の合計は１００質量％である。
【００５７】
この種類のイソノナノール混合物は、ＣＡＳ番号２８５５３−１２−０のフタル酸ジイソノニルにおいて、フタル酸でエステル化されて存在し、それから、例えばＷＯ９９／３２４２７の方法による場合のように、芳香核の水素化によって対応するイソノニル成分とのシクロヘキサン−１，２−ジカルボン酸ジイソノニルエステルを生成することができる。この種類のイソノナノール混合物は、例えばＷＯ９５／１４６４７の方法による場合のようにニッケル含有触媒による主にｎ−ブテンのオクテン混合物への二量体化、結果として生じるオクテン混合物の後続のヒドロホルミル化、好ましくはコバルト触媒ヒドロホルミル化、及び水素化の経路を介して得られる。この経路によって製造される１種のシクロヘキサン−１，２−ジカルボン酸ジイソノニルエステルは、Ｈｅｘａｍｏｌｌ（登録商標）ＤＩＮＣＨの名称の下で市販されている。
【００５８】
成分（Ａ）として使用されるシリル化ポリウレタン、シリル化ポリ尿素、シリル化ポリエーテル、シリル化ポリスルフィド及びシリル末端アクリレートは、当業者に周知であり、事実上、先行技術により既知のこれらのクラスからの全てのポリマーは、本発明の文脈において適切である。
【００５９】
シリル化ポリウレタン及びシリル化ポリ尿素は、少なくとも１種のポリオール及び／又はポリアミン成分と、少なくとも１種のポリイソシアネート成分と、少なくとも１種のシリル化剤成分とから構成される。
【００６０】
本発明の一実施形態において、ポリオール及び／又はポリアミン成分の合計に対するポリマー中に存在するイソシアネート成分のモル比は、０．０１〜５０、好ましくは０．５〜１．８である。更に、ポリウレタンポリマー及び／又はポリ尿素ポリマー中における反応性末端基の少なくとも３０％、より具体的には少なくとも８０％、より好ましくは少なくとも９５％がシリル化剤と反応したことは好ましいと考えられる。
【００６１】
イソシアネート成分は、好ましくは脂肪族、脂環式、芳香脂肪族及び／又は芳香族化合物であり、好ましくはジイソシアネート又はトリイソシアネートであり、これらの化合物の混合物を含むこともできる。ここで、それは、ヘキサメチレン１，６−ジイソシアネート（ＨＤＩ）、ＨＤＩダイマー、ＨＤＩトリマー、１−イソシアナト−３，３，５−トリメチル−５−イソシアナトメチルシクロヘキサン（ＩＰＤＩ）、２，４−及び／又は２，６−トリレンジイソシアネート（ＴＤＩ）、及び／又は４，４’−、２，４’−及び／又は２，２’−ジフェニルメタンジイソシアネート（ＭＤＩ）、ポリマーＭＤＩ、カルボジイミド変性４，４’−ＭＤＩ、ｍ−キシレンジイソシアネート（ＭＸＤＩ）、ｍ−若しくはｐ−テトラメチルキシレンジイソシアネート（ｍ−ＴＭＸＤＩ、ｐ−ＴＭＸＤＩ）、４，４’−ジシクロヘキシルメタンジイソシアネート（Ｈ１２ＭＤＩ）、ナフタレン−１，５−ジイソシアネート、シクロヘキサン１，４−ジイソシアネート、水素化キシリレンジイソシアネート（Ｈ６ＸＤＩ）、１−メチル−２，４−ジイソシアナトシクロヘキサン、テトラメトキシブタン１，４−ジイソシアネート、ブタン１，４−ジイソシアネート、１，６−ジイソシアナト−２，２，４−トリメチルヘキサン、１，６−ジイソシアナト−２，４，４−トリメチルヘキサン、１−イソシアナト−１−メチル−４（３）−イソシアナトメチルシクロヘキサン（ＩＭＣＩ）、及び１，１２−ドデカンジイソシアネート（Ｃ１２ＤＩ）であることが好ましいと考えられる。
【００６２】
ポリオール及び／又はポリアミン成分は、好ましくは、ポリエーテルエステルポリオール、ポリエーテルポリオール、ポリエステルポリオール、ポリブタジエンポリオール及びポリカーボネートポリオールを含み、これらの化合物の混合物を含むこともできる。ポリオール及び／又はポリアミンは、好ましくは２個〜１０個の間、より好ましくは２個〜３個の間のヒドロキシル基及び／又はアミノ基を含み、且つ３２〜３００００の間、より好ましくは９０〜１８０００ｇ／ｍｏｌの間の質量平均分子量を有する。適切なポリオールは、好ましくは、室温で液体、ガラス状の固体／非晶質の化合物又は結晶質の化合物であるポリヒドロキシ化合物である。典型的な例としては、二官能性ポリプロピレングリコールを挙げることができる。エチレンオキシド及びプロピレンオキシドのヒドロキシル含有ランダムコポリマー及び／又はブロックコポリマーを使用することも可能である。適切なポリエーテルポリオールは、ポリウレタン化学においてそれ自体既知のポリエーテル、例えば、スターター分子を使用して、ＫＯＨ触媒作用又はＤＭＣ触媒作用によって、スチレンオキシド、エチレンオキシド、プロピレンオキシド、ブチレンオキシド、テトラヒドロフラン又はエピクロロヒドリンから製造されるポリオールである。
【００６３】
より具体的には、ポリ（オキシテトラメチレン）グリコール（ポリＴＨＦ）、１，２−ポリブチレングリコール又はそれらの混合物は、特定の適切性を有する。ポリプロピレンオキシド、ポリエチレンオキシド及びブチレンオキシド及びそれらの混合物は、特定の適切性を有する。ポリオール成分として使用することができ、且つ末端にヒドロキシル基を含むコポリマーの別の型は、以下の一般式：
【化４】
2012511071.tif 000006
［式中、
Ｒは、同じであるか又は異なり、好ましくはＯＭｅ、ＯｉＰｒ、Ｃｌ又はＢｒによって表される］
によるものである（例えば、Ｍａｃｒｏｍｏｌｅｃｕｌｅｓ２００４，３７，４０３８−４０４３による「制御」高速アニオン重合によって製造され得る）。
【００６４】
より具体的には、２５℃で液体、ガラス状非晶質又は結晶質の化合物であり、且つジカルボン酸又はトリカルボン酸、例えば、アジピン酸、セバシン酸、グルタル酸、アゼライン酸、スベリン酸、ウンデカン二酸、ドデカンジオン酸、３，３−ジメチルグルタル酸、テレフタル酸、イソフタル酸、ヘキサヒドロフタル酸及び／又はダイマー脂肪酸と、低分子量のジオール、トリオール又はポリオール、例えば、エチレングリコール、プロピレングリコール、ジエチレングリコール、トリエチレングリコール、ジプロピレングリコール、１、４−ブタンジオール、１，６−ヘキサンジオール、１，８−オクタンジオール、１，１０−デカンジオール、１，１２−ドデカンジオール、ダイマー脂肪アルコール、グリセロール、ペンタエリスリトール及び／又はトリメチロールプロパンとの縮合によって製造可能なポリエステルジオール及びポリエステルポリオールは、ポリオール成分として更に適切である。
【００６５】
更に適切な一群のポリオールは、例えばカプロラクトンに基づくポリエステルであり、それらのポリエステルは、「ポリカプロラクトン」とも称される。使用され得る他のポリオールは、ポリカーボネートポリオール及びダイマージオールあり、植物油及びそれらの誘導体、例えば、ヒマシ油及びその誘導体又はエポキシ化大豆油に基づくポリオールでもある。炭酸の誘導体、例えば、炭酸ジフェニル、炭酸ジメチル又はホスゲンとジオールとの反応によって得ることが可能なヒドロキシル基を含有するポリカーボネートも適切である。例えば、エチレングリコール、１，２−及び１，３−プロパンジオール、１，３−及び１，４−ブタンジオール、１，６−ヘキサンジオール、１，８−オクタンジオール、ネオペンチルグリコール、１，４−ビスヒドロキシメチルシクロヘキサン、２−メチル−１，３−プロパンジオール、２，２，４−トリメチルペンタン−１，３−ジオール、ジプロピレングリコール、ポリプロピレングリコール、ジブチレングリコール、ポリブチレングリコール、ビスフェノールＡ、テトラブロモビスフェノールＡ、グリセロール、トリメチロールプロパン、１，２，６−ヘキサントリオール、１，２，４−ブタントリオール、トリメチロールプロパン、ペンタエリスリトール、キニトール、マンニトール、ソルビトール、メチルグリコシド並びに１，３，４，６−ジアンヒドロヘキシトールは、特定の適切性を有する。「Ｐｏｌｙ−ｂｄ（登録商標）」の商品名が含まれる商品名の下で購買可能なヒドロキシ官能性ポリブタジエン並びにそれらの水素化類似体を、ポリオール成分として使用することができる。商品名「Ｔｈｉｏｋｏｌ（登録商標）ＮＰＳ−２８２」の下で販売されているヒドロキシ官能性ポリスルフィド、及びヒドロキシ官能性ポリシロキサンも、更に適切である。
【００６６】
ヒドラジン、ヒドラジン水和物及び置換ヒドラジン、例えば、Ｎ−メチルヒドラジン、Ｎ，Ｎ’−ジメチルヒドラジン、アジピン酸、メチルアジピン酸、セバシン酸、ヒドロアクリル酸、テレフタル酸、イソフタル酸の酸ヒドラジド、セミカルバジドアルキレンヒドラジド、例えば、１３−セミカルバジドプロピオニルヒドラジド、セミカルバジドアルキレン−カルバジンエステル、例えば、２−セミカルバジドエチル−カルバジンエステル等、及び／又はアミノセミカルバジド化合物、例えば、１３−アミノエチルセミカルバジドカルボネートは、本発明により使用され得るポリアミン成分として特に適切性を有する。
【００６７】
ポリアミン、例えば、（ポリエーテルポリアミンである）Ｊｅｆｆａｍｉｎｅ（登録商標）の商品名の下で販売されているポリアミンも適切である。
【００６８】
連鎖延長剤として知られており、且つポリウレタン及びポリ尿素の製造において過剰なイソシアネート基と反応する種類も、ポリオール成分及び／又はポリアミン成分として適切性を有し；それらは、通常は４００を下回る分子量（Ｍｎ）を有し、且つしばしばポリオール、アミノポリオール又は脂肪族、脂環式若しくは芳香脂肪族ポリアミンの形で存在する。
【００６９】
適切な連鎖延長剤の例は、
・  アルカンジオール、例えば、エタンジオール、１，２−及び１，３−プロパンジオール、１，４−及び２，３−ブタンジオール、１，５−ペンタンジオール、１，３−ジメチルプロパンジオール、１，６−ヘキサンジオール、ネオペンチルグリコール、シクロヘキサンジメタノール、２−メチル−１，３−プロパンジオール、ヘキシレングリコール、２，５−ジメチル−２，５−ヘキサンジオール
・  エーテルジオール、例えば、ジエチレンジグリコール、トリエチレングリコール又はヒドロキノンジヒドロキシエチルエーテル
・  ヒドロキシブチルヒドロキシカプロン酸エステル、ヒドロキシヘキシルヒドロキシ酪酸エステル、アジピン酸ヒドロキシエチルエステル及びテレフタル酸ビスヒドロキシエチルエステル、並びに
・  ポリアミン、例えば、エチレンジアミン、１，２−及び１，３−ジアミノプロパン、１，４−ジアミノブタン、１，６−ジアミノヘキサン、２，２，４−及び２，４，４−トリメチルヘキサメチレンジアミンの異性体混合物、２−メチルペンタメチレンジアミン、ジエチレントリアミン、１，３−及び１，４−キシリレンジアミン、及び４，４−ジアミノジシクロヘキシルメタン
である。
【００７０】
最後に、ポリオール成分及び／又はポリアミン成分が、例えば長鎖脂肪族カルボン酸又は脂肪アルコールから得ることができる二重結合を含み得ることを言及するべきである。オレフィン二重結合による官能化もまた、例えばビニル基及び／又はアリル基の組み込みにより可能である。これらは、例えば、不飽和酸、例えば、無水マレイン酸、アクリル酸又はメタアクリル酸、及びそれらのそれぞれのエステルに由来し得る。
【００７１】
本発明の目的のために、ポリオール成分及び／又はポリアミン成分は、ポリプロピレンジオール、ポリプロピレントリオール、ポリプロピレンポリオール、ポリエチレンジオール、ポリエチレントリオール、ポリエチレンポリオール、ポリプロピレンジアミン、ポリプロピレントリアミン、ポリプロピレンポリアミン、ポリ−ＴＨＦ−ジアミン、ポリブタジエンジオール、ポリエステルジオール、ポリエステルトリオール、ポリエステルポリオール、ポリエステルエーテルジオール、ポリエステルエーテルトリオール、ポリエステルエーテルポリオールであり、より好ましくは、ポリプロピレンジオール、ポリプロピレントリオール、ポリＴＨＦジオール、ポリヘキサンジオールカルバメートジオール、ポリカプロラクタムジオール及びポリカプロラクタムトリオールであることが特に好ましい。これらの成分が前述の化合物の混合物であることも可能である。
【００７２】
存在するシリル化成分に関する限り、
１．第一級及び／又は第二級アミノシラン；α又はγ位
例えば、
Ｈ2Ｎ−ＣＨ2−Ｓｉ（ＯＲ2）3
Ｈ2Ｎ−（ＣＨ2）3−Ｓｉ（ＯＲ2）3
Ｒ’ＮＨ−（ＣＨ2）3−Ｓｉ（ＯＲ2）3
Ｒ’ＮＨ−ＣＨ2−ＣＨＭｅ−ＣＨ2−Ｓｉ（ＯＲ2）3
［式中、
ＯＲ2は、互いに独立してアルコキシ基によって表され、
Ｒ2は、１個〜５個の炭素原子を有するアルキル基、例えば、メチル、エチル、イソプロピル、ｎ−プロピル、ｎ−ブチル、イソブチル、ｓｅｃ−ブチルであり、及び／又はＯＲ2は、オルト−、メタ−及び／又はパラ位においてＣ1〜Ｃ20アルキル、アルキルアリール、アルコキシ、フェニル、置換フェニル、チオアルキル、ニトロ、ハロゲン、ニトリル、カルボキシアルキル、カルボキシアミド、−ＮＨ2及び／又はＮＨＲ基で置換されたフェノキシ基、ナフチルオキシ基、フェノキシ基であり、ここでＲは、直鎖状、分枝状又は環状のＣ1〜Ｃ20アルキル基、例えば、メチル、エチル、プロピル（ｎ、ｉｓｏ）、ブチル（ｎ、ｉｓｏ、ｓｅｃ）又はシクロヘキシル若しくはフェニルであり、Ｒ’は、直鎖状、分枝状又は環状のＣ1〜Ｃ20アルキル基、例えば、メチル、エチル、プロピル（ｎ、ｉｓｏ）、ブチル（ｎ、ｉｓｏ、ｓｅｃ）又はシクロヘキシル若しくはフェニルである］、
２．イソシアナトシラン；α又はγ位
３．α−及びγ位における第一級アミノシランのマイケル付加並びにヒダントインを形成するための閉環によって得られた生成物（例えば、ＵＳ５，３６４，９５５）
は、適切性を有する。
【００７３】
存在するシリル化成分に関して、特許出願ＷＯ２００６／０８８８３９Ａ２及びＷＯ２００８／０６１６５１Ａ１に対して参照が為され、特許ＥＰ１６８５１７１Ｂ１に対しても為され、それらの内容は、本明細書に採用される。
【００７４】
シリル化ポリウレタン中又はシリル化ポリ尿素中に存在し、且つ本発明の目的のために好ましいシリル化成分は、より具体的には、一般式：
Ｙ−Ｒ1−Ｓｉ（Ｍｅ）n（ＯＲ2）3-n
［式中、
Ｙは、−ＮＣＯ、−ＮＨＲ、−ＮＨ2又は−ＳＨによって表され、
Ｒは、１個〜２０個の炭素原子を有するアルキル基又はアリール基、例えば、メチル、エチル、イソプロピル、ｎ−プロピル、ブチル基（ｎ−、ｉｓｏ−、ｓｅｃ−）、シクロヘキシル、フェニル及びナフチルによって表され、
Ｒ1は、１個〜１０個の炭素原子を有する二価の炭化水素単位、例えば、エチレン、メチルエチレンによって表され、
Ｍｅは、メチルによって表され、
ＯＲ2は、互いに独立してアルコキシ基によって表され、ここでＲ2は、１個〜５個の炭素原子を有するアルキル基、例えば、メチル、エチル、イソプロピル、ｎ−プロピル、ｎ−ブチル、イソブチル、ｓｅｃ−ブチルであり、及び／又はＯＲ2は、オルト−、メタ−及び／又はパラ位においてＣ1〜Ｃ20アルキル、アルキルアリール、アルコキシ、フェニル、置換フェニル、チオアルキル、ニトロ、ハロゲン、ニトリル、カルボキシアルキル、カルボキシアミド、−ＮＨ2及び／又はＮＨＲ基で置換されたフェノキシ基、ナフチルオキシ基、フェノキシ基であり、ここでＲは、直鎖状、分枝状又は環状のＣ1〜Ｃ20アルキル基、例えば、メチル、エチル、プロピル（ｎ−、ｉｓｏ−）、ブチル（ｎ−、ｉｓｏ−、ｓｅｃ−）又はフェニルであり、並びに
ｎは、０、１、２又は３によって表される］のシランである。
【００７５】
しかし、シリル化成分として、前述の化合物の内の少なくとも２種の混合物がポリマー中に存在することも可能である。
【００７６】
好ましい一実施形態において、対象となるシリル化成分は、より具体的には、イソシアネート基又はアミノ基を含むアルコキシシランである。アミノ基を含む適切なアルコキシシランは、より具体的には、３−アミノプロピルトリメトキシシラン、３−アミノプロピルトリエトキシシラン、３−アミノプロピルメチルジメトキシシラン、３−アミノプロピルメチルジエトキシシラン、３−アミノ−２−メチルプロピルトリメトキシシラン、４−アミノブチルトリメトキシシラン、４−アミノブチルメチルジメトキシシラン、４−アミノ−３−メチルブチルトリメトキシシラン、４−アミノ−３，３−ジメチルブチルトリメトキシシラン、４−アミノ−３，３−ジメチルブチルジメトキシメチルシラン、アミノメチルトリメトキシシラン、アミノメチルジメトキシメチルシラン、アミノメチルメトキシジメチルシラン、アミノメチルトリエトキシシラン、アミノメチルジエトキシメチルシラン、アミノメチルエトキシジメチルシラン、Ｎ−メチル−３−アミノプロピルトリメトキシシラン、Ｎ−メチル−３−アミノプロピルジメトキシメチルシラン、Ｎ−エチル−３−アミノプロピルトリメトキシシラン、Ｎ−エチル−３−アミノプロピルジメトキシメチルシラン、Ｎ−ブチル−３−アミノプロピルトリメトキシシラン、Ｎ−ブチル−３−アミノプロピルジメトキシメチルシラン、Ｎ−シクロヘキシル−３−アミノプロピルトリメトキシシラン、Ｎ−シクロヘキシルアミノメチルトリエトキシシラン、シクロヘキシルアミノメチルトリメトキシシラン、Ｎ−フェニル−３−アミノプロピルトリメトキシシラン、Ｎ−メチル−３−アミノ−２−メチルプロピルトリメトキシシラン、Ｎ−メチル−３−アミノ−２−メチルプロピルジメトキシメチルシラン、Ｎ−エチル−３−アミノ−２−メチルプロピルトリメトキシシラン、Ｎ−エチル−３−アミノ−２−メチルプロピルジメトキシメチルシラン、Ｎ−エチル−３−アミノプロピルジメトキシメチルシラン、Ｎ−エチル−３−アミノプロピルトリメトキシシラン、Ｎ−フェニル−４−アミノブチルトリメトキシシラン、Ｎ−フェニルアミノメチルジメトキシメチルシラン、Ｎ−フェニルアミノメチルトリメトキシシラン、Ｎ−シクロヘキシルアミノメチルジメトキシメチルシラン、Ｎ−シクロヘキシルアミノメチルトリメトキシシラン、Ｎ−メチルアミノメチルジメトキシメチルシラン、Ｎ−メチルアミノメチルトリメトキシシラン、Ｎ−エチルアミノメチルジメトキシメチルシラン、Ｎ−エチルアミノメチルトリメトキシシラン、Ｎ−プロピルアミノメチルジメトキシメチルシラン、Ｎ−プロピルアミノメチルトリメトキシシラン、Ｎ−ブチルアミノメチルジメトキシメチルシラン、Ｎ−ブチルアミノメチルトリメトキシシラン、Ｎ−（２−アミノエチル）−３−アミノプロピルトリメトキシシラン、Ｎ−（２−アミノエチル）−３−アミノプロピルメチルジメトキシシラン、３−［２−（２−アミノエチルアミノ）エチルアミノ］プロピルトリメトキシシラン、ビス（トリメトキシシリルプロピル）アミン、ビス（ジメトキシ（メチル）シリルプロピル）アミン、ビス（トリメトキシシリルメチル）アミン、ビス（ジメトキシ（メチル）シリルメチル）アミン、３−ウレイドプロピルトリメトキシシラン、Ｎ−メチル［３−（トリメトキシシリル）プロピル］カルバメート、Ｎ−トリメトキシシリルメチル−Ｏ−メチルカルバメート、Ｎ−ジメトキシ（メチル）シリルメチルカルバメート、及びケイ素上のメトキシ基の代わりにエトキシ若しくはイソプロポキシ基又はｎ−プロポキシ基又はｎ−ブトキシ基又はイソブトキシ基又はｓｅｃ−ブトキシ基を有するそれらの類似体から成る群から選択される化合物である。
【００７７】
イソシアネート基を含む適切なアルコキシシランは、より具体的には、イソシアナトプロピルトリエトキシシラン、イソシアナトプロピルトリメトキシシラン、イソシアナトプロピルメチルジエトキシシラン、イソシアナトプロピルメチルジメトキシシラン、イソシアナトメチルトリメトキシシラン、イソシアナトメチルトリエトキシシラン、イソシアナトメチルメチルジエトキシシラン、イソシアナトメチルメチルジメトキシシラン、イソシアナトメチルジメチルメトキシシラン又はイソシアナトメチルジメチルエトキシシラン及び更にイソプロポキシ若しくはｎ−プロポキシ基を有するそれらの類似体から成る群から選択される化合物である。
【００７８】
本発明による好ましい使用のためのシリル化ポリウレタン及びそれらの製造に関して、更に、特許出願ＵＳ３，６３２，５５７、ＵＳ５，３６４，９５５、ＷＯ０１／１６２０１、ＥＰ９３１８００、ＥＰ１０９３４８２Ｂ１、ＵＳ２００４２６００３７、ＵＳ２００７１６７５９８、ＵＳ２００５１１９４２１、ＵＳ４８５７６２３、ＥＰ１２４５６０１、ＷＯ２００４／０６０９５３及びＤＥ２３０７７９４に対して参照が為され、それらの内容は、本明細書に採用される。
【００７９】
本発明により使用され得るシリル化ポリエーテルは、少なくとも１種のポリエーテル成分及び少なくとも１種のシリル化成分から構築される。しばらくの間、Ｋａｎｅｋａ製のいわゆるＭＳ−Ｐｏｌｙｍｅｒ（登録商標）及び／又はＡｓａｈｉ  Ｇｌａｓｓ  Ｃｈｅｍｉｃａｌ製のＥｘｃｅｓｔａｒを含む構築用シーラントが市販されているが、ここで「ＭＳ」とは、「変成シリコーン」を表す。これらのシリル末端ポリエーテルは、本発明に特に適切である。それらは、末端二重結合のヒドロシリル化によって製造されたシラン末端基を有するポリエーテル鎖から構成されるポリマーである。シラン末端基は、ポリエーテル鎖に付着し、且つ２個のアルコキシ基及び１個のアルキル基、又は３個のアルコキシ基が付着するケイ素から構成される。水分との反応の結果として、アルコキシ基が加水分解を受けてアルコールを形成し、結果として生じたＳｉ−ＯＨ基が続いて縮合してＳｉ−Ｏ−Ｓｉネットワークを形成する。
【００８０】
シリル末端ポリエーテルに適切なポリエーテル成分としては、とりわけ、スターター分子を使用してスチレンオキシド、プロピレンオキシド、ブチレンオキシド、テトラヒドロフラン又はエピクロロヒドリンから製造されるポリオールが挙げられる。ポリプロピレンオキシド、ポリブチレンオキシド、ポリエチレンオキシド及びテトラヒドロフラン又はそれらの混合物がとりわけ適切である。この場合、５００〜１０００００ｇ／ｍｏｌ、とりわけ３０００〜２００００ｇ／ｍｏｌの間の分子量が特に好ましい。
【００８１】
二重結合を導入する目的のためには、ポリエーテルを、塩素、臭素及びヨウ素から成る群から選択されるハロゲン原子を含む有機化合物並びに末端二重結合と反応させる。この目的のためには、塩化アリル、臭化アリル、ビニル（クロロメチル）ベンゼン、アリル（クロロメチル）ベンゼン、アリル（ブロモメチル）ベンゼン、アリルクロロメチルエーテル、アリル（クロロメトキシ）ベンゼン、ブテニルクロロメチルエーテル、１，６−ビニル（クロロメトキシ）ベンゼンが特に適切であり、塩化アリルの使用が特に好ましい。
【００８２】
ヒドロシリル化によって、結果として生じるポリエーテルと末端二重結合とを反応させてシリル末端ポリエーテルを形成する。この反応に特に適切なヒドロシリル化剤としては、トリクロロシラン、メチルジクロロシラン、ジメチルクロロシラン、フェニルジクロロシラン及び更にトリメトキシシラン、トリエトキシシラン、メチルジエトキシシラン、メチルジメトキシシラン及びフェニルジメトキシシラン、及び更にメチルジアセトキシシラン、フェニルジアセトキシシラン、ビス（ジメチルケトキシマト）メチルシラン及びビス（シクロヘキシルケトキシマト）メチルシランが挙げられる。ハロシラン及びアルコキシシランが、この文脈において特に好ましい。
【００８３】
更に、特許出願ＵＳ３，９７１，７５１、ＥＰ０３１９８９６、ＵＳ４６１８６５３、ＥＰ０１８４８２９、ＥＰ０２６５９２９、ＥＰ１２８５９４６、ＥＰ０９１８０６２、Ａｄｈｅｓｉｖｅｓ  ａｎｄ  Ｓｅａｌａｎｔｓ−Ｔｅｃｈｎｏｌｏｇｙ，Ａｐｐｌｉｃａｔｉｏｎｓ  ａｎｄ  Ｍａｒｋｅｔｓ，Ｄａｖｉｄ  Ｊ．Ｄｒｕｎｎ，ＩＳＢＮ１−８５９５７−３６５−７，Ｒａｐｒａ  Ｔｅｃｈｎｏｌｏｇｙ  Ｌｉｍｉｔｅｄ，２００３及びＣｏｎｇｒｅｓｓ  ｐｒｏｃｅｅｄｉｎｇｓ  ２７  Ａｐｒｉｌ  ２００５  Ｓｔｉｃｋ  ４th  Ｅｕｒｏｐｅａｎ  Ｃｏｎｇｒｅｓｓ  ｏｎ  Ａｄｈｅｓｉｖｅ  ａｎｄ  Ｓｅａｌａｎｔ  Ｒａｗ  Ｍａｔｅｒｉａｌｓ，Ｉｎｎｏｖａｔｉｖｅ  Ｒａｗ  Ｍａｔｅｒｉａｌｓ  ｆｏｒ  Ｓｔｒｕｃｔｕｒａｌ  Ａｄｈｅｓｉｖｅｓ，ＩＳＢＮ３−８７８７０−１５６−Ｘ，Ｖｉｎｃｅｎｚ  Ｎｅｔｗｏｒｋ，２００５に対して参照が為され、それらの内容は、本明細書に採用される。
【００８４】
本発明により好ましく使用され得るシリル化ポリスルフィドは、少なくとも１種のポリスルフィド成分及び少なくとも１種のシリル化成分から構築され、好ましくは以下の簡略式：
（ＣＨ3）3−Ｓｉ−Ｓ−（Ｃ2Ｈ4ＯＣＨ2ＯＣ2Ｈ4Ｓx）n−Ｃ2Ｈ4ＯＣＨ2ＯＣ2Ｈ4Ｓ−Ｓｉ−（ＣＨ3）3
によって表される。
【００８５】
これらの好ましいシリル化ポリスルフィドは、以下のプロセス：
（ｎ＋１）Ｃｌ−Ｒ−Ｃｌ＋（ｎ＋１）Ｎａ2ＳX→ＨＳ−（Ｒ−ＳX）n−Ｒ−ＳＨ＋（ｎ＋１）２ＮａＣｌ
−ＨＣｌ
ＨＳ−（Ｒ−ＳX）n−Ｒ−ＳＨ＋Ｍｅ3ＳｉＣｌ→Ｍｅ3Ｓｉ−Ｓ−（Ｒ−ＳX）n−Ｒ−Ｓ−ＳｉＭｅ3
［式中、
Ｒは、アルキル基又はエーテル基によって表される］によって製造される。
【００８６】
本発明によりその使用が好ましいシリル化ポリスルフィドに関して、刊行物"ＡＬＰＩＳ  Ａｌｉｐｈａｔｉｓｃｈｅ  Ｐｏｌｙｓｕｌｆｉｄｅ"，Ｈｕｔｈｉｇ  ＆  Ｗｅｐｆ，Ｂａｓｅｌ，１９９２，Ｈｅｉｎｚ  Ｌｕｃｋｅ，ＩＳＢＮ３−８５７３９−１２４３に対して参照が為され、それらの内容は、本明細書に採用される。
【００８７】
本発明により使用され得るシリル末端アクリレートは、少なくとも１種のアクリレート成分及び少なくとも１種のシリル成分から構築される。シリル末端アクリレートは、例えば、ヒドロシリル化によるアルケニル末端アクリレートの反応から得られ得、アルケニル末端アクリレートは、原子移動ラジカル重合（ＡＴＲＰ）によって製造可能であるか、又はアルキル末端アクリレートとシリル基を含むモノマーとの反応から製造調可能であり、アルケニル末端アクリレートは、原子移動ラジカル重合（ＡＴＲＰ）を介して製造可能である。
【００８８】
アクリレート成分のモノマーは、好ましくは、エチルジグリコールアクリレート、４−ｔｅｒｔ−ブチルシクロヘキシルアクリレート、ジヒドロシクロペンタジエニルアクリレート、ラウリル（メタ）アクリレート、フェノキシエチルアクリレート、イソボルニル（メタ）アクリレート、ジメチルアミノエチルメタクリレート、シアノアクリレート、シトラコネート、イタコネート及びその誘導体、（メタ）アクリル酸、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、シクロヘキシル（メタ）アクリレート、ｎ−ヘプチル（メタ）アクリレート、ｎ−オクチル（メタ）アクリレート、２−エチルヘキシル（メタ）アクリレート、ノニル（メタ）アクリレート、デシル（メタ）アクリレート、イソデシル（メタ）アクリレート、ドデシル（メタ）アクリレート、フェニル（メタ）アクリレート、トリル（メタ）アクリレート、ベンジル（メタ）アクリレート、２−メトキシエチル（メタ）アクリレート、３−メトキシブチル（メタ）アクリレート、２−ヒドロキシエチル（メタ）アクリレート、２−ヒドロキシプロピル（メタ）アクリレート、ステアリル（メタ）アクリレート、グリシジル（メタ）アクリレート、２−アミノエチル（メタ）アクリレート、γ−（メタクリロイルオキシプロピル）トリメトキシシラン、（メタ）アクリル酸のエチレンオキシド付加物、トリフルオロメチルメチル（メタ）アクリレート、２−トリフルオロメチルエチル（メタ）アクリレート、２−ペルフルオロエチルエチル（メタ）アクリレート、２−ペルフルオロエチル−２−ペルフルオロブチルエチル（メタ）アクリレート、２−ペルフルオロエチル（メタ）アクリレート、ペルフルオロメチル（メタ）アクリレート、ジペルフルオロメチルメチル（メタ）アクリレート、２−ペルフルオロメチル−２−ペルフルオロエチルメチル（メタ）アクリレート、２−ペルフルオロヘキシルエチル（メタ）アクリレート、２−ペルフルオロデシルエチル（メタ）アクリレート、及び２−ペルフルオロヘキサデシルエチル（メタ）アクリレートのシリーズからの少なくとも１種の化合物を含む。
【００８９】
シリル成分をアクリレート成分にヒドロシリル化によって付着させる場合、適切なシリル成分としては、より具体的には、トリメチルクロロシラン、ジメチルジクロロシラン、メチルトリクロロシラン、ヘキサメチルジシラザン、トリクロロシラン、メチルジクロロシラン、ジメチルクロロシラン、フェニルジクロロシラン及び更にトリメトキシシラン、トリエトキシシラン、メチルジエトキシシラン、メチルジメトキシシラン及びフェニルジメトキシシラン、及び更にメチルジアセトキシシラン、フェニルジアセトキシシラン、ビス（ジメチルケトキシマト）メチルシラン及びビス（シクロヘキシルケトキシマト）メチルシランが挙げられる。この場合、より具体的には、ハロシラン及びアルコキシシランが好ましい。
【００９０】
シリル基を含むモノマーによってシリル成分をアクリレート成分に付着させる場合、適切なシリル成分としては、より具体的には、３−（メタ）アクリロイルオキシプロピルトリメトキシシラン、３−（メタ）アクリロイルオキシプロピルメチルジメトキシシラン、３−（メタ）アクリロイルオキシプロピルトリエトキシシラン、３−（メタ）アクリロイルオキシプロピルメチルジエトキシシラン、（メタ）アクリロイルオキシメチルトリメトキシシラン、（メタ）アクリロイルオキシメチルメチルジメトキシシラン、（メタ）アクリロイルオキシメチルトリエトキシシラン及び（メタ）アクリロイルオキシメチルメチルジエトキシシランが挙げられる。
【００９１】
本発明のシリル末端アクリレートは、５００〜２０００００ｇ／ｍｏｌの間、より好ましくは５０００〜１０００００ｇ／ｍｏｌの間の質量平均分子量を有する。
【００９２】
本発明による好ましい使用のためのシリル末端アクリレートに関して、特許出願ＥＰ１４９８４３３、並びにＣｈｅｍ．Ｒｅｖ．（２００１），１０１，２９２１−２９９０，Ａｔｏｍ  Ｔｒａｎｓｆｅｒ  Ｒａｄｉｃａｌ  Ｐｏｌｙｍｅｒｉｚａｔｉｏｎ，Ｋｒｚｙｓｚｔｏｆ  Ｍａｔｙｊａｓｚｅｗｓｋｉ  ａｎｄ  Ｊｉａｎｈｕｉ  Ｘｉａ、及びＰｒｏｇｒｅｓｓ  ｉｎ  Ｐｏｌｙｍｅｒ  Ｓｃｉｅｎｃｅ３２（２００７），９３−１４６，Ｃｏｎｔｒｏｌｌｅｄ／ｌｉｖｉｎｇ  ｒａｄｉｃａｌ  ｐｏｌｙｍｅｒｉｚａｔｉｏｎ：Ｆｅａｔｕｒｅｓ，ｄｅｖｅｌｏｐｍｅｎｔｓ，ａｎｄ  ｐｅｒｓｐｅｃｔｉｖｅｓ，Ｗａｄｅ  Ａ．Ｂｒａｕｎｅｃｋｅｒ，Ｋｒｚｙｓｚｔｏｆ  Ｍａｔｙｊａｓｚｅｗｓｋｉ，Ｅｌｓｅｖｉｅｒに対して参照が為され、それらの内容は、本明細書に採用される。
【００９３】
成分（Ａ）及び（Ｂ）の他に、本発明の組成物は、追加的な更なる成分を含むことができる。これらは、とりわけ、以下の助剤及び添加剤
−  接着促進剤、例としては、エポキシシラン、アンヒドリドシラン、シランと第一級アミノシランとの付加物、ウレイドシラン、アミノシラン、ジアミノシラン、及び更にモノマー又はオリゴマーの形のそれらの類似体、及び尿素シランであり；例えば、Ｄｙｎａｓｙｌａｎ  ＡＭＥＯ、Ｄｙｎａｓｙｌａｎ  ＡＭＭＯ、Ｄｙｎａｓｙｌａｎ  ＤＡＭＯ−Ｔ、Ｄｙｎａｓｙｌａｎ１１４６、Ｄｙｎａｓｙｌａｎ１１８９、Ｓｉｌｑｕｅｓｔ  Ａ−Ｌｉｎｋ１５、
−  水捕捉剤、例えば、ビニルトリエトキシシラン、ビニルトリメトキシシラン、α−官能性シラン、例えば、Ｎ−（シリルメチル）−Ｏ−メチル−カルバメート、より具体的には、Ｎ−（メチルジメトキシシリルメチル）−Ｏ−メチル−カルバメート、（メタクリロイルオキシメチル）シラン、メトキシメチルシラン、Ｎ−フェニル−、Ｎ−シクロヘキシル−、及びＮ−アルキルシラン、オルトギ酸エステル、酸化カルシウム、又はモレキュラーシーブ；
−  触媒、例としては、有機スズ化合物の形の金属触媒、例えば、ジブチル錫ジラウレート及びジブチルスズジアセチルアセトネート、有機ビスマス化合物又はビスマス錯体；アミノ基含有化合物、例としては、１，４−ジアザビシクロ［２．２．２］オクタン及び２，２’−ジモルホリノジエチルエーテル、及び更にアミノシランである。更に適切な金属触媒としては、チタン、ジルコニウム、ビスマス、亜鉛及びリチウム触媒及び更に金属カルボキシレートが挙げられ、異なる金属触媒の組み合わせ、並びに更にアミノシラン及び金属触媒の組み合わせを使用することも可能である；
−  特に熱、光及びＵＶ放射に対する安定剤として作用する光安定剤及び老化抑制剤；
−  難燃剤；
−  殺生物剤、例えば、殺藻剤、殺真菌剤又は真菌増殖抑制物質等；
−  充填剤、例えば、重質炭酸カルシウム又は沈降炭酸カルシウム、場合により脂肪酸又は脂肪酸混合物、例えばステアレートで被覆されたもの、より具体的には微粒化された被覆炭酸カルシウム、カーボンブラック、とりわけ工業的に製造されたカーボンブラック、カオリン、酸化アルミニウム、シリカ、より具体的には熱分解プロセスからの高分散シリカ、ＰＶＣパウダー又は中空ビーズ。好ましい充填剤は、カーボンブラック、炭酸カルシウム、例えば、沈降又は天然炭酸石灰、例えば、Ｏｍｙａ製のＯｍｙａｃａｒｂ（登録商標）、Ｓｐｅｃｉａｌｔｙ  Ｍｉｎｅｒａｌｓ  Ｉｎｃ製のＵｌｔｒａ  Ｐ−Ｆｌｅｘ（登録商標）、Ｓｏｌｖａｙ製のＳｏｃａｌ（登録商標）Ｕ１Ｓ２、Ｓｏｃａｌ（登録商標）３１２およびＷｉｎｎｏｆｉｌ（登録商標）３１２、Ｓｈｉｒａｉｓｈｉ製のＨａｋｕｅｎｋａ（登録商標）、熱分解プロセスからの高分散シリカ、及びこれらの充填剤の組み合わせ。同様に、鉱物、例えば、珪質土、タルク、無水石膏、半水化物又は二水化物の形の硫酸カルシウム（石膏）、微粉砕石英、シリカゲル、沈殿又は天然硫酸バリウム、二酸化チタン、ゼオライト、白榴石、カリ長石、黒雲母、ソロ−、シクロ−、イノ−、フィロ−及びヘクトシリケートの群、低溶解性スルフェートの群、例えば、石膏、無水石膏又は重晶石、及び更にカルシウム鉱物、例えばカルサイトが適切である；
−  レオロジー変性剤、例えば、増粘剤、例えば、尿素化合物、ポリアミドワックス、ベントナイト、ヒュームドシリカ及び／又はアクリレート；
−  界面活性物質、例えば、湿潤剤、均染剤、脱泡剤又は消泡剤及び分散剤等；
−  繊維、例えば、ポリエチレン又はポリプロピレンの繊維；
−  顔料、例えば、二酸化チタン；
−  溶媒
並びに更に湿分硬化性組成物中において使用される更なる物質
であってよい。
【００９４】
一実施形態において、本発明の接着剤又はシーラントは、１０〜９０質量％の成分（Ａ）、３〜５０質量％の成分（Ｂ）、０〜８０質量％の充填剤、０〜２０質量％の水捕捉剤及び０．５〜２０質量％のレオロジー変性剤を含む。２５〜４０質量％の成分（Ａ）、５〜４０質量％の成分（Ｂ）、３０〜５５質量％の充填剤、１〜１０質量％の水捕捉剤及び１〜１０質量％のレオロジー変性剤の量が好ましいと考えられる。
【００９５】
１成分（１Ｋ）系と２成分（２Ｋ）系との間に区別が為される。１Ｋ系は、結合剤と周囲水分との化学反応を通して結合する。２Ｋ系は、連続固化により、混合成分の化学反応によって更に凝固することが可能である。本発明の接着剤及びシーラントは、好ましくは１成分系である。しかし、本発明の系を２成分系として構成することも有利であり得る。この場合、一方の成分はポリマー成分（Ａ）を含むが、第２の成分は、例えば、系の硬化を増進するための促進剤としての触媒又は微粒化水を含む。１成分系において用いられる成分が組成物の貯蔵寿命に悪影響を与えないこと、即ち、それらが、貯蔵の間、著しい程度に、架橋につながる組成物中に存在するシラン基の反応を開始しないことを確実にすることは、有利である。より具体的には、このことは、かかる更なる成分が、好ましくは水を含まないか又は多くとも微量の水を含むことを意味する。従って、ある種の成分の物理的又は化学的乾燥を行った後、それらをこれらの組成物中に組み込み、混合することは、賢明であり得る。これらの場合、かかる乾燥が可能でないか又は望ましくない場合、２成分系として接着剤又はシーラントを構成することは有利であり得るが、貯蔵寿命に悪影響を与えるその１種以上の成分は、成分（Ａ）から第２の成分中に別々に調製される。
【００９６】
本発明の組成物は、水分の非存在下で貯蔵され、貯蔵安定性であり、このことは、それが、硬化後のその性能特性又はその性質におけるその実際的な働きと関連するいかなる変化も受けることなく、例えば数ヶ月間〜数年間の期間に亘って、水分の非存在下で、適切なパック又はファシリティー、例えば、ドラム、ポーチ又はカートリッジ中において保持され得ることを意味する。貯蔵安定性又は貯蔵寿命は、典型的には、粘度、押出量又は押出力の測定を介して決定される。
【００９７】
本発明は、更に、被接合部品間の材料結合を生じさせるための接着剤又はシーラントの使用を提供する。少なくとも１つの被接合部品に対する本発明の組成物の塗布の際、ポリマーのシラン基が水分に接触する。シラン基の性質は、水分との接触の際に加水分解を受けることである。このプロセスは、有機シラノール（１個以上のシラノール基（ＳｉＯＨ基）を含む有機ケイ素化合物）と後続の縮合反応による有機シロキサン（１個以上のシロキサン基（Ｓｉ−Ｏ−Ｓｉ基）を含む有機ケイ素化合物）との形成を伴う。触媒の使用を通して増進され得るこの反応の結果として、その組成物は最終的に硬化する。このプロセスは、架橋とも称される。その硬化反応に必要な水は、空気から生じ得（大気湿度）、又は他に、その組成物を、例えば平滑剤を塗ることによって若しくは噴霧することによって含水成分と接触させることができ、又は他に、含水成分を、例えば静的混合機を介して、例えば混合した含水ペーストの形で塗布の際に組成物に加えることができる。
【００９８】
既に述べたように、前記組成物は、水分との接触の際に硬化する。硬化は、温度、接触の性質、水分の量、及び任意の触媒の存在に依存して異なる速度で起きる。大気水分による硬化は、最初に、組成物の表面上に表皮を形成する。従って、いわゆる表皮形成時間は、硬化速度の測度を構成する。典型的には、２３℃及び５０％の相対大気湿度で最高２時間の表皮形成時間を目指すことが望ましい。硬化状態において、本発明の組成物は、高伸展性と共に高機械的強度を有し、良好な接着性をも有する。このことによって、それは、多くの適用のために、より具体的には弾性接着剤として、弾性シーラントとして又は弾性被膜として適切になる。それは、とりわけ、迅速な硬化を必要とし、且つ接着性及び強度に対する厳しい要件と同時に伸展性に対して厳しい要件を課す適用のために適切である。
【００９９】
適切な適用は、例えば、コンクリート、モルタル、ガラス、金属、セラミック、プラスチック及び／又は木製の被接合部品間の材料結合である。特定の一実施形態において、被接合部品は、第１に表面であり、第２にカーペット、ＰＶＣ、積層体、ゴム、コルク、リノリウム、木、例えば、木レンガフローリング、床板、ボート甲板又はタイルの形のカバーである。本発明の組成物は、特に産業財又は消費財の製造又は修理のために使用され、構築又は土木工学において、更に特に衛生用品セクターにおいて、成分のシーリング又は結合のためにも使用される。被接合部品は、とりわけ、自動車、トレーラ、トラック、キャラバン、列車、航空機、船艇及び鉄道構築における部品であってよい。
【０１００】
このセクターにおける弾性結合のための接着剤は、好ましくは、実質的に円形又は三角形の断面領域におけるビーズの形で適用される。車両構築における弾性結合は、例えば、輸送手段の塗装本体への部品、例えば、プラスチックカバー、トリムストリップ、フレンジ、バンパー、運転室若しくは他の取付け用コンポーネントの接着性の付着、又は車体中へのガラスの結合である。
【０１０１】
構築及び土木工学における適用の好ましい領域は、施工継目、フローリング継目、伸縮継目又は衛生用品セクターにおけるシーリングされた継目の領域である。好ましい一実施形態において、記載された組成物は、弾性の接着剤又はシーラントとして使用される。室温で、その組成物は、弾性接着剤の形において、典型的には少なくとも５０％の破断点伸びを有し、弾性シーラントの形では、典型的には少なくとも３００％の破断点伸びを有する。
【０１０２】
例えば構築若しくは土木工学における継目用シーラントとしての組成物の使用のために、又は自動車の構築の弾性結合用接着剤としての使用のために、例えば、その組成物は、構造粘性の性質を有するペースト状粘稠性を有することが好ましい。この種類のペースト状シーラント又は接着剤は、被接合部品に対して適切な装置によって塗布される。適切な塗布方法は、例えば、手動で若しくは圧縮空気によって操作される標準的な商業的カートリッジからの塗布、又は送水ポンプ若しくは偏心スクリューポンプによって、所望により塗布ロボットによって、ドラム若しくは小型ドラム缶（ｈｏｂｂｏｃｋ）からの塗布である。
【０１０３】
被接合部品は、必要な場合、接着剤又はシーラントを塗布する前に前処理され得る。かかる前処置としては、特に物理的及び／又は化学的洗浄プロセスが挙げられ、例としては、研磨、サンドブラスト、ブラッシング等、又は洗浄剤若しくは溶剤による処理、又は接着促進剤、接着促進剤溶液若しくはプライマーの塗布である。
【０１０４】
接着剤としてのその使用の文脈において、本発明の組成物は、被接合部品の一方若しくは他方のいずれかに、又は両被接合部品に塗布される。その後、被結合部品を接合し、水分との接触を通して接着剤が硬化する。いずれの場合も、２つの被接合部品が互いに確実に結合するようにするために、風乾時間と称される時間の間に部品の接合が生じるようにしなければならない。
【０１０５】
本発明は、ａ）成分（Ｂ）及び場合により充填剤、チキソトロープ剤、抗酸化剤及びＵＶ吸収剤から成る群からの少なくとも１種の化合物を導入し、ｂ）場合によって水の５０００ｐｐｍ未満の減圧下で６０℃超の温度で混合物を乾燥し、ｃ）場合によって水捕捉剤及び接着促進剤から成るシリーズからの少なくとも１種の化合物、並びにｄ）成分（Ａ）を加え、前記成分を均一に混合する、接着剤又はシーラントの製造方法を更に提供する。
【０１０６】
好ましい一実施形態においては、ａ）の下で導入した成分を、１００℃超、より好ましくは１３０℃超の温度で減圧下で乾燥する。１００ｍｍＨｇを下回る、より具体的には１０ｍｍＨｇを下回る減圧が特に好ましいと考えられる。乾燥の後の水分含有率は、できるだけ低くあるべきであり；好ましくは、それは、２０００ｐｐｍを下回るべきであり、より具体的には８００ｐｐｍを下回るべきである。水分含有率は、カール−フィッシャー法によって決定される。
【０１０７】
本発明の製造方法のためには、用いる成分を互いに混合し、及び／又は実施する場合は乾燥を含む全操作に亘って移動し続けることが好ましいと考えられる。代わりに、用いる成分を、製造方法の終了時のみにおいて均一に互いに混合することもできる。適切な混合装置は、この目的のために当業者に既知の装置の全てを包含し、より具体的には、静的混合機、遊星型混合機、横置型乱流混合機（Ｄｒａｉｓ製）、遊星型溶解機又は溶解機（ＰＣ  Ｌａｂｏｒｓｙｓｔｅｍｅ製）、強力混合機及び／又は押出機であってよい。
【０１０８】
接着剤又はシーラントを製造するための本発明の方法は、例えば遊星型ミキサーにおいて非連続的に実施され得る。しかし、連続的に方法を操作することも可能であり、その場合、特に押出機がこの目的のために適切であることが分かった。その場合、結合剤を押出機に供給し、その中で液体及び固体の補助剤を計量する。
【０１０９】
全体として、シクロヘキサンポリカルボン酸誘導体を含む接着剤及びシーラントが提案されると共に、高反応性及び良好な接着性と共に増強された伸展性のために顕著である組成物が提供される。シクロヘキサンポリカルボン酸誘導体は、工業規模で費用効果的に利用可能である。従って、本発明の接着剤及びシーラントの提供によって、完全に前述の目的を達成することが可能であった。
【０１１０】
以下の非限定的な実施例を参照して本発明を更に詳細に示す。
【０１１１】
実施例
一般的調製手法
可塑剤、Ｓｏｃａｌ  Ｕ１Ｓ２、Ｏｍｙａｌｉｔｅ９０Ｔ、Ｔｒｏｎｏｘ４３５及びＤｙｎａｓｙｌａｎ  ＶＴＭＯを導入し、６０℃の温度で減圧の下で互いに混合する。続いて、結合剤及びＡｅｒｏｓｉｌ  Ｒ２０２を加える。最終ステップにおいて、Ｄｙｎａｓｙｌａｎ  ＡＭＭＯ及びＭｅｔａｔｉｎ７４０を加え、混合する。シーラントを、アルミニウム又はプラスチックカートリッジ中に分注する。
【０１１２】
実施例１
【表２】
2012511071.tif 000007
【０１１３】
列２及び３における数字は質量部に関する。
【０１１４】
実施例２
【表３】
2012511071.tif 000008
【０１１５】
列２及び３における数字は質量部に関する。
乾燥：＜５０００ｐｐｍの水
ＤＩＵＰ：ジイソウンデシルフタレート
Ｈｅｘａｍｏｌｌ（登録商標）ＤＩＮＣＨ：ＢＡＳＦ  ＳＥ製のジイソノニルシクロヘキサン−１，２−ジカルボキシレート
実施例１の結合剤：Ｂａｙｅｒ  ＭａｔｅｒｉａｌＳｃｉｅｎｃｅ  ＡＧ製のＤｅｓｍｏｓｅａｌ（登録商標）Ｓ  ＸＰ２６３６（シラン末端ポリウレタンプレポリマー）
実施例２の結合剤：Ｗａｃｋｅｒ  Ｃｈｅｍｉｅ  ＡＧ製のＧｅｎｉｏｓｉｌ（登録商標）ＳＴＰ−Ｅ３５（トリメトキシシリルプロピルカルバメート末端ポリエーテル、ＣＡＳ番号：２１６５９７−１２−５）
Ｓｏｃａｌ  Ｕ１Ｓ２：Ｓｏｌｖａｙ  Ｓ．Ａ．製の沈降炭酸石灰（超微粒、被覆）
Ｔｒｏｎｏｘ４３５：Ｔｒｏｎｏｘ  Ｐｉｇｍｅｎｔｓ  ＧｍｂＨ製の二酸化チタン
Ｏｍｙａｌｉｔｅ９０Ｔ：Ｏｍｙａ  Ｉｎｃ．製の高純度表面処理炭酸カルシウム
Ｄｙｎａｓｙｌａｎ  ＶＴＭＯ：Ｅｖｏｎｉｋ  Ｄｅｇｕｓｓａ  ＧｍｂＨ製のビニルトリメトキシシラン
Ｄｙｎａｓｙｌａｎ  ＡＭＭＯ：Ｅｖｏｎｉｋ  Ｄｅｇｕｓｓａ  ＧｍｂＨ製の３−アミノプロピルトリメトキシシラン
Ｍｅｔａｔｉｎ７４０：Ａｃｉｍａ  ＡＧ製のジブチルスズケトネート
【０１１６】
結果
実施例１
【表４】
2012511071.tif 000009
【０１１７】
実施例２
【表５】
2012511071.tif 000010
【０１１８】
実施例から明らかなように、例えば接着剤及びシーラントにＤＩＵＰ等の従来のフタレートを使用する場合と比較して、Ｈｅｘａｍｏｌｌ（登録商標）ＤＩＮＣＨの添加によって伸び率を増加させることが可能である。
【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
少なくとも
（Ａ）シリル化ポリウレタン、シリル化ポリ尿素、シリル化ポリエーテル、シリル化ポリスルフィド及びシリル末端アクリレートから成る群から選択される１種の化合物、及び少なくとも
（Ｂ）１種のシクロヘキサンポリカルボン酸誘導体
を含む接着剤又はシーラント。
【請求項２】
少なくとも以下の成分：
１０〜９０％の成分（Ａ）
３〜５０％の成分（Ｂ）
０〜８０％の充填剤
０〜２０％の水捕捉剤、
０〜１０％のレオロジー変性剤
を含む、請求項１に記載の接着剤又はシーラント。
【請求項３】
更なる成分として、助剤及び添加剤、分散剤、顔料、レオロジー助剤、水捕捉剤、接着促進剤、触媒、光安定剤、老化抑制剤、難燃剤及び／又は殺生物剤を含む、請求項１又は２に記載の接着剤又はシーラント。
【請求項４】
１成分系である、請求項１から３までのいずれか１項に記載の接着剤又はシーラント。
【請求項５】
２成分系である、請求項１から３までのいずれか１項に記載の接着剤又はシーラント。
【請求項６】
ａ）成分（Ｂ）及び場合により充填剤、チキソトロープ剤、抗酸化剤及びＵＶ吸収剤から成るシリーズからの少なくとも１種の化合物を導入し、
ｂ）場合によって水の５０００ｐｐｍ未満の減圧下で６０℃超の温度で混合物を乾燥し、
ｃ）場合によって水捕捉剤及び接着促進剤から成るシリーズからの少なくとも１種の化合物、並びに
ｄ）成分（Ａ）を加え、
前記成分を均一に混合する、
請求項１から５までのいずれか１項に記載の接着剤又はシーラントの製造方法。
【請求項７】
前記方法を非連続的に実施する、請求項６に記載の接着剤又はシーラントの製造方法。
【請求項８】
前記方法を連続的に実施する、請求項６に記載の接着剤又はシーラントの製造方法。
【請求項９】
被接合部品間の材料結合を生じさせるための、請求項１から５までのいずれか１項に記載の接着剤又はシーラントの使用。
【請求項１０】
コンクリート、モルタル、ガラス、金属、セラミック、プラスチック及び／又は木製の被接合部品間の材料結合を生じさせるための、請求項９に記載の接着剤又はシーラントの使用。
【請求項１１】
前記被接合部品の一方が表面であり、他方が、カーペットカバー、ＰＶＣカバー、積層体、ゴムカバー、コルクカバー、リノリウムカバー、木のカバー又はタイルである、請求項９又は１０のいずれか１項に記載の接着剤又はシーラントの使用。
【請求項１２】
前記材料結合が、施工継目、伸縮継目、フローリング継目、ファサード継目、建物仕切り継目、雨押さえ継目、ガラス、窓ガラス、構造用ガラス、屋根ガラス、窓シーリング、又は衛生用品セクターにおけるシーリングされた継目である、請求項９又は１０のいずれか１項に記載の接着剤又はシーラントの使用。
【請求項１３】
前記被接合部品が、自動車、トラック、キャラバン、列車、トレーラ、航空機、船艇及び鉄道構築における部品である、請求項９又は１０のいずれか１項に記載の接着剤又はシーラントの使用。
【国際調査報告】
2012511071.tif 000012
2012511071.tif 000013
2012511071.tif 000014
2012511071.tif 000015
2012511071.tif 000016
2012511071.tif 000017